(57)【要約】  本願は移動体通信分野に関し、具体的には、無線通信システムにおいて参照信号を取得する技術に関する。参照信号を取得する方法において、端末デバイスが位置オフセット情報を取得し、端末デバイスは位置オフセット情報に基づいて第１シーケンスを取得し、端末デバイスは、第１シーケンスを用いて、制御チャネルリソース集合で搬送される制御チャネル信号を復調し、ダウンリンク制御情報を取得する。このように、ＭＵ−ＭＩＭＯの伝送性能が向上する。
2020530736.tif 000002
【特許請求の範囲】
【請求項１】
参照信号を取得する方法であって、
端末デバイスが位置オフセット情報を取得する段階であって、前記位置オフセット情報は第５相対位置及び位置オフセット０を含み、前記第５相対位置は物理リソースブロックの数であり、その物理リソースブロックの数だけ、制御チャネルリソース集合を含む帯域幅内の最小サブキャリアが周波数領域参照点からオフセットしており、前記位置オフセット０は物理リソースブロックの数であり、その物理リソースブロックの数だけ、前記制御チャネルリソース集合内の最小サブキャリアが、前記制御チャネルリソース集合を含む前記帯域幅内の前記最小サブキャリアからオフセットしている、段階と、
前記端末デバイスが前記位置オフセット情報に基づいて第１シーケンスを参照信号シーケンスから取得する段階であって、前記第１シーケンスは前記参照信号シーケンスの部分集合である、段階と、
前記端末デバイスが前記第１シーケンスを用いて、前記制御チャネルリソース集合で搬送される前記制御チャネル信号を復調し、ダウンリンク制御情報を取得する段階と
を備える方法。
【請求項２】
前記周波数領域参照点に対応する物理リソースブロック番号が０であり、前記周波数領域参照点は残りの最小システム情報ＲＭＳＩにより通知される、又は前記周波数領域参照点はチャネルラスターの候補位置である、請求項１に記載の方法。
【請求項３】
前記第５相対位置は上位層シグナリングにより示され、前記上位層シグナリングはＲＲＣシグナリングを含む、請求項１又は２に記載の方法。
【請求項４】
前記オフセット位置０は、上位層シグナリングに含まれる構成情報に基づいて求められ、前記上位層シグナリングは無線リソース制御ＲＲＣシグナリングを含む、請求項１から３のいずれか一項に記載の方法。
【請求項５】
前記第１シーケンスは、参照信号を搬送する前記制御チャネルリソース集合内のリソースエレメントにマッピングされる、請求項１から４のいずれか一項に記載の方法。
【請求項６】
参照信号を取得する方法であって、
ネットワークデバイスが位置オフセット情報を取得する段階であって、前記位置オフセット情報は第５相対位置及び位置オフセット０を含み、前記第５相対位置は物理リソースブロックの数であり、その物理リソースブロックの数だけ、制御チャネルリソース集合を含む帯域幅内の最小サブキャリアが周波数領域参照点からオフセットしており、前記位置オフセット０は物理リソースブロックの数であり、その物理リソースブロックの数だけ、前記制御チャネルリソース集合内の最小サブキャリアが、前記制御チャネルリソース集合を含む前記帯域幅内の前記最小サブキャリアからオフセットしている、段階と、
前記ネットワークデバイスが前記位置オフセット情報に基づいて第１シーケンスを参照信号シーケンスから取得する段階であって、前記第１シーケンスは前記参照信号シーケンスの部分集合である、段階と、
前記ネットワークデバイスが、前記参照信号を搬送する前記制御チャネルリソース集合内のリソースエレメントに前記第１シーケンスをマッピングする段階と
を備える方法。
【請求項７】
前記周波数領域参照点に対応する物理リソースブロック番号が０であり、前記周波数領域参照点は残りの最小システム情報ＲＭＳＩにより通知される、又は
前記周波数領域参照点はチャネルラスターの候補位置である、請求項６に記載の方法。
【請求項８】
前記方法はさらに、
前記第５相対位置が上位層シグナリングにより示され、前記上位層シグナリングが無線リソース制御ＲＲＣシグナリングを含むことを備える、請求項６又は７に記載の方法。
【請求項９】
前記方法はさらに、
前記オフセット位置０が、上位層シグナリングに含まれる構成情報に基づいて求められ、前記上位層シグナリングがＲＲＣシグナリングを含むことを備える、請求項６から８のいずれか一項に記載の方法。
【請求項１０】
前記方法はさらに、
前記参照信号を搬送する前記制御チャネルリソース集合内の前記リソースエレメントに前記第１シーケンスがマッピングされることを備える、請求項６から９のいずれか一項に記載の方法。
【請求項１１】
参照信号を取得する装置であって、前記装置はメモリとプロセッサとを備え、
前記メモリは前記プロセッサと連結され、前記メモリは、前記装置が必要とするプログラム命令及びデータを格納し、
前記プロセッサは位置オフセット情報を取得するように構成され、前記位置オフセット情報は第５相対位置及び位置オフセット０を含み、前記第５相対位置は物理リソースブロックの数であり、その物理リソースブロックの数だけ、制御チャネルリソース集合を含む帯域幅内の最小サブキャリアが周波数領域参照点からオフセットしており、前記位置オフセット０は物理リソースブロックの数であり、その物理リソースブロックの数だけ、前記制御チャネルリソース集合内の最小サブキャリアが、前記制御チャネルリソース集合を含む前記帯域幅内の前記最小サブキャリアからオフセットしており、
前記プロセッサは、前記位置オフセット情報に基づいて第１シーケンスを参照信号シーケンスから取得するように構成され、前記第１シーケンスは前記参照信号シーケンスの部分集合であり、
前記プロセッサはさらに、前記第１シーケンスを用いて、前記制御チャネルリソース集合で搬送される制御チャネル信号を復調し、ダウンリンク制御情報を取得するように構成される、装置。
【請求項１２】
前記周波数領域参照点に対応する物理リソースブロック番号が０であり、前記周波数領域参照点は残りの最小システム情報ＲＭＳＩにより通知される、又は
前記周波数領域参照点はチャネルラスターの候補位置である、請求項１１に記載の装置。
【請求項１３】
前記第５相対位置は上位層シグナリングにより示され、前記上位層シグナリングは無線リソース制御ＲＲＣシグナリングを含む、請求項１１又は１２に記載の装置。
【請求項１４】
前記オフセット位置０は、上位層シグナリングに含まれる構成情報に基づいて求められ、前記上位層シグナリングはＲＲＣシグナリングを含む、請求項１１から１３のいずれか一項に記載の装置。
【請求項１５】
前記第１シーケンスは、参照信号を搬送する前記制御チャネルリソース集合内のリソースエレメントにマッピングされる、請求項１１から１４のいずれか一項に記載の装置。
【請求項１６】
参照信号を取得する装置であって、前記装置はメモリとプロセッサとを備え、
前記メモリは前記プロセッサと連結され、前記メモリは、前記装置が必要とするプログラム命令及びデータを格納し、
前記処理モジュールは位置オフセット情報を取得するように構成され、前記位置オフセット情報は第５相対位置及び位置オフセット０を含み、前記第５相対位置は物理リソースブロックの数であり、その物理リソースブロックの数だけ、制御チャネルリソース集合を含む帯域幅内の最小サブキャリアが周波数領域参照点からオフセットしており、前記位置オフセット０は物理リソースブロックの数であり、その物理リソースブロックの数だけ、前記制御チャネルリソース集合内の最小サブキャリアが前記制御チャネルリソース集合を含む前記帯域幅内の前記最小サブキャリアからオフセットしており、
前記処理モジュールは、前記オフセット位置オフセット情報に基づいて第１シーケンスを参照信号シーケンスから取得するように構成され、前記第１シーケンスは前記参照信号シーケンスの部分集合であり、
前記処理モジュールは、前記参照信号を搬送する前記制御チャネルリソース集合内のリソースエレメントに前記第１シーケンスをマッピングするように構成される、装置。
【請求項１７】
前記周波数領域参照点に対応する物理リソースブロック番号が０であり、前記周波数領域参照点は残りの最小システム情報ＲＭＳＩにより通知される、又は
前記周波数領域参照点はチャネルラスターの候補位置である、請求項１６に記載の装置。
【請求項１８】
前記第５相対位置は上位層シグナリングにより示され、前記上位層シグナリングは無線リソース制御ＲＲＣシグナリングを含む、請求項１６又は１７に記載の装置。
【請求項１９】
前記オフセット位置０は、上位層シグナリングに含まれる構成情報に基づいて求められ、前記上位層シグナリングはＲＲＣシグナリングを含む、請求項１６から１８のいずれか一項に記載の装置。
【請求項２０】
前記第１シーケンスは、前記参照信号を搬送する前記制御チャネルリソース集合内の前記リソースエレメントにマッピングされる、請求項１６から１９のいずれか一項に記載の装置。
【請求項２１】
参照信号を取得する方法であって、
端末デバイスが位置オフセット情報を取得する段階と、
前記端末デバイスが前記位置オフセット情報に基づいて第１シーケンスを取得する段階と、
前記端末デバイスが前記第１シーケンスを用いて、制御チャネルリソース集合で搬送される制御チャネル信号を復調し、ダウンリンク制御情報を取得する段階と
を備える方法。
【請求項２２】
前記方法はさらに、
参照信号シーケンスを生成する段階を備え、
前記端末デバイスが前記位置オフセット情報に基づいて第１シーケンスを取得する前記段階は、
前記端末デバイスが、前記位置オフセット情報に基づいて前記第１シーケンスを前記参照信号シーケンスから取得する段階であって、前記第１シーケンスは前記参照信号シーケンスの部分集合であり、前記位置オフセット情報は、前記参照信号シーケンス内の前記第１シーケンスの少なくとも１つの値の位置である、段階を有する、請求項２１に記載の方法。
【請求項２３】
前記方法はさらに、
前記端末デバイスが、ネットワークデバイスにより送信されるマスター情報ブロックＭＩＢを受信する段階であって、前記ＭＩＢは、第１相対位置を示すのに用いられるインジケーション情報と第２相対位置を示すのに用いられるインジケーション情報とを含み、前記第１相対位置は、周波数領域参照点に対する、前記ＭＩＢを搬送するブロードキャストチャネルの参照点の位置であり、前記第２相対位置は、前記ブロードキャストチャネルの前記参照点に対する前記制御チャネルリソース集合の相対位置である、段階を備え、
端末デバイスが位置オフセット情報を取得する前記段階は、
前記端末デバイスが、前記第１相対位置の前記インジケーション情報により示される前記第１相対位置と、前記第２相対位置の前記インジケーション情報により示される前記第２相対位置とに従って、前記位置オフセット情報を求める段階を有する、請求項２２に記載の方法。
【請求項２４】
前記方法はさらに、
前記端末デバイスが、ネットワークデバイスにより送信されるマスター信号ブロックＭＩＢを受信する段階であって、前記ＭＩＢは第３相対位置を示すのに用いられるインジケーション情報を含み、前記第３相対位置は、周波数領域参照点に対する、前記ＭＩＢを搬送するブロードキャストチャネルの参照点の位置である、段階を備え、
端末デバイスが位置オフセット情報を取得する前記段階は、
前記端末デバイスが、前記第３相対位置及び第４相対位置に従って前記位置オフセット情報を求める段階であって、前記第４相対位置は、前記ブロードキャストチャネルの前記参照点に対する前記制御チャネルリソース集合の相対位置であり、前記第４相対位置は構成されるか又は事前設定される、段階を有する、請求項２２に記載の方法。
【請求項２５】
前記方法はさらに、
前記端末デバイスがマスター情報ブロックＭＩＢを受信する段階であって、前記ＭＩＢは、周波数領域参照点に対する前記制御チャネルリソース集合の第８相対位置情報を示すのに用いられるインジケーション情報を含む、段階を備え、
端末デバイスが位置オフセット情報を取得する前記段階は、
前記端末デバイスが、前記第８相対位置の前記インジケーション情報により示される前記第８相対位置に従って、前記位置オフセット情報を求める段階を有する、請求項２２に記載の方法。
【請求項２６】
前記方法はさらに、
前記端末デバイスが帯域幅の構成情報を受信する段階であって、前記帯域幅はシステム帯域幅の一部であり、前記構成情報は第５相対位置のインジケーション情報を含み、前記第５相対位置は、周波数領域参照点に対する、前記制御チャネルリソース集合を含む帯域幅の相対位置である、段階を備え、
端末デバイスが位置オフセット情報を取得する前記段階は、
前記端末デバイスが、前記第５相対位置の前記インジケーション情報により示される前記第５相対位置に従って、前記位置オフセット情報を求める段階を有する、請求項２２に記載の方法。
【請求項２７】
前記方法はさらに、
前記端末デバイスが帯域幅の構成情報を受信する段階であって、前記帯域幅はシステム帯域幅の一部であり、前記構成情報は第６相対位置のインジケーション情報と第７相対位置のインジケーション情報とを含み、前記第６相対位置は、ＭＩＢを搬送するブロードキャストチャネルの参照点に対する、前記制御チャネルリソース集合を含む帯域幅の相対位置であり、前記第７相対位置は、周波数領域参照点に対する、前記ＭＩＢを搬送する前記ブロードキャストチャネルの前記参照点の位置である、段階を備え、
端末デバイスが位置オフセット情報を取得する前記段階は、
前記第６相対位置の前記インジケーション情報により示される前記第６相対位置と前記第７相対位置の前記インジケーション情報により示される前記第７相対位置とに従って、前記位置オフセット情報を求める段階を有する、請求項２２に記載の方法。
【請求項２８】
端末デバイスが位置オフセット情報を取得する前記段階は、
前記端末デバイスが前記制御チャネルリソース集合の構成情報を受信する段階であって、前記制御チャネルリソース集合の前記構成情報は、前記位置オフセット情報を示すのに用いられるインジケーション情報を含む、段階を有する、請求項２２に記載の方法。
【請求項２９】
前記位置オフセット情報を示すのに用いられる前記インジケーション情報は、前記制御チャネルリソース集合の物理リソースブロック番号を示すのに用いられるインジケーション情報を含み、端末デバイスが位置オフセット情報を取得する前記段階は、
前記端末デバイスが、前記物理リソースブロック番号により示される物理リソースブロックに従って、前記位置オフセット情報を求める段階を有する、請求項２８に記載の方法。
【請求項３０】
前記方法はさらに、
前記端末デバイスが、ネットワークデバイスにより送信されるマスター情報ブロックＭＩＢを受信する段階であって、前記ＭＩＢは、前記ＭＩＢを搬送するブロードキャストチャネルの参照点に対する、前記制御チャネルリソース集合の第１１相対位置を示すのに用いられるインジケーション情報を含む、段階と、
前記端末デバイスが、前記第１１相対位置の前記インジケーション情報により示される前記第１１相対位置に従って、前記第２シーケンスを前記参照信号シーケンスから取得する段階であって、前記第２シーケンスは前記参照信号シーケンスの部分集合であり、前記第１１相対位置は、前記参照信号シーケンス内の前記第２シーケンスの少なくとも１つの値の位置である、段階と
を備える、請求項２６から２９のいずれか一項に記載の方法。
【請求項３１】
参照信号を取得する方法であって、
ネットワークデバイスが位置オフセット情報を取得する段階と、
前記ネットワークデバイスが前記位置オフセット情報に基づいて第１シーケンスを取得する段階と、
前記ネットワークデバイスが、参照信号を搬送する制御チャネルリソース集合内のリソースエレメントに前記第１シーケンスをマッピングする段階と
を備える方法。
【請求項３２】
前記方法はさらに、
前記ネットワークデバイスが参照信号シーケンスを生成する段階を備え、
前記ネットワークデバイスが前記位置オフセット情報に基づいて第１シーケンスを取得する前記段階は、
前記ネットワークデバイスが、前記位置オフセット情報に基づいて前記第１シーケンスを前記参照信号シーケンスから取得する段階であって、前記第１シーケンスは前記参照信号シーケンスの部分集合であり、前記位置オフセット情報は、前記参照信号シーケンス内の前記第１シーケンスの少なくとも１つの値の位置である、段階を有する、請求項３１に記載の方法。
【請求項３３】
前記方法はさらに、
前記ネットワークデバイスがマスター情報ブロックＭＩＢを端末デバイスに送信する段階であって、前記ＭＩＢは第１相対位置のインジケーション情報と第２相対位置のインジケーション情報とを含み、前記第１相対位置は、周波数領域参照点に対する、前記ＭＩＢを搬送するブロードキャストチャネルの参照点の位置であり、前記第２相対位置は、前記ブロードキャストチャネルの前記参照点に対する前記制御チャネルリソース集合の相対位置であり、前記第１相対位置の前記インジケーション情報と前記第２相対位置の前記インジケーション情報とは、前記位置オフセット情報を示すのに用いられる、段階を備える、請求項３２に記載の方法。
【請求項３４】
前記方法はさらに、
前記端末デバイスがネットワークデバイスにより送信されるマスター信号ブロックＭＩＢを受信する段階であって、前記ＭＩＢは第３相対位置のインジケーション情報を含み、前記第３相対位置は、周波数領域参照点に対する、前記ＭＩＢを搬送するブロードキャストチャネルの参照点の位置であり、前記第３相対位置の前記インジケーション情報は、前記位置オフセット情報を示すのに第４相対位置と共に用いられ、前記第４相対位置は、前記ブロードキャストチャネルの前記参照点に対する前記制御チャネルリソース集合の相対位置であり、前記第４相対位置は構成されるか又は事前設定される、段階を備える、請求項３２に記載の方法。
【請求項３５】
前記方法はさらに、
前記ネットワークデバイスがマスター情報ブロックＭＩＢを端末デバイスに送信する段階であって、前記ＭＩＢは、周波数領域参照点に対する前記制御チャネルリソース集合の第８相対位置情報を示すのに用いられるインジケーション情報を含み、前記第８相対位置情報の前記インジケーション情報は前記位置オフセット情報を示すのに用いられる、段階を備える、請求項３２に記載の方法。
【請求項３６】
前記方法はさらに、
前記ネットワークデバイスが帯域幅の構成情報を端末デバイスに送信する段階であって、前記帯域幅はシステム帯域幅の一部であり、前記構成情報は第５相対位置のインジケーション情報を含み、前記第５相対位置は、周波数領域参照点に対する、前記制御チャネルリソース集合を含む帯域幅の相対位置であり、前記第５相対位置の前記インジケーション情報は前記位置オフセット情報を示すのに用いられる、段階を備える、請求項３２に記載の方法。
【請求項３７】
前記方法はさらに、
前記ネットワークデバイスが帯域幅の構成情報を端末デバイスに送信する段階であって、前記構成情報は第６相対位置のインジケーション情報と第７相対位置のインジケーション情報とを含み、前記第６相対位置は、ＭＩＢを搬送するブロードキャストチャネルの参照点周波数領域位置に対する、前記制御チャネルリソース集合を含む帯域幅の相対位置であり、前記第７相対位置は、周波数領域参照点に対する、前記ＭＩＢを搬送する前記ブロードキャストチャネルの前記参照点の位置であり、前記第６相対位置の前記インジケーション情報と前記第７相対位置の前記インジケーション情報とは、前記位置オフセット情報を示すのに用いられる、段階を備える、請求項３２に記載の方法。
【請求項３８】
前記方法はさらに、
前記ネットワークデバイスが前記制御チャネルリソース集合の構成情報を前記端末デバイスに送信する段階であって、前記制御チャネルリソース集合の前記構成情報は、前記位置オフセット情報を示すのに用いられるインジケーション情報を含む、段階を備える、請求項３２に記載の方法。
【請求項３９】
前記位置オフセット情報を示すのに用いられる前記インジケーション情報は、前記制御チャネルリソース集合の物理リソースブロック番号を示すのに用いられるインジケーション情報を含む、請求項３８に記載の方法。
【請求項４０】
前記方法はさらに、
前記ネットワークデバイスがマスター情報ブロックＭＩＢを送信する段階であって、前記ＭＩＢは、前記ＭＩＢを搬送するブロードキャストチャネルの参照点に対する前記制御チャネルリソース集合の第１１相対位置を示すのに用いられるインジケーション情報を含む、段階を備える、請求項３６から３９のいずれか一項に記載の方法。
【請求項４１】
位置オフセット情報を取得し、前記位置オフセット情報に基づいて第１シーケンスを取得するように構成されたプロセッサを備える端末デバイスであって、
前記プロセッサはさらに、制御チャネルリソース集合で搬送される制御チャネル信号を前記第１シーケンスを用いて復調し、ダウンリンク制御情報を取得するように構成される、端末デバイス。
【請求項４２】
前記プロセッサはさらに、参照信号シーケンスを生成するように構成され、
前記プロセッサは具体的には、前記位置オフセット情報に基づいて前記第１シーケンスを前記参照信号シーケンスから取得するように構成され、前記第１シーケンスは前記参照信号シーケンスの部分集合であり、前記位置オフセット情報は、前記参照信号シーケンス内の前記第１シーケンスの少なくとも１つの値の位置である、請求項４１に記載の端末デバイス。
【請求項４３】
前記端末デバイスはさらに、
ネットワークデバイスにより送信されるマスター情報ブロックＭＩＢを受信するように構成された受信機を備え、前記ＭＩＢは、第１相対位置を示すのに用いられるインジケーション情報と第２相対位置を示すのに用いられるインジケーション情報とを含み、前記第１相対位置は、周波数領域参照点に対する、前記ＭＩＢを搬送するブロードキャストチャネルの参照点の位置であり、前記第２相対位置は、前記ブロードキャストチャネルの前記参照点に対する前記制御チャネルリソース集合の相対位置であり、
前記プロセッサは具体的には、前記受信機により受信される、前記第１相対位置の前記インジケーション情報により示される前記第１相対位置と前記第２相対位置の前記インジケーション情報により示される前記第２相対位置とに従って、前記位置オフセット情報を求めるように構成される、請求項４２に記載の端末デバイス。
【請求項４４】
前記端末デバイスはさらに、
ネットワークデバイスにより送信されるマスター信号ブロックＭＩＢを受信するように構成された受信機を備え、前記ＭＩＢは第３相対位置を示すのに用いられるインジケーション情報を含み、前記第３相対位置は、周波数領域参照点に対する、前記ＭＩＢを搬送するブロードキャストチャネルの参照点の位置であり、
前記プロセッサは具体的には、前記受信機により受信される前記第３相対位置の前記インジケーション情報により示される前記第３相対位置と、第４相対位置とに従って、前記位置オフセット情報を求めるように構成され、前記第４相対位置は、前記ブロードキャストチャネルの前記参照点に対する前記制御チャネルリソース集合の相対位置であり、前記第４相対位置は構成されるか又は事前設定される、請求項４２に記載の端末デバイス。
【請求項４５】
前記端末デバイスはさらに、
ネットワークデバイスにより送信されるマスター信号ブロックＭＩＢを受信するように構成された受信機を備え、前記ＭＩＢは、周波数領域参照点に対する前記制御チャネルリソース集合の第８相対位置情報を示すのに用いられるインジケーション情報を含み、
前記プロセッサは具体的には、前記第８相対位置の前記インジケーション情報により示される前記第８相対位置に従って、前記位置オフセット情報を求めるように構成される、請求項４２に記載の端末デバイス。
【請求項４６】
前記端末デバイスはさらに、
帯域幅の構成情報を受信するように構成された受信機を備え、前記帯域幅はシステム帯域幅の一部であり、前記構成情報は第５相対位置のインジケーション情報を含み、前記第５相対位置は、周波数領域参照点に対する、前記制御チャネルリソース集合を含む帯域幅の相対位置であり、
前記プロセッサは具体的には、前記受信機により受信される前記第５相対位置の前記インジケーション情報により示される前記第５相対位置に従って、前記位置オフセット情報を求めるように構成される、請求項４２に記載の端末デバイス。
【請求項４７】
前記端末デバイスはさらに、
帯域幅の構成情報を受信するように構成された受信機を備え、前記帯域幅はシステム帯域幅の一部であり、前記構成情報は、第６相対位置のインジケーション情報と第７相対位置のインジケーション情報とを含み、前記第６相対位置は、ＭＩＢを搬送するブロードキャストチャネルの参照点に対する、前記制御チャネルリソース集合を含む帯域幅の相対位置であり、前記第７相対位置は、周波数領域参照点に対する、前記ＭＩＢを搬送する前記ブロードキャストチャネルの前記参照点の位置であり、
前記プロセッサは具体的には、前記受信機により受信される、前記第６相対位置の前記インジケーション情報により示される前記第６相対位置と前記第７相対位置の前記インジケーション情報により示される前記第７相対位置とに従って、前記位置オフセット情報を求めるように構成される、請求項４２に記載の端末デバイス。
【請求項４８】
前記プロセッサはさらに、前記制御チャネルリソース集合の構成情報を受信するよう受信機に命令するように構成され、前記制御チャネルリソース集合の前記構成情報は、前記位置オフセット情報を示すのに用いられるインジケーション情報を含む、請求項４２に記載の端末デバイス。
【請求項４９】
前記プロセッサは具体的には、前記位置オフセット情報を示すのに用いられる前記インジケーション情報が、前記制御チャネルリソース集合の物理リソースブロック番号を示すのに用いられるインジケーション情報を含む場合、前記物理リソースブロック番号により示される物理リソースブロックに従って、前記位置オフセット情報を求めるように構成される、請求項４８に記載の端末デバイス。
【請求項５０】
前記端末デバイスはさらに、
ネットワークデバイスにより送信されるマスター情報ブロックＭＩＢを受信するように構成された前記受信機を備え、前記ＭＩＢは、前記ＭＩＢを搬送するブロードキャストチャネルの参照点に対する前記制御チャネルリソース集合の第１１相対位置を示すのに用いられるインジケーション情報を含み、
前記プロセッサは具体的には、前記第１１相対位置に従って、前記第２シーケンスを前記参照信号シーケンスから取得するように構成され、前記第２シーケンスは前記参照信号シーケンスの部分集合であり、前記第８相対位置は前記参照信号シーケンス内の前記第２シーケンスの少なくとも１つの値の位置である、請求項４６から４９のいずれか一項に記載の端末デバイス。
【請求項５１】
位置オフセット情報を取得し、前記位置オフセット情報に基づいて第１シーケンスを取得するように構成されたプロセッサを備えるネットワークデバイスであって、
前記プロセッサは、参照信号を搬送する制御チャネルリソース集合内のリソースエレメントに前記第１シーケンスをマッピングするように構成される、ネットワークデバイス。
【請求項５２】
前記プロセッサはさらに、参照信号シーケンスを生成するように構成され、
前記プロセッサは具体的には、前記位置オフセット情報に基づいて前記第１シーケンスを前記参照信号シーケンスから取得するように構成され、前記第１シーケンスは前記参照信号シーケンスの部分集合であり、前記位置オフセット情報は、前記参照信号シーケンス内の前記第１シーケンスの少なくとも１つの値の位置である、請求項５１に記載のネットワークデバイス。
【請求項５３】
前記ネットワークデバイスはさらに、
マスター信号ブロックＭＩＢを端末デバイスに送信するように構成された送信機を備え、前記ＭＩＢは第１相対位置のインジケーション情報と第２相対位置のインジケーション情報とを含み、前記第１相対位置は、周波数領域参照点に対する、前記ＭＩＢを搬送するブロードキャストチャネルの参照点の位置であり、前記第２相対位置は、前記ブロードキャストチャネルの前記参照点に対する前記制御チャネルリソース集合の相対位置であり、前記第１相対位置の前記インジケーション情報と前記第２相対位置の前記インジケーション情報とは、前記位置オフセット情報を示すのに用いられる、請求項５２に記載のネットワークデバイス。
【請求項５４】
前記ネットワークデバイスはさらに、
ＭＩＢを端末デバイスに送信するように構成された送信機を備え、前記ＭＩＢは第３相対位置のインジケーション情報を含み、前記第３相対位置は、周波数領域参照点に対する、前記ＭＩＢを搬送するブロードキャストチャネルの参照点の位置であり、前記第３相対位置の前記インジケーション情報は、前記位置オフセット情報を示すのに第４相対位置と共に用いられ、前記第４相対位置は、前記ブロードキャストチャネルの前記参照点に対する前記制御チャネルリソース集合の相対位置であり、前記第４相対位置は構成されるか又は事前設定される、請求項５２に記載のネットワークデバイス。
【請求項５５】
前記ネットワークデバイスはさらに、
マスター情報ブロックＭＩＢを端末デバイスに送信するように構成された送信機を備え、前記ＭＩＢは、周波数領域参照点に対する前記制御チャネルリソース集合の第８相対位置情報を示すのに用いられるインジケーション情報を含み、前記第８相対位置情報の前記インジケーション情報は前記位置オフセット情報を示すのに用いられる、請求項５２に記載のネットワークデバイス。
【請求項５６】
前記ネットワークデバイスはさらに、
帯域幅の構成情報を端末デバイスに送信するように構成された送信機を備え、前記帯域幅はシステム帯域幅の一部であり、前記構成情報は第５相対位置のインジケーション情報を含み、前記第５相対位置は、周波数領域参照点に対する、前記制御チャネルリソース集合を含む帯域幅の相対位置であり、前記第５相対位置の前記インジケーション情報は前記位置オフセット情報を示すのに用いられる、請求項５２に記載のネットワークデバイス。
【請求項５７】
前記ネットワークデバイスはさらに、
帯域幅の構成情報を端末デバイスに送信するように構成された送信機を備え、前記帯域幅はシステム帯域幅の一部であり、前記構成情報は第６相対位置のインジケーション情報と第７相対位置のインジケーション情報とを含み、前記第６相対位置は、ＭＩＢを搬送するブロードキャストチャネルの参照点周波数領域位置に対する、前記制御チャネルリソース集合のシステムの相対位置であり、前記第７相対位置は、周波数領域参照点に対する、前記ＭＩＢを搬送する前記ブロードキャストチャネルの前記参照点の位置であり、前記第６相対位置の前記インジケーション情報と前記第７相対位置の前記インジケーション情報とは、前記位置オフセット情報を示すのに用いられる、請求項５２に記載のネットワークデバイス。
【請求項５８】
前記ネットワークデバイスはさらに、
前記制御チャネルリソース集合の構成情報を前記端末デバイスに送信するように構成された送信機を備え、前記制御チャネルリソース集合の前記構成情報は、前記位置オフセット情報を示すのに用いられるインジケーション情報を含む、請求項５２に記載のネットワークデバイス。
【請求項５９】
前記プロセッサは具体的には、前記位置オフセット情報を示すのに用いられる前記インジケーション情報が、前記制御チャネルリソース集合の物理リソースブロック番号を示すのに用いられるインジケーション情報を含むように構成される、請求項５８に記載のネットワークデバイス。
【請求項６０】
前記制御チャネルリソース集合の前記構成情報は、ランダムアクセス応答ＲＡＲ及び無線リソース制御ＲＲＣシグナリングのうちの少なくとも１つを含み、前記制御チャネルリソース集合はタイプ１共通探索空間ＣＳＳ及び／又は端末固有の探索空間ＵＳＳを含む、参照信号を取得するための請求項２８若しくは２９、又は３８若しくは３９に記載の方法、請求項４８又は４９に記載の端末デバイス、及び請求項５８又は５９に記載のネットワークデバイス。
【請求項６１】
前記方法はさらに、
マスター情報ブロックＭＩＢを送信するように構成された前記送信機を備え、前記ＭＩＢは、前記ＭＩＢを搬送するブロードキャストチャネルの参照点に対する、前記制御チャネルリソース集合の第１１相対位置を示すのに用いられるインジケーション情報を含む、請求項５３から６０のいずれか一項に記載のネットワークデバイス。
【請求項６２】
前記周波数領域参照点は、システムキャリア帯域幅境界若しくは中心周波数領域位置であるか、又はチャネルラスターの候補位置であり、前記チャネルラスターの前記候補位置は前記システムキャリア帯域幅内の候補サブキャリア位置であり、前記候補サブキャリア位置は予め定められた位置であり、
前記ブロードキャストチャネルの前記参照点は、前記ブロードキャストチャネルの前記参照点が位置しているリソースの中心周波数領域位置又は境界である、参照信号を取得するための請求項２１から３０及び６０のいずれか一項に記載の方法、又は参照信号を取得するための請求項３１から４０及び６０のいずれか一項に記載の方法、又は請求項４１から５０及び６０のいずれか一項に記載の端末デバイス、又は請求項５１から６１のいずれか一項に記載のネットワークデバイス。
【請求項６３】
コンピュータによって実行可能なプログラムコードを格納するように構成されたメモリと、プロセッサとを備える通信装置であって、前記プロセッサが前記命令を実行すると、前記装置は、請求項１から５、２１から３０，及び６２のいずれか一項に記載の方法を実施するように構成される、通信装置。
【請求項６４】
コンピュータによって実行可能なプログラムコードを格納するように構成されたメモリと、プロセッサとを備える通信装置であって、前記プロセッサが前記命令を実行すると、前記装置は、請求項６から１０、３１から４０，及び６２のいずれか一項に記載の方法を実施するように構成される、通信装置。
【請求項６５】
コンピュータ可読記憶媒体であって、前記コンピュータ可読記憶媒体は命令を格納し、コンピュータが前記命令を実行すると、前記コンピュータは、請求項１から５、２１から３０、及び６２のいずれか一項に記載の方法を行う、コンピュータ可読記憶媒体。
【請求項６６】
コンピュータ可読記憶媒体であって、前記コンピュータ可読記憶媒体は命令を格納し、コンピュータが前記命令を実行すると、前記コンピュータは、請求項６から１０、３１から４０、及び６２のいずれか一項に記載の方法を行う、コンピュータ可読記憶媒体。
【発明の詳細な説明】
【技術分野】
【０００１】
本願は、２０１７年８月１１日に中国特許庁に出願された「参照信号を取得する方法及び装置、並びにコンピュータ可読記憶媒体（ＭＥＴＨＯＤ  ＡＮＤ  ＡＰＰＡＲＡＴＵＳ  ＦＯＲ  ＯＢＴＡＩＮＩＮＧ  ＲＥＦＥＲＥＮＣＥ  ＳＩＧＮＡＬ，  ＡＮＤ  ＣＯＭＰＵＴＥＲ  ＲＥＡＤＡＢＬＥ  ＳＴＯＲＡＧＥ  ＭＥＤＩＵＭ）と題する中国特許出願第２０１７１０６８７４５５．９号に基づく優先権を主張し、当該中国特許出願は、その全体が参照により本明細書に組み込まれる。
【０００２】
本願は移動体通信分野に関し、具体的には、無線通信システムにおいて参照信号を取得する技術に関する。
【背景技術】
【０００３】
ロングタームエボリューション（Ｌｏｎｇ  Ｔｅｒｍ  Ｅｖｏｌｕｔｉｏｎ、ＬＴＥ）ネットワークでは、基地局が通常、システム帯域幅領域の一部を特定の端末デバイスに割り当てる。すなわち、特定の時間内に、特定の周波数領域のリソースが端末デバイスに割り当てられる。この場合、端末デバイスのサービス品質が十分に確保されるように、基地局が特定の周波数領域のリソースのうち高品質のリソースを端末デバイスに優先的に割り当てる場合、参照信号がこの処理のリソーススケジューリングの際に参照を基地局に提供してよい。
【０００４】
それと同時に、複数のブロードキャストチャネルの参照点が、周波数分割モードに共存する。ブロードキャストチャネルの参照点に対応する第１シーケンスを生成する方法については、ＬＴＥにおいて端末デバイス固有の参照信号を生成する方法を参照されたい。あるＯＦＤＭシンボルにおいて、１つの制御チャネルリソース集合のリソースが、別の制御チャネルリソース集合のリソースと重複し、重複した時間−周波数リソースのＲＥＧに含まれる参照信号リソースの第１シーケンスが異なる。
【０００５】
複数の制御チャネルリソース集合が時間−周波数リソースにおいて互いに重複し、異なる参照信号シーケンスの初期値が異なるため、重複リソースの大きさが参照シーケンスのコンフィグレーションモードに影響を与えない。したがって、重複リソースにマッピングされる参照信号シーケンスが異なり、重複リソース領域における複数の参照信号の符号分割直交性が実装できず、ＭＵ−ＭＩＭＯの伝送性能が限定される。
【発明の概要】
【０００６】
本明細書では、参照信号を取得する方法及び装置、並びにシステムが、ＭＵ−ＭＩＭＯの伝送性能を向上させるために説明される。
【０００７】
第１態様によれば、本願の一実施形態が、参照信号を取得する方法を提供する。本方法は、端末デバイスが位置オフセット情報を取得する段階と、位置オフセット情報に基づいて第１シーケンスを取得する段階と、制御チャネルリソース集合で搬送される制御チャネル信号を、第１シーケンスを用いて復調し、ダウンリンク制御情報を取得する段階とを含む。
【０００８】
実現可能な設計例において、本方法は、端末デバイスが参照信号シーケンスを生成する段階と、位置オフセット情報に基づいて第１シーケンスを参照信号シーケンスから取得する段階であって、第１シーケンスは参照信号シーケンスの部分集合であり、オフセット位置情報は参照信号シーケンス内の第１シーケンスの少なくとも１つの値の位置である、段階とを含む。
【０００９】
実現可能な設計例において、本方法はさらに、ネットワークデバイスにより送信されるマスター情報ブロックＭＩＢを端末デバイスが受信する段階であって、ＭＩＢは第１相対位置を示すのに用いられるインジケーション情報と第２相対位置を示すのに用いられるインジケーション情報とを含み、第１相対位置は、周波数領域参照点に対する、ＭＩＢを搬送するブロードキャストチャネルの参照点の位置であり、第２相対位置は、ブロードキャストチャネルの参照点に対する制御チャネルリソース集合の相対位置である、段階と、第１相対位置のインジケーション情報により示される第１相対位置と第２相対位置のインジケーション情報により示される第２相対位置とに従って、位置オフセット情報を求める段階とを含む。
【００１０】
本解決手段によれば、複数のブロードキャストチャネルの参照点が異なる周波数領域位置において送信される場合、異なるブロードキャストチャネルの参照点のために構成された制御チャネルリソースにより用いられる参照信号が、同じシーケンスから選択される。さらに、複数の制御チャネルリソースが互いに重複したとしても、重複領域における第１シーケンスが同じであり、さらに、複数のユーザによるリソース再利用、例えば直交ＭＵ−ＭＩＭＯが、重複リソース領域において実施され得る。さらに、ＭＩＢは制御チャネルリソースの位置オフセット情報を含む。これは上位互換性に有利であり、隣接セルにより制御チャネルリソースで送信される信号からの干渉を柔軟に回避することができる。
【００１１】
実現可能な設計例において、本方法はさらに、ネットワークデバイスにより送信されるマスター信号ブロックＭＩＢを端末デバイスが受信する段階であって、ＭＩＢは第３相対位置を示すのに用いられるインジケーション情報を含み、第３相対位置は、周波数領域参照点に対する、ＭＩＢを搬送するブロードキャストチャネルの参照点の位置である、段階を含み、端末デバイスが位置オフセット情報を取得する段階は、第３相対位置のインジケーション情報により示される第３相対位置と第４相対位置とに従って、端末デバイスが位置オフセット情報を求める段階であって、第４相対位置は、ブロードキャストチャネルの参照点に対する制御チャネルリソース集合の相対位置であり、第４相対位置は構成されるか又は事前設定される、段階を含む。
【００１２】
本解決手段によれば、複数のブロードキャストチャネルの参照点が異なる周波数領域位置において送信される場合、異なるブロードキャストチャネルの参照点のために構成された制御チャネルリソースにより用いられる参照信号が、同じシーケンスから選択される。さらに、複数の制御チャネルリソースが互いに重複したとしても、重複領域における第１シーケンスが同じであり、さらに、複数のユーザによるリソース再利用、例えば直交ＭＵ−ＭＩＭＯが、重複リソース領域において実施され得る。
【００１３】
実現可能な設計例において、本方法はさらに、端末デバイスがマスター情報ブロックＭＩＢを受信する段階であって、ＭＩＢは、周波数領域参照点に対する制御チャネルリソース集合の第８相対位置情報を示すのに用いられるインジケーション情報を含む、段階を含み、端末デバイスが位置オフセット情報を取得する段階は、第８相対位置のインジケーション情報により示される第８相対位置に従って、端末デバイスが位置オフセット情報を求める段階を含む。
【００１４】
複数のブロードキャストチャネルが異なる周波数領域位置に送信されてよい場合、本解決手段が用いられるならば、同じ周波数領域参照点が、取得された第１シーケンスにより参照されてよい。したがって、重複した複数の制御チャネルリソースが同じ参照信号シーケンスを共有することができ、さらに、複数のユーザによるリソース再利用、例えば直交ＭＵ−ＭＩＭＯが実施され得る。さらに、ブロードキャストチャネルの参照点に対する制御チャネルの相対位置情報と、周波数領域参照点に対するブロードキャストチャネルの参照点の相対位置情報とが、共に符号化されて示され得る。これにより、コーディング効率が向上し、インジケーションシグナリングオーバヘッドが減少する。
【００１５】
実現可能な設計例において、本方法はさらに、端末デバイスが帯域幅の構成情報を受信する段階であって、帯域幅はシステム帯域幅の一部であり、構成情報は第５相対位置のインジケーション情報を含み、第５相対位置は、周波数領域参照点に対する、制御チャネルリソース集合を含む帯域幅の相対位置である、段階を含み、端末デバイスが位置オフセット情報を取得する段階は、第５相対位置のインジケーション情報により示される第５相対位置に従って、端末デバイスが位置オフセット情報を求める段階を含む。
【００１６】
本解決手段によれば、帯域幅の構成情報は、ＭＩＢ以外のＲＭＳＩで搬送されてよい。したがって、ＭＩＢのインジケーションシグナリングオーバヘッドが減少する。さらに、ＲＭＳＩはより多くのビット情報を搬送してよく、さらに、周波数領域における帯域幅サブバンドのオフセットがより柔軟であってよく、すなわち、周波数領域におけるオフセット粒度がより小さくてよい。したがって、帯域幅サブバンドのオフセットはより柔軟であり、リソース利用率が向上し得る。
【００１７】
実現可能な設計例において、本方法はさらに、端末デバイスが帯域幅の構成情報を受信する段階を含み、帯域幅はシステム帯域幅の一部であり、構成情報は第６相対位置のインジケーション情報と第７相対位置のインジケーション情報とを含み、第６相対位置は、ＭＩＢを搬送するブロードキャストチャネルの参照点に対する、制御チャネルリソース集合を含む帯域幅の相対位置であり、第７相対位置は、周波数領域参照点に対する、ＭＩＢを搬送するブロードキャストチャネルの参照点の位置であり、端末デバイスが位置オフセット情報を取得する段階は、第６相対位置のインジケーション情報により示される第６相対位置と第７相対位置のインジケーション情報により示される第７相対位置とに従って、位置オフセット情報を求める段階を含む。
【００１８】
本解決手段によれば、帯域幅の構成情報は、ＭＩＢ以外のＲＭＳＩで搬送されてよい。したがって、ＭＩＢのインジケーションシグナリングオーバヘッドが減少する。さらに、システム情報（ＲＭＳＩ）はより多くのビット情報を搬送してよく、さらに、周波数領域における帯域幅サブバンドのオフセットがより柔軟であってよく、すなわち、周波数領域におけるオフセット粒度がより小さくてよい。したがって、帯域幅サブバンドのオフセットはより柔軟であり、リソース利用率が向上し得る。
【００１９】
実現可能な設計例において、端末デバイスが位置オフセット情報を取得する段階は、端末デバイスが制御チャネルリソース集合の構成情報を受信する段階を含み、制御チャネルリソース集合の構成情報は、位置オフセット情報を示すのに用いられるインジケーション情報を含む。
【００２０】
本解決手段によれば、制御チャネルリソース集合の時間−周波数リソースを構成する場合、ネットワークデバイスが時間−周波数リソース上の重複リソース領域を取得し、重複リソース領域に従って位置オフセット情報を求め、制御チャネルリソース集合を構成する場合に、制御チャネル参照信号により用いられる第１シーケンスの位置オフセット情報を構成するので、複数の制御チャネルの参照信号シーケンスが重複領域において同じである。したがって、複数のユーザによる直交再利用、すなわち、直交ＭＵ−ＭＩＭＯが可能になる。さらに、同じ参照信号リソース上で複数の異なるシーケンスによりもたらされるシーケンス間の非直交干渉を減少させることができる。
【００２１】
例えば、位置オフセット情報を示すのに用いられるインジケーション情報は、制御チャネルリソース集合の物理リソースブロック番号を示すのに用いられるインジケーション情報を含み、端末デバイスが位置オフセット情報を取得する段階は、物理リソースブロック番号により示される物理リソースブロックに従って、端末デバイスが位置オフセット情報を求める段階を含む。
【００２２】
本解決手段によれば、全ての制御チャネルリソースが同じ物理リソースブロック番号を用い、物理リソースブロック番号の参照点がＭＩＢ又はＲＭＳＩにより通知されてよく、さらに、端末デバイスは、同じ周波数領域参照点に従って、統一された物理リソースブロック番号を周波数領域において取得する。したがって、同じ物理リソースブロック番号を含む制御チャネルリソース集合用に決定された第１シーケンスが同じであり、その結果、重複リソースを有する制御チャネルリソース集合の第１シーケンスが同じである。したがって、複数のユーザによる直交再利用、すなわち、直交ＭＵ−ＭＩＭＯが可能になる。
【００２３】
実現可能な設計例において、本方法はさらに、ネットワークデバイスにより送信されるマスター情報ブロックＭＩＢを端末デバイスが受信する段階であって、ＭＩＢは、ＭＩＢを搬送するブロードキャストチャネルの参照点に対する、制御チャネルリソース集合の第１１相対位置を示すのに用いられるインジケーション情報を含む、段階と、端末デバイスが第１１相対位置に従って参照信号シーケンスから第２シーケンスを取得する段階であって、第２シーケンスは参照信号シーケンスの部分集合であり、第８相対位置は、参照信号シーケンス内の第２シーケンスの少なくとも１つの値の位置である、段階とを含む。本方法において、ＭＩＢは、周波数領域参照点のインジケーション情報を搬送する必要はない。したがって、ＭＩＢのインジケーションオーバヘッドが減少する。さらに、周波数領域参照点は、より多くのリソースを有するＲＭＳＩにより示される。したがって、帯域幅構成がより柔軟になり、使用されている帯域幅のフラグメントが減少し、スペクトル利用率が向上する。第２シーケンスは、ＭＩＢにより構成される第１制御チャネルリソース集合に含まれる参照信号に用いられ、第１制御チャネルリソース集合は制御チャネルの共通探索空間を含み、ＲＭＳＩをスケジューリングするための制御情報を主に搬送する。前述の第１シーケンスは、ＲＲＣにより構成される制御チャネルリソース集合に用いられ、第１制御チャネルリソース集合は、制御チャネルの共通探索空間及び／又は制御チャネルのユーザ固有の探索空間を含み、データをスケジューリングするための制御情報を主に搬送する。
【００２４】
第２態様によれば、本願の一実施形態が、参照信号を取得する方法を提供する。本方法は、ネットワークデバイスが位置オフセット情報を取得する段階と、位置オフセット情報に基づいて第１シーケンスを取得する段階と、参照信号を搬送する制御チャネルリソース集合内のリソースエレメントに第１シーケンスをマッピングする段階とを含む。
【００２５】
実現可能な設計例において、本方法は、ネットワークデバイスが参照信号シーケンスを生成する段階と、参照信号シーケンスから位置オフセット情報に基づいて第１シーケンスを取得する段階であって、第１シーケンスは参照信号シーケンスの部分集合であり、オフセット位置情報は参照信号シーケンス内の第１シーケンスの少なくとも１つの値の位置である、段階とを含む。
【００２６】
実現可能な設計例において、本方法は、ネットワークデバイスがＭＩＢを端末デバイスに送信する段階を含む。ＭＩＢは第１相対位置のインジケーション情報と第２相対位置のインジケーション情報とを含み、第１相対位置は、周波数領域参照点に対する、ＭＩＢを搬送するブロードキャストチャネルの参照点の位置であり、第２相対位置は、ブロードキャストチャネルの参照点に対する制御チャネルリソース集合の相対位置であり、第１相対位置のインジケーション情報と第２相対位置のインジケーション情報とは、位置オフセット情報を示すのに用いられる。
【００２７】
実現可能な設計例において、本方法は、ネットワークデバイスにより送信されるマスター信号ブロックＭＩＢを端末デバイスが受信する段階を含む。ＭＩＢは第３相対位置のインジケーション情報を含み、第３相対位置は、周波数領域参照点に対する、ＭＩＢを搬送するブロードキャストチャネルの参照点の位置であり、第３相対位置のインジケーション情報は、位置オフセット情報を示すのに第４相対位置と共に用いられ、第４相対位置は、ブロードキャストチャネルの参照点に対する制御チャネルリソース集合の相対位置であり、第４相対位置は構成されるか又は事前設定される。
【００２８】
実現可能な設計例において、本方法は、ネットワークデバイスがマスター情報ブロックＭＩＢを端末デバイスに送信する段階を含む。ＭＩＢは、周波数領域参照点に対する制御チャネルリソース集合の第８相対位置情報を示すのに用いられるインジケーション情報を含み、第８相対位置情報のインジケーション情報は位置オフセット情報を示すのに用いられる。
【００２９】
実現可能な設計例において、本方法は、ネットワークデバイスが帯域幅の構成情報を端末デバイスに送信する段階を含む。帯域幅はシステム帯域幅の一部であり、構成情報は第５相対位置のインジケーション情報を含み、第５相対位置は、周波数領域参照点に対する、制御チャネルリソース集合を含む帯域幅の相対位置であり、第５相対位置のインジケーション情報は位置オフセット情報を示すのに用いられる。
【００３０】
実現可能な設計例において、本方法は、ネットワークデバイスが帯域幅の構成情報を端末デバイスに送信する段階を含む。帯域幅はシステム帯域幅の一部であり、構成情報は第６相対位置のインジケーション情報と第７相対位置のインジケーション情報とを含み、第６相対位置は、ＭＩＢを搬送するブロードキャストチャネルの周波数領域位置の参照点に対する、制御チャネルリソース集合を含む帯域幅の相対位置であり、第７相対位置は、周波数領域参照点に対する、ＭＩＢを搬送するブロードキャストチャネルの参照点の位置であり、第６相対位置のインジケーション情報と第７相対位置のインジケーション情報とは、位置オフセット情報を示すのに用いられる。
【００３１】
実現可能な設計例において、本方法は、ネットワークデバイスが制御チャネルリソース集合の構成情報を端末デバイスに送信する段階を含み、制御チャネルリソース集合の構成情報は、位置オフセット情報を示すのに用いられるインジケーション情報を含む。位置オフセット情報を示すのに用いられるインジケーション情報は、制御チャネルリソース集合の物理リソースブロック番号を示すのに用いられるインジケーション情報を含む。
【００３２】
実現可能な設計例において、本方法は、ネットワークデバイスがマスター情報ブロックＭＩＢを送信する段階を含み、ＭＩＢは、ＭＩＢを搬送するブロードキャストチャネルの参照点に対する制御チャネルリソース集合の第１１相対位置を示すのに用いられるインジケーション情報を含む。
【００３３】
第３態様によれば、本願の一実施形態が、参照信号を取得する装置を提供する。本装置は、前述の方法の設計例における端末デバイスの動作を実装するための機能を有する。この機能は、ハードウェアにより実装されてもよく、対応するソフトウェアがハードウェアにより実行されることで実装されてもよい。ハードウェア又はソフトウェアは、前述の機能に対応する１つ又は複数のモジュールを含む。このモジュールは、ソフトウェア及び／又はハードウェアであってよい。
【００３４】
実現可能な設計例において、端末デバイスの構造がプロセッサを含み、プロセッサは、位置オフセット情報を取得して、位置オフセット情報に基づいて第１シーケンスを取得し、制御チャネルリソース集合で搬送される制御チャネル信号を、第１シーケンスを用いて復調し、ダウンリンク制御情報を取得するように構成される。
【００３５】
第４態様によれば、本願の一実施形態が、参照信号を取得する装置を提供する。本装置は、前述の方法の設計例におけるネットワークデバイスの動作を実装するための機能を有する。この機能は、ハードウェアにより実装されてもよく、対応するソフトウェアがハードウェアにより実行されることで実装されてもよい。ハードウェア又はソフトウェアは、前述の機能に対応する１つ又は複数のモジュールを含む。
【００３６】
実現可能な設計例において、本装置の構造がプロセッサを含み、プロセッサは、前述の方法における対応する機能を実行する際に、ネットワークデバイスをサポートするように構成される。ネットワークデバイスはさらに、メモリを含んでよい。メモリは、プロセッサと連結される。メモリは、ネットワークデバイスが必要とするプログラム命令及びデータを格納する。
【００３７】
実現可能な設計例において、第１態様から第４態様の任意の方法では、制御チャネルリソース集合の構成情報は、ランダムアクセス応答ＲＡＲ及び無線リソース制御ＲＲＣシグナリングのうちの少なくとも１つを含み、制御チャネルリソース集合は、タイプ１の共通探索空間ＣＳＳ及び／又は端末固有の探索空間ＵＳＳを含む。
【００３８】
第１態様から第４態様のうちのいずれか１つにおいて、周波数領域参照点は、システムキャリア帯域幅境界若しくは中心周波数領域位置であるか、又はチャネルラスターの候補位置であり、チャネルラスターの候補位置はシステムキャリア帯域幅内の候補サブキャリア位置であり、候補サブキャリア位置は予め定められた位置である。また、ブロードキャストチャネルの参照点は、ブロードキャストチャネルの参照点が位置しているリソースの中心周波数領域位置又は境界である。
【００３９】
第５態様によれば、本願の一実施形態が、参照信号を取得する方法を提供する。本方法は、第１シーケンスを生成するための初期値又は第１シーケンスの長さ情報を端末デバイスが取得する段階と、初期値又は第１シーケンスの長さ情報に基づいて第１シーケンスを生成する段階と、制御チャネルリソース集合で搬送される制御チャネル信号を、第１シーケンスを用いて復調し、ダウンリンク制御情報を取得する段階とを含む。
【００４０】
実現可能な設計例において、本方法は、端末デバイスがＭＩＢを受信する段階であって、ＭＩＢは、制御チャネルリソース集合により占有される時間−周波数リソースを示すのに用いられる情報を含む、段階と、制御チャネルリソース集合により占有される時間−周波数リソースに関する情報に従って、第１シーケンスの長さを求める段階とを含む。
【００４１】
実現可能な設計例において、第１シーケンスを生成するための初期値を端末デバイスが取得する段階は、第１シーケンスを生成するための初期値を含む同期信号、ブロードキャストチャネルスクランブルシーケンス、ブロードキャストチャネル参照信号、又はブロードキャスト情報のうちの１つ又は複数を端末デバイスが取得する段階を含む。
【００４２】
第５態様により提供される解決手段によれば、ＭＩＢは周波数領域参照点のインジケーション情報を含まないので、ＭＩＢのインジケーションシグナリングオーバヘッドを減少させることができる。したがって、端末デバイスは、周波数領域参照に対する位置を取得することができず、参照信号シーケンスを直接生成するか、又は参照信号シーケンスの中心位置から第１シーケンスを省略することしかできない。初期アクセス帯域幅の大きさが制限されているため、周波数領域における異なる周波数帯で送信される制御チャネルリソース集合が周波数領域において互いに重複する可能性は低い。したがって、複数のユーザによる再利用が不可能である。しかしながら、ＲＭＳＩを受信する端末デバイスが、ＲＭＳＩにより構成される参照周波数に従って、第１シーケンスを取得することができ、複数のユーザによる直交再利用、すなわちＭＵ−ＭＩＭＯを、複数の制御チャネルリソース集合間の重複リソース領域で実施することができる。
【００４３】
第６態様によれば、本願の一実施形態が、参照信号を取得する方法を提供する。本方法は、第１シーケンスを生成するための初期値又は第１シーケンスの長さ情報をネットワークデバイスが取得する段階と、初期値又は第１シーケンスの長さ情報に基づいて第１シーケンスを生成する段階と、参照信号を搬送する制御チャネルリソース集合内のリソースエレメントに第１シーケンスをマッピングする段階とを含む。
【００４４】
実現可能な設計例において、本方法は、ネットワークデバイスがＭＩＢを端末デバイスに送信する段階を含み、ＭＩＢは、制御チャネルリソース集合により占有される時間−周波数リソース情報を示すのに用いられるインジケーション情報を含む。
【００４５】
実現可能な設計例において、本方法は、第１シーケンスを生成するための初期値を含む同期信号、ブロードキャストチャネルスクランブルシーケンス、ブロードキャストチャネル参照信号、又はブロードキャスト情報のうちの１つ又は複数を、ネットワークデバイスが端末デバイスに送信する段階を含む。
【００４６】
第７態様によれば、本願の一実施形態が、参照信号を取得する装置を提供する。本装置は、前述の方法の設計例における端末デバイスの動作を実装するための機能を有する。この機能は、ハードウェアにより実装されてもよく、対応するソフトウェアがハードウェアにより実行されることで実装されてもよい。ハードウェア又はソフトウェアは、前述の機能に対応する１つ又は複数のモジュールを含む。このモジュールは、ソフトウェア及び／又はハードウェアであってよい。
【００４７】
実現可能な設計例において、端末デバイスは、第１シーケンスを生成するための初期値又は第１シーケンスの長さ情報を取得し、初期値又は第１シーケンスの長さ情報に基づいて第１シーケンスを生成し、制御チャネルリソース集合で搬送される制御チャネル信号を、第１シーケンスを用いて復調し、ダウンリンク制御情報を取得するように構成されるプロセッサを含む。
【００４８】
第８態様によれば、本願の一実施形態が、参照信号を取得する装置を提供する。本装置は、前述の方法の設計例におけるネットワークデバイスの動作を実装するための機能を有する。この機能は、ハードウェアにより実装されてもよく、対応するソフトウェアがハードウェアにより実行されることで実装されてもよい。ハードウェア又はソフトウェアは、前述の機能に対応する１つ又は複数のモジュールを含む。
【００４９】
実現可能な設計例において、基地局の構造がプロセッサと送信機とを含み、プロセッサは、前述の方法における対応する機能を実行する際に、ネットワークデバイスをサポートするように構成される。ネットワークデバイスはさらに、メモリを含んでよい。メモリは、プロセッサと連結される。メモリは、基地局が必要とするプログラム命令及びデータを格納する。
【００５０】
第９態様によれば、本願の一実施形態がコンピュータ可読記憶媒体を提供する。このコンピュータ可読記憶媒体は、端末デバイスにより用いられるコンピュータソフトウェア命令を格納し、本命令は、第１態様において設計されたプログラムを実行するのに用いられる。
【００５１】
第１０態様によれば、本願の一実施形態が可読記憶媒体を提供する。このコンピュータ可読記憶媒体はネットワークデバイスの命令を格納し、本命令は、第２態様において設計されたプログラムを実行するのに用いられる。
【００５２】
第１１態様によれば、本願の一実施形態がコンピュータ可読記憶媒体を提供する。このコンピュータ可読記憶媒体は端末デバイスの命令を格納し、本命令は、第５態様において設計されたプログラムを実行するのに用いられる。
【００５３】
第１２態様によれば、本願の一実施形態が可読記憶媒体を提供する。このコンピュータ可読記憶媒体はネットワークデバイスの命令を格納し、本命令は、第６態様において設計されたプログラムを実行するのに用いられる。
【００５４】
第１３態様によれば、本願の一実施形態が通信装置を提供する。本装置は、メモリであって、当該メモリはコンピュータによって実行可能なプログラムコードを格納するように構成される、メモリと、プロセッサであって、当該プロセッサが命令を実行すると、本装置は第１態様による方法を実施するように構成される、プロセッサとを含む。
【００５５】
第１４態様によれば、本願の一実施形態が通信装置を提供する。本装置は、メモリであって、当該メモリはコンピュータによって実行可能なプログラムコードを格納するように構成される、メモリと、プロセッサであって、当該プロセッサが命令を実行すると、本装置は第２態様による方法を実施するように構成される、プロセッサとを含む。
【００５６】
第１５態様によれば、本願の一実施形態が、メモリを含む通信装置を提供する。本願の一実施形態が通信装置を提供し、本装置は、メモリであって、当該メモリはコンピュータによって実行可能なプログラムコードを格納するように構成される、メモリと、プロセッサであって、当該プロセッサが命令を実行すると、本装置は第５態様による方法を実施するように構成される、プロセッサとを含む。
【００５７】
第１６態様によれば、本願の一実施形態が通信装置を提供する。本装置は、コンピュータによって実行可能なプログラムコードを格納するように構成されたメモリと、プロセッサであって、当該プロセッサが命令を実行すると、本装置は第６態様による方法を実施するように構成される、プロセッサとを含む。
【図面の簡単な説明】
【００５８】
【図１】本願の一実施形態による通信ネットワークのネットワークアーキテクチャの概略図である。
【００５９】
【図２】本発明の一実施形態による、参照信号を取得する方法の概略フローチャートである。
【００６０】
【図３】本発明の一実施形態による、方式１における第１相対位置とブロードキャストチャネルの参照点との対応関係の概略図である。
【００６１】
【図４】本発明の一実施形態による。方式１における第２相対位置と制御チャネルリソース集合との対応関係の概略図である。
【００６２】
【図５】本発明の一実施形態による、方式１における第１相対位置と第２相対位置との対応関係の概略図である。
【００６３】
【図６】本発明の一実施形態による、方式２における制御チャネルリソース集合と第４相対位置との対応関係の概略図である。
【００６４】
【図７】本発明の一実施形態による、方式２における第３相対位置と第４相対位置との対応関係を示すための概略図である。
【００６５】
【図８】本発明の一実施形態による、方式３におけるオフセット位置４と制御チャネルリソース集合との対応関係の概略図である。
【００６６】
【図９】本発明の一実施形態による、方式４における帯域幅と第５相対位置との対応関係の概略図である。
【００６７】
【図１０】本発明の一実施形態による、方式４における帯域幅と第５相対位置との別の対応関係の概略図である。
【００６８】
【図１１】本発明の一実施形態による、方式４における帯域幅と第５相対位置との別の対応関係の概略図である。
【００６９】
【図１２】本発明の一実施形態による、方式４における帯域幅と第５相対位置との別の対応関係の概略図である。
【００７０】
【図１３】本発明の一実施形態による、方式５におけるブロードキャストチャネルの参照点と第７相対位置との対応関係の概略図である。
【００７１】
【図１４】本発明の一実施形態による、方式５における第６相対位置と第７相対位置との対応関係の概略図である。
【００７２】
【図１５】本発明の一実施形態による、方式６における制御チャネルリソース集合と物理リソースブロック番号との対応関係の概略図である。
【００７３】
【図１６】本発明の一実施形態による、方式６における制御チャネルリソース集合と物理リソースブロック番号との別の対応関係の概略図である。
【００７４】
【図１７】本発明の一実施形態による、参照シーケンスを取得する別の方法の概略フローチャートである。
【００７５】
【図１８】本発明の一実施形態による、参照シーケンスを取得する別の方法の概略フローチャートである。
【００７６】
【図１９】本発明の一実施形態による、参照信号を取得する別の方法の概略フローチャートである。
【００７７】
【図２０】ブロードキャストチャネルの参照点の参照信号シーケンスから省略されたシーケンスの概略図である。
【００７８】
【図２１】本願の一実施形態による参照シーケンスマッピングの概略図である。
【００７９】
【図２２】本願の一実施形態による参照シーケンスマッピングの別の概略図である。
【００８０】
【図２３】本願の一実施形態による、参照信号を取得する装置である。
【００８１】
【図２４】本願の一実施形態による、参照信号を取得する別の装置である。
【００８２】
【図２５】本願の一実施形態による、参照信号を取得する別の装置である。
【００８３】
【図２６】本願の一実施形態による、参照信号を取得する別の装置である。
【００８４】
【図２７】本願の一実施形態による、参照信号を取得する別の装置である。
【発明を実施するための形態】
【００８５】
本願の目的、技術的解決手段、及び利点をより明確にするために、以下では、本発明の実施形態の技術的解決手段を、実施形態及び添付図面を参照してより詳細に説明する。
【００８６】
本願の実施形態による技術的解決手段は、添付図面を参照して以下に明確且つ十分に説明される。説明される実施形態は、本願の実施形態の一部でしかなく、全てではないことは明らかである。本願の実施形態に基づいて当業者が創造的努力をせずに取得する他のあらゆる実施形態は、本願の保護範囲に含まれることになる。
【００８７】
本願の実施形態において説明されるネットワークアーキテクチャ及び応用シナリオは、本願の実施形態の技術的解決手段をより明確に説明することが意図されており、本願の実施形態により提供される技術的解決手段にいかなる限定も設けない。当業者であれば、ネットワークアーキテクチャの進化及び新たなサービスシナリオの出現があっても、本願の実施形態により提供される技術的解決手段は、同様の技術的課題にも適用可能であることを認識しているであろう。
【００８８】
本願の技術的解決手段は、非直交多元接続技術、例えば、スパース符号多元接続（ｓｐａｒｓｅ  ｃｏｄｅ  ｍｕｌｔｉｐｌｅ  ａｃｃｅｓｓ、ＳＣＭＡ）システム及び低密度シグネチャ（ｌｏｗ  ｄｅｎｓｉｔｙ  ｓｉｇｎａｔｕｒｅ、ＬＤＳ）システムに基づく様々な通信システムに適用されてよい。もちろん、ＳＣＭＡシステム及びＬＤＳシステムは、他の名称でも呼ばれることがある。さらに、本願の実施形態の技術的解決手段は、非直交多元接続技術を用いたマルチキャリア伝送システム、例えば、非直交多元接続技術、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）、フィルタバンクマルチキャリア（ｆｉｌｔｅｒ  ｂａｎｋ  ｍｕｌｔｉｃａｒｒｉｅｒ、ＦＢＭＣ）、一般化した周波数分割多重化（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ、ＧＦＤＭ）、又はフィルタ処理された直交周波数分割多重化（ｆｉｌｔｅｒｅｄ−ＯＦＤＭ、Ｆ−ＯＦＤＭ）を用いたシステムに適用されてよい。
【００８９】
本願における端末デバイスが、アクセス端末、加入者ユニット、加入者局、移動局、移動局、遠隔局、遠隔端末、モバイルデバイス、ユーザ端末、端末、無線通信デバイス、ユーザエージェント、又はユーザ装置であってもよい。アクセス端末は、セルラ方式電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）ステーション、携帯情報端末（ｐｅｒｓｏｎａｌ  ｄｉｇｉｔａｌ  ａｓｓｉｓｔａｎｔ、ＰＤＡ）、無線通信機能を備えたハンドヘルドデバイス、コンピューティングデバイス、無線モデムに接続された別の処理デバイス、車載デバイス、ウェアラブルデバイス、将来の５Ｇネットワークにおける端末デバイス、又は将来の進化した公衆陸上移動体ネットワーク（ｐｕｂｌｉｃ  ｌａｎｄ  ｍｏｂｉｌｅ  ｎｅｔｗｏｒｋ、ＰＬＭＮ）における端末デバイスなどであってもよい。これについては、本願の実施形態において限定されない。
【００９０】
本願におけるネットワークデバイスが、端末デバイスと通信するデバイスであってよい。ネットワークデバイスは、移動体通信用グローバルシステム（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））システム若しくは符号分割多元接続（ｃｏｄｅ  ｄｉｖｉｓｉｏｎ  ｍｕｌｔｉｐｌｅ  ａｃｃｅｓｓ、ＣＤＭＡ）システムにおけるベーストランシーバ基地局（ｂａｓｅ  ｔｒａｎｓｃｅｉｖｅｒ  ｓｔａｔｉｏｎ、ＢＴＳ）であってもよく、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システムにおけるＮｏｄｅＢ（ＮｏｄｅＢ、ＮＢ）であってもよく、ＬＴＥシステムにおける進化型ＮｏｄｅＢ（ｅｖｏｌｖｅｄ  ＮｏｄｅＢ、ｅＮＢ、又はｅＮｏｄｅＢ）であってもよく、クラウド無線アクセスネットワーク（ｃｌｏｕｄ  ｒａｄｉｏ  ａｃｃｅｓｓ  ｎｅｔｗｏｒｋ、ＣＲＡＮ）シナリオにおける無線コントローラであってもよい。あるいは、ネットワークデバイスは、中継局、アクセスポイント、車載デバイス、ウェアラブルデバイス、将来の５Ｇネットワークにおけるネットワークデバイス、又は将来の進化したＰＬＭＮネットワークにおけるネットワークデバイスなどであってもよい。これについては、本願の実施形態において限定されない。
【００９１】
図１を参照すると、図１は、本願の一実施形態による通信ネットワークのネットワークアーキテクチャの概略図である。図１に示すように、通信システムは、端末デバイス１０とネットワークデバイス２０とを含んでよい。ネットワークデバイス２０は、通信サービスを端末デバイス１０に提供し、コアネットワークにアクセスするように構成される。端末デバイス１０は、ネットワークデバイス２０により送信される同期信号又はブロードキャスト信号などを探索してネットワークにアクセスし、ネットワークデバイスと通信する。図１に示す矢印が、端末デバイス１０とネットワークデバイス２０との間のセルラリンクを用いて行われるアップリンク伝送及び／又はダウンリンク伝送を示し得る。説明しやすいように、図１の説明の一例として、端末デバイスが１つだけ用いられている。しかしながら、ネットワークアーキテクチャは、限定されないが、１つの端末デバイスを含む。
【００９２】
本願では、用語「シンボル」は、限定されないが、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル、スパース符号多元接続技術（ｓｐａｒｓｅ  ｃｏｄｅ  ｍｕｌｔｉｐｌｅｘｉｎｇ  ａｃｃｅｓｓ、ＳＣＭＡ）シンボル、フィルタ処理された直交周波数分割多重化（ｆｉｌｔｅｒｅｄ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ、Ｆ−ＯＦＤＭ）シンボル、又は非直交多元接続（ｎｏｎ−ｏｒｔｈｏｇｏｎａｌ  ｍｕｌｔｉｐｌｅ  ａｃｃｅｓｓ、ＮＯＭＡ）シンボルを含み、これについては、実際の場面に従って決定されてよい。詳細は、ここで説明しない。
【００９３】
本願では、用語「サブフレーム」は、周波数領域においてシステム帯域幅全体を占有する時間−周波数リソース、又は時間領域における固定期間（例えば、１ミリ秒）の時間−周波数リソースエレメントである。
【００９４】
本願では、用語「タイムスロット」は、基本的な時間−周波数リソースエレメントであり、時間領域において７個又は１４個の連続したＯＦＤＭシンボルを占有する。
【００９５】
本願では、用語「サブキャリア幅」は、周波数領域における最小粒度である。例えば、ＬＴＥでは、サブキャリアのサブキャリア幅が１５ｋＨｚであり、５Ｇでは、サブキャリア幅が１５ｋＨｚ、３０ｋＨｚ、又は６０ｋＨｚであってもよい。
【００９６】
本願では、用語「物理リソースブロック」は、周波数領域において占有されるＰ個の連続したサブキャリアであり、時間領域において占有されるリソースが、Ｑ個の連続したＯＦＤＭシンボルである。Ｐ及びＱは、１より大きい又は１と等しい自然数である。例えば、物理リソースブロックが周波数領域において１２個の連続したサブキャリアを占有してもよく、また時間領域において７個の連続したＯＦＤＭシンボルを占有してもよい（Ｐ＝１２、Ｑ＝７）。又は、Ｐ＝１２且つＱ＝１４でも、Ｐ＝１２且つＱ＝１でもよい。
【００９７】
本願における物理リソースブロック番号とは、次のとおりであり、物理リソースブロック番号が、実際の物理リソースブロックの周波数領域位置に対応する。例えば、物理リソースブロック番号がｎであるならば、周波数領域における、対応する１２個の連続したサブキャリア番号の集合は｛ｎ，ｎ＋１，ｎ＋２，ｎ＋３，ｎ＋５，ｎ＋６，ｎ＋７，ｎ＋８，ｎ＋９，ｎ＋１０，ｎ＋１１｝である。物理リソースブロック番号は、システムキャリア帯域幅に含まれる物理リソースブロックの番号であってもよく、物理リソースブロック番号は、システムキャリア帯域幅内のサブバンドにおける物理リソースブロックの番号である。
【００９８】
本願では、用語「リソースエレメントグループ」は、周波数領域において占有されるＰ個の連続したサブキャリアであり、時間領域において占有されるリソースが、１つの連続したＯＦＤＭシンボルである。Ｐは、１より大きい自然数である。例えば、リソースエレメントグループが、周波数領域において１２個の連続したサブキャリアを占有してよい。具体的には、Ｐ＝１２である。
【００９９】
本願では、用語「制御チャネルエレメント」は複数のリソースエレメントグループに対応し、制御チャネルエレメントに対応するリソースエレメントグループの数が固定されている（例えば、６個である）。
【０１００】
本願では、用語「制御チャネルリソース集合」は、制御チャネルを搬送する時間−周波数リソースであり、時間領域及び／又は周波数領域において、１つ又は複数の連続した若しくは離散した時間−周波数リソースブロックを含む。
【０１０１】
本願では、用語「位置オフセット情報」は、参照点に対する物理チャネルのオフセットを求めるのに用いられるインジケーション情報である。具体的には、物理チャネルが位置している時間−周波数リソースの、参照点に対するオフセットが、位置オフセット情報に基づいて取得されてよく、オフセットの単位が、物理リソースブロックの数、サブキャリアの数、又はＲＥＧの数などであってもよい。
【０１０２】
本願では、「第１」、「第２」、「第３」、「第４」、「第５」、「第６」、「第７」、「第８」、及び「第９」などの序数が、複数の対象物のシーケンス、時間シーケンス、優先順位、又は重要度などを限定するのではなく、複数の対象物を区別するのに用いられる。
【０１０３】
本願では、「周波数領域参照点」が、システムキャリア帯域幅境界又は中心周波数領域位置（例えば、中心周波数）、例えば、システムキャリア帯域幅内の最小サブキャリア、システムキャリア帯域幅内の最大サブキャリア、又はシステムキャリア帯域幅内の中心サブキャリアであってもよく、周波数領域参照点がチャネルラスターの候補位置であってもよく、チャネルラスターの候補位置はシステム帯域幅内のチャネルラスターのサブキャリア位置に対応し、チャネルラスターのサブキャリア位置は予め定められた位置である。例えば、システムキャリア帯域幅には、１つのチャネルラスターのサブキャリア位置が３００ｋＨｚの間隔で含まれる。
【０１０４】
本願では、「ブロードキャストチャネルの参照点」が、ブロードキャストチャネルが位置しているリソースの中心周波数領域位置又は境界であってもよく、ブロードキャストチャネルが位置しているリソースの中心周波数領域位置又は境界、例えば、ブロードキャストチャネルが位置しているリソースの最小サブキャリア、ブロードキャストチャネルが位置しているリソースの最大サブキャリア、又はブロードキャストチャネルの参照点が位置しているリソースの中心サブキャリアであってもよい。
【０１０５】
本願では、「ブロードキャストチャネルの参照点又は周波数領域参照点に対する制御チャネルリソース集合の相対位置」が、ブロードキャストチャネルの参照点又は周波数領域参照点に対する制御チャネルリソース集合の周波数領域境界の位置又は周波数領域中心位置を含む。周波数領域境界は、制御チャネルリソース集合における最小サブキャリア又は最大サブキャリアを含む。
【０１０６】
「ブロードキャストチャネルの参照点又は周波数領域参照点に対する帯域幅の相対位置」は、ブロードキャストチャネルの参照点又は周波数領域参照点に対する、帯域幅の周波数領域境界の位置又は周波数領域中心位置を含む。周波数領域境界は、制御チャネルリソース集合における最小サブキャリア又は最大サブキャリアを含む。
【０１０７】
図２は、本発明の一実施形態による、参照信号を取得する方法の概略フローチャートである。図２に示すように、本方法は以下に挙げる要素を含む。
【０１０８】
要素２０１：ネットワークデバイスが位置オフセット情報を取得する。
【０１０９】
要素２０２：ネットワークデバイスは、位置オフセット情報に基づいて第１シーケンスを取得する。
【０１１０】
一例において、ネットワークデバイスが位置オフセット情報に基づいて第１シーケンスを取得する段階は、ネットワークデバイスが位置オフセット情報に基づいて第１シーケンスを取得する段階、又はネットワークデバイスが位置オフセット情報に基づいて第１シーケンスを生成する段階を含む。
【０１１１】
別の例において、本方法はさらに、ネットワークデバイスが参照信号シーケンスを生成する段階を含む。参照信号シーケンスを生成する段階と要素２０１との間に順序は存在しないことを特に強調しておきたい。具体的には、参照信号シーケンスが最初に生成されてよく、次いで、位置オフセット情報が取得されるか、又は、位置オフセット情報が最初に取得され、次いで、参照信号シーケンスが生成される。
【０１１２】
ネットワークデバイスが位置オフセット情報に基づいて第１シーケンスを取得する段階は、ネットワークデバイスが位置オフセット情報に基づいて第１シーケンスを参照信号シーケンスから取得する段階を含み、第１シーケンスは参照信号シーケンスの部分集合であり、位置オフセット情報は、参照信号シーケンス内の第１シーケンスの少なくとも１つの値の位置である。
【０１１３】
別の例において、ネットワークデバイスが位置オフセット情報を取得する段階は、ネットワークデバイスが、第１シーケンスをマッピングするために、リソースエレメントの位置に従って位置オフセット情報を求め得る段階を含む。制御チャネルリソース集合は、リソースエレメントを含む。
【０１１４】
要素２０３：ネットワークデバイスは、参照信号を搬送する制御チャネルリソース集合内のリソースエレメントに、第１シーケンスをマッピングする。
【０１１５】
一例において、ネットワークデバイスはＭＩＢを端末デバイスに送信し、ＭＩＢは第１相対位置のインジケーション情報と第２相対位置のインジケーション情報とを含み、第１相対位置は、周波数領域参照点に対する、ＭＩＢを搬送するブロードキャストチャネルの参照点の位置であり、第２相対位置は、ブロードキャストチャネルの参照点に対する制御チャネルリソース集合の相対位置であり、第１相対位置のインジケーション情報と第２相対位置のインジケーション情報とは、位置オフセット情報を示すのに用いられる。
【０１１６】
別の例において、端末デバイスは、ネットワークデバイスにより送信されるマスター信号ブロックＭＩＢを受信し、ＭＩＢは第３相対位置のインジケーション情報を含み、第３相対位置は、周波数領域参照点に対する、ＭＩＢを搬送するブロードキャストチャネルの参照点の位置であり、第３相対位置のインジケーション情報は、位置オフセット情報を示すのに第４相対位置と共に用いられ、第４相対位置は、ブロードキャストチャネルの参照点に対する制御チャネルリソース集合の相対位置であり、第４相対位置は構成されるか又は事前設定される。
【０１１７】
別の例において、ネットワークデバイスはマスター情報ブロックＭＩＢを端末デバイスに送信し、ＭＩＢは、周波数領域参照点に対する制御チャネルリソース集合の第８相対位置情報を示すのに用いられるインジケーション情報を含み、第８相対位置情報のインジケーション情報は位置オフセット情報を示すのに用いられる。
【０１１８】
別の例において、ネットワークデバイスは帯域幅の構成情報を端末デバイスに送信し、構成情報は第５相対位置のインジケーション情報を含み、第５相対位置は、周波数領域参照点に対する、制御チャネルリソース集合のシステム帯域幅部分集合の相対位置であり、第５相対位置のインジケーション情報は位置オフセット情報を示すのに用いられる。
【０１１９】
別の例において、ネットワークデバイスは帯域幅の構成情報を端末デバイスに送信する。構成情報は第６相対位置のインジケーション情報と第７相対位置のインジケーション情報とを含み、第６相対位置は、ＭＩＢを搬送するブロードキャストチャネルの周波数領域位置の参照点に対する、制御チャネルリソース集合を含む帯域幅の相対位置であり、第７相対位置は、周波数領域参照点に対する、ＭＩＢを搬送するブロードキャストチャネルの参照点の位置であり、第６相対位置のインジケーション情報と第７相対位置のインジケーション情報とは、位置オフセット情報を示すのに用いられる。
【０１２０】
別の例において、ネットワークデバイスは制御チャネルリソース集合の構成情報を端末デバイスに送信し、制御チャネルリソース集合の構成情報は、位置オフセット情報を示すのに用いられるインジケーション情報を含む。例えば、位置オフセット情報を示すのに用いられるインジケーション情報は、制御チャネルリソース集合の物理リソースブロック番号を示すのに用いられるインジケーション情報を含む。
【０１２１】
別の例において、ネットワークデバイスが位置オフセット情報を取得する段階は、第１シーケンスをマッピングするために、リソースエレメントの位置に従って位置オフセット情報を求める段階を含み、制御チャネルリソース集合は第１シーケンスのリソースエレメントを含む。
【０１２２】
別の例において、第１シーケンスに対応する複素数値変調シンボルが、第１シーケンスに従って取得される。ネットワークデバイスは、複素数値変調シンボルを、予め定められた制御チャネル参照信号リソースエレメントにマッピングし、制御チャネルを送信する。
【０１２３】
要素２０４：端末デバイスが位置オフセット情報を取得する。
【０１２４】
一例において、端末デバイスが、以下に挙げる方式のうちのいずれか１つで、位置オフセット情報を取得してよい。
【０１２５】
方式１：端末デバイスは、ネットワークデバイスにより送信されるマスター情報ブロックＭＩＢを受信する。ＭＩＢは第１相対位置を示すのに用いられるインジケーション情報と第２相対位置を示すのに用いられるインジケーション情報とを含み、第１相対位置は、周波数領域参照点に対する、ＭＩＢを搬送するブロードキャストチャネルの参照点の位置であり、第２相対位置は、ブロードキャストチャネルの参照点に対する制御チャネルリソース集合の相対位置である。また、端末デバイスが位置オフセット情報を取得する段階は、端末デバイスが、第１相対位置のインジケーション情報により示される第１相対位置と第２相対位置のインジケーション情報により示される第２相対位置とに従って、位置オフセット情報を求める段階を含む。
【０１２６】
方式１において提供される解決手段によれば、複数のブロードキャストチャネルの参照点が異なる周波数領域位置において送信される場合、異なるブロードキャストチャネルの参照点のために構成された制御チャネルリソースにより用いられる参照信号が、同じシーケンスから選択される。さらに、複数の制御チャネルリソースが互いに重複したとしても、重複領域における第１シーケンスが同じであり、さらに、複数のユーザによるリソース再利用、例えば直交ＭＵ−ＭＩＭＯが、重複リソース領域において実施され得る。さらに、ＭＩＢは制御チャネルリソースの位置オフセット情報を含む。これは上位互換性に有利であり、隣接セルにより制御チャネルリソースで送信される信号からの干渉を柔軟に回避することができる。
【０１２７】
図３は、方式１における第１相対位置とブロードキャストチャネルの参照点との対応関係の概略図である。図３に示すように、各ブロードキャストチャネルの参照点が第１相対位置に対応する。
【０１２８】
例えば、第１相対位置は、周波数領域参照点に対するブロードキャストチャネルの参照点の、物理リソースブロックの単位数のオフセットであってよい。本実施形態では、オフセット物理リソースブロックの数のみが、オフセットを示すのに一例として用いられている。実際のオフセットが、他のリソース単位として予め定められてよく、本明細書では限定されない。
【０１２９】
方式１では、端末デバイスは、ネットワークデバイスにより送信されるマスター信号ブロックＭＩＢを受信し、ＭＩＢは、周波数領域参照点に対する、ＭＩＢを搬送するブロードキャストチャネルの参照点の第１相対位置を示すのに用いられるインジケーション情報を含む。例えば、第１相対位置の値については、表１を参照されたい。例えば、ブロードキャストチャネルの参照点２に対応するインジケーション情報が００１であり、第１相対位置２は｛＋ＮＯｆｆｓｅｔＲＢ｝である。
【表１】
2020530736.tif 000003
【０１３０】
例えば、ＭＩＢに含まれるブロードキャストチャネルの参照点１のインジケーション情報が｛０１１｝であり、ブロードキャストチャネルの参照点と、インジケーション情報と、第１相対位置との対応関係に従って、ブロードキャストチャネルの参照点に対応する第１相対位置２が｛−ＮＯｆｆｓｅｔＲＢ｝であると判定されてよい。同様に、ブロードキャストチャネルの参照点２のインジケーション情報が｛００１｝であり、第１相対位置４が｛＋ＮＯｆｆｓｅｔＲＢ｝であり、ブロードキャストチャネルの参照点３に対応するインジケーション情報が｛１００｝であり、第１相対位置１が｛−２ＮＯｆｆｓｅｔＲＢ｝であり、ブロードキャストチャネルの参照点４に対応するインジケーション情報が｛０１０｝であり、第１相対位置５が｛＋２ＮＯｆｆｓｅｔＲＢ｝であり、ブロードキャストチャネルの参照点０に対応するインジケーション情報が｛１００｝であり、第１相対位置５が｛０｝である。
【０１３１】
例えば、ブロードキャストチャネルの参照点と、インジケーション情報と、第１相対位置との対応関係は、ネットワークデバイス及び端末デバイスにより予め定められてもよく、プロトコルにより指定されてもよく、予め構成されてもよい。これについては、本願において具体的に限定されず、ブロードキャストチャネルの参照点と、インジケーション情報と、第１相対位置との対応関係が反映され得る限り、本願の保護範囲に含まれることになる。
【０１３２】
例えば、ネットワークデバイスにより送信され、端末デバイスにより受信されるマスター信号ブロックＭＩＢはさらに、ブロードキャストチャネルの参照点に対する制御チャネルリソース集合の第２相対位置を示すのに用いられるインジケーション情報を含む。図４は、方式１における制御チャネルリソース集合と第２相対位置との対応関係の概略図である。図４に示すように、ブロードキャストチャネルの参照点０の中心サブキャリアが中心周波数に位置しており、第２相対位置は、ブロードキャストチャネルの参照点０に対する制御チャネルリソース集合の相対位置である。
【０１３３】
表２に示すように、ＭＩＢに含まれる制御チャネルリソース集合０に対応するインジケーション情報が０００であり、第２相対位置が｛−２ＮＣＯＲＥＳＥＴ＿ｏｆｆｓｅｔＲＢ｝である。ＭＩＢに含まれる制御チャネルリソース集合１に対応するインジケーション情報が００１であり、第２相対位置が｛−２ＮＣＯＲＥＳＥＴ＿ｏｆｆｓｅｔＲＢ｝である。ブロードキャストチャネルの参照点と、インジケーション情報と、第２相対位置との対応関係に基づいて、ブロードキャストチャネルの参照点の中心位置に対する制御チャネルリソース集合のリソース位置オフセットが、インジケーション情報に従って求められてよい。
【表２】
2020530736.tif 000004
【０１３４】
図５は、方式１における第１相対位置と第２相対位置との対応関係の概略図である。図５に示すように、制御チャネルリソース集合４の位置オフセット情報が、第１相対位置４及び第２相対位置４に従って求められ、第１相対位置４は｛＋ＮＯｆｆｓｅｔＲＢ｝であり、第２相対位置４は｛＋２ＮＣＯＲＥＳＥＴ＿ｏｆｆｓｅｔＲＢ｝である。したがって、制御チャネルリソース集合４のオフセット位置が｛ＮＯｆｆｓｅｔＲＢ＋２ＮＣＯＲＥＳＥＴ＿ｏｆｆｓｅｔＲＢ｝である。
【０１３５】
位置オフセット情報は、第１相対位置及び第２相対位置に従って、以下に挙げる方法のうちのいずれか１つを用いて取得されてよく、その方法とは、例えば、第１相対位置及び第２相対位置に対して、加法処理、差引処理、乗法処理、又は除法処理のうちの１つ又は複数を行って位置オフセット情報を求めることであることを特に強調しておきたい。
【０１３６】
さらに、端末デバイスは、オフセット位置（ＮＯｆｆｓｅｔＲＢ＋２ＮＣＯＲＥＳＥＴ＿ｏｆｆｓｅｔＲＢ）に基づいて第１シーケンスを取得する。
【０１３７】
例えば、端末デバイスが位置オフセット情報に基づいて第１シーケンスを取得する段階は、以下に挙げることを含む。
【０１３８】
Ａ：端末デバイスは、式（１）を用いて参照信号シーケンスを生成してよい。
【数１】
2020530736.tif 000005
ここで、Ｎｍａｘ，ＤＬＲＢは、システムキャリア帯域幅に含まれる物理リソースブロックの最大値を示し、ｎＲＢＲＥは、各物理リソースブロックに含まれるリソースエレメントの数であり、参照チャネルをマッピングするのに用いられる。
【０１３９】
Ｂ：端末デバイスは、位置オフセット情報に基づいて、第１シーケンスを参照信号シーケンスから取得する。
【０１４０】
例えば、オフセット位置における第１シーケンスの長さＮＲＳに従って、第１シーケンスの値範囲がｋ＝０，１，２，...，ＮＲＳ−１であり、取得された第１シーケンスはｒ（ｋ＋オフセット位置）であってよく、オフセット位置により示されるオフセットが｛ＮＯｆｆｓｅｔＲＢ＋２ＮＣＯＲＥＳＥＴ＿ｏｆｆｓｅｔＲＢ｝である。具体的には、位置オフセット情報＝｛ＮＯｆｆｓｅｔＲＢ＋２ＮＣＯＲＥＳＥＴ＿ｏｆｆｓｅｔＲＢ｝である。
【０１４１】
例えば、ブロードキャストチャネルの参照点と、インジケーション情報と、第１相対位置又は第２相対位置との対応関係は、ネットワークデバイス及び端末デバイスにより予め定められてもよく、プロトコルにより指定されてもよく、予め構成されてもよい。これについては、本願において具体的に限定されず、ブロードキャストチャネルの参照点と、インジケーション情報と、第１相対位置との対応関係が反映され得る限り、本願の保護範囲に含まれることになる。
【０１４２】
方式２：端末デバイスは、ネットワークデバイスにより送信されるマスター信号ブロックＭＩＢを受信し、ＭＩＢは第３相対位置を示すのに用いられるインジケーション情報を含み、第３相対位置は、周波数領域参照点に対する、ＭＩＢを搬送するブロードキャストチャネルの参照点の位置である。また、端末デバイスが位置オフセット情報を取得する段階は、第３相対位置のインジケーション情報により示される第３相対位置と第４相対位置とに従って、端末デバイスが位置オフセット情報を求める段階を含み、第４相対位置は、ブロードキャストチャネルの参照点に対する制御チャネルリソース集合の相対位置であり、第４相対位置は構成されるか又は事前設定される。
【０１４３】
方式２の解決手段によれば、複数のブロードキャストチャネルの参照点が異なる周波数領域位置において送信される場合、異なるブロードキャストチャネルの参照点のために構成された制御チャネルリソースにより用いられる参照信号が、同じシーケンスから選択される。さらに、複数の制御チャネルリソースが互いに重複したとしても、重複領域における第１シーケンスが同じであり、さらに、複数のユーザによるリソース再利用、例えば直交ＭＵ−ＭＩＭＯが、重複リソース領域において実施され得る。
【０１４４】
方式２において第３相対位置を示す方式については、方式１において第３相対位置を示す方式を参照できることに特に留意されたい。詳細は、再度ここで説明しない。
【０１４５】
位置オフセット情報は、第３相対位置及び第４相対位置に従って、以下に挙げる方法のうちのいずれか１つを用いて取得されてよく、その方法とは、例えば、第３相対位置及び第４相対位置に対して、加法処理、差引処理、乗法処理、又は除法処理のうちの１つ又は複数を行って位置オフセット情報を求めることであることを特に強調しておきたい。
【０１４６】
図６は、方式２における制御チャネルリソース集合と第４相対位置との対応関係の概略図である。図６に示すように、第４相対位置は、ブロードキャストチャネルの参照点０に対する制御チャネルリソース集合の相対位置である。例えば、制御チャネルリソース集合のリソースの中心サブキャリアの位置が、ブロードキャストチャネルの参照点の中心サブキャリアの位置と同じである。さらに、第４相対位置は構成されるか又は事前設定される。
【０１４７】
ブロードキャストチャネルの参照点に対する制御チャネルリソース集合の位置は、方式２では固定されているが、制御チャネルリソース集合に含まれる時間−周波数リソースの大きさが可変であるかどうかは限定されないことに特に留意されたい。
【０１４８】
図７は、方式２における第３相対位置と事前設定された第４相対位置とを示す概略図である。図７に示すように、制御チャネルリソース集合４の位置オフセット情報が、第３相対位置４及び第４相対位置４に従って求められる。ＭＩＢに含まれるインジケーション情報が００１であると仮定すると、方式１の表１によれば、第３相対位置４が｛＋ＮＯｆｆｓｅｔＲＢ｝であることが分かり、ブロードキャストチャネルの参照点に対する制御チャネルリソース集合のリソース位置が予め定められ、０である。すなわち、第４相対位置は、ブロードキャストチャネルの参照点の中心位置として予め定められる。したがって、制御チャネルリソース集合０の位置オフセット情報が｛＋ＮＯｆｆｓｅｔＲＢ｝である。
【０１４９】
位置オフセット情報（＋ＮＯｆｆｓｅｔＲＢ）に基づいて端末デバイスが第１シーケンスを取得する方式については、方式１において位置オフセット情報に基づいて第１シーケンスを取得する方式を参照されたい。詳細は、再度ここで説明しない。
【０１５０】
方式３：端末デバイスはマスター情報ブロックＭＩＢを受信し、ＭＩＢは、周波数領域参照点に対する制御チャネルリソース集合の第８相対位置情報を示すのに用いられるインジケーション情報を含み、端末デバイスが位置オフセット情報を取得する段階は、第８相対位置のインジケーション情報に対応する第８相対位置に従って、端末デバイスが位置オフセット情報を求める段階を含む。
【０１５１】
方式３において提供される解決手段によれば、複数のブロードキャストチャネルの参照点が異なる周波数領域位置において送信される場合、異なるブロードキャストチャネルの参照点のために構成された制御チャネルリソースにより用いられる参照信号が、同じシーケンスから選択される。さらに、複数の制御チャネルリソースが互いに重複したとしても、重複領域における第１シーケンスが同じであり、さらに、複数のユーザによるリソース再利用、例えば直交ＭＵ−ＭＩＭＯが、重複リソース領域において実施され得る。さらに、ブロードキャストチャネルの参照点に対する制御チャネルの参照位置と、周波数領域参照点に対するブロードキャストチャネルの参照点の位置情報とが、共に符号化され得る。これにより、コーディング効率が向上し、インジケーションシグナリングオーバヘッドが減少する。
【０１５２】
例えば、端末デバイスは、周波数領域参照点に対する制御チャネルリソース集合の第８相対位置を示すのに用いられるインジケーション情報を受信する。例えば、インジケーション情報は、表３に示すように０１１であり、インジケーション情報００１は、制御チャネルリソース集合０のオフセット位置４が｛＋ＮＣＯＲＥＳＥＴ＿ｏｆｆｓｅｔＲＢ｝であることを表す。
【表３】
2020530736.tif 000006
【０１５３】
図８は、方式３におけるオフセット位置４の情報の概略構造図である。図８に示すように、表４によれば、制御チャネルリソース集合３に対応する第８相対位置が｛＋ＮＣＯＲＥＳＥＴ＿ｏｆｆｓｅｔＲＢ｝であることが分かる。
【０１５４】
端末デバイスは、第８相対位置に従って、位置オフセット情報が｛＋ＮＣＯＲＥＳＥＴ＿ｏｆｆｓｅｔＲＢ｝であると判定する。位置オフセット情報に基づいて第１シーケンスを取得する方式については、方式１において位置オフセット情報に基づいて第１シーケンスを取得する方式を参照されたい。詳細は、再度ここで説明しない。
【０１５５】
例えば、制御チャネルリソース集合と、インジケーション情報と、第８相対位置との対応関係は、ネットワークデバイス及び端末デバイスにより予め定められてもよく、プロトコルにより指定されてもよく、予め構成されてもよい。これについては、本願において具体的に限定されず、制御チャネルリソース集合と、インジケーション情報と、第８相対位置との対応関係が反映され得る限り、本願の保護範囲に含まれることになる。
【０１５６】
方式４：端末デバイスは帯域幅の構成情報を受信し、構成情報は第５相対位置のインジケーション情報を含み、第５相対位置は、周波数領域参照点に対する、制御チャネルリソース集合を含む帯域幅の相対位置であり、端末デバイスが位置オフセット情報を取得する段階は、端末デバイスが、第５相対位置のインジケーション情報により示される第５相対位置に従って、位置オフセット情報を求める段階を含む。
【０１５７】
方式４において提供される解決手段によれば、帯域幅の構成情報は、ＭＩＢ以外のＲＭＳＩで搬送されてよい。したがって、ＭＩＢのインジケーションシグナリングオーバヘッドが減少する。さらに、ＲＭＳＩはより多くのビット情報を搬送してよく、さらに、周波数領域における帯域幅サブバンドのオフセットがより柔軟であってよく、すなわち、周波数領域におけるオフセット粒度がより小さくてよい。したがって、帯域幅サブバンドのオフセットはより柔軟であり、リソース利用率が向上し得る。
【０１５８】
例えば、ネットワークデバイスは上位層シグナリングを端末デバイスに送信し、上位層シグナリングはシステム帯域幅の構成情報を含み、上位層シグナリングは、ＲＲＣシグナリング、システム情報、又はＲＭＳＩ情報などのうちの少なくとも１つを含む。
【０１５９】
中心周波数に対する帯域幅の中心周波数のオフセットが、以下のうちの少なくとも１つを含んでよい。
【０１６０】
例えば、上位層シグナリングは、明示的なシグナリングを用いて、第５相対位置が値集合内の少なくとも１つの値であり得ることを示してよい。図９に示すように、値集合は予め定められてよい。例えば、値集合は、｛−２ＮＯｆｆｓｅｔ＿ＢＰＲＢ，−ＮＯｆｆｓｅｔ＿ＢＰＲＢ，０，＋ＮＯｆｆｓｅｔ＿ＢＰＲＢ，＋２ＮＯｆｆｓｅｔ＿ＢＰＲＢ｝であってよい。図９に示すように、帯域幅０の第５相対位置１が｛−２ＮＯｆｆｓｅｔ＿ＢＰＲＢ｝であり、帯域幅１の第１相対位置２が｛−ＮＯｆｆｓｅｔ＿ＢＰＲＢ｝であり、帯域幅２の第５相対位置３が｛０｝であり、帯域幅３の第５相対位置３が｛＋ＮＯｆｆｓｅｔ＿ＢＰＲＢ｝であり、帯域幅４の第５相対位置２が｛＋２ＮＯｆｆｓｅｔ＿ＢＰＲＢ｝である。
【０１６１】
予め定められた値集合内の少なくとも１つの値が、システム帯域幅サブバンドに含まれる制御チャネルリソース集合に対応することに特に留意されたい。予め定められた値集合は、予め定められてもよく、プロトコルで指定されてもよく、予め構成されてもよい。これについては、本願において具体的に限定されない。
【０１６２】
別の例では、ネットワークデバイスにより端末デバイスに送信される上位層シグナリングは、帯域幅の数と共に帯域幅の構成情報を含み、各サブバンドにより占有される周波数領域リソースの大きさが等しい。上位層シグナリングは、システム情報、ＲＭＳＩ（Ｒｅｍａｉｎｉｎｇ  ｍｉｎｉｍｕｍ  ｓｙｓｔｅｍ  ｉｎｆｏｒｍａｔｉｏｎ）、又はＲＲＣシグナリングなどを含む。
【０１６３】
別の例では、表４に示すように、端末デバイスは、帯域幅の数と部分集合の番号とに基づいて、第４オフセット位置情報を求めてよい。
【表４】
2020530736.tif 000007
【０１６４】
図１０に示すように、システムキャリア帯域幅は、上位層シグナリングを用いて構成される２つの部分集合（帯域幅０及び帯域幅１）を含む。周波数領域においてダウンリンクシステムキャリア帯域幅に含まれる物理リソースブロックの最大数がＮｍａｘＤＬである、又はダウンリンクシステムキャリア帯域幅に含まれるサブバンド帯域幅内の物理リソースブロックの数がＮｍａｘ＿ＢＰＤＬであり、Ｎｍａｘ＿ＢＰＤＬ又はＮｍａｘＤＬの値が、システムにより予め定められる値である。第５相対位置の値が、含まれる帯域幅の数に基づいて求められてよい。例えば、帯域幅の数が２個の場合、第５相対位置は｛−ＮｍａｘＤＬ／４，＋ＮｍａｘＤＬ／４｝である。この場合、制御チャネルリソース集合の帯域幅０に対応する第５相対位置が｛−ＮｍａｘＤＬ／４｝又は｛＋ＮｍａｘＤＬ／４｝であることが示される。
【０１６５】
図１１に示すように、システムキャリア帯域幅は、表５に示すような、上位層シグナリングを用いて構成される３つの帯域幅（帯域幅０、帯域幅１、及び帯域幅２）を含む。
【表５】
2020530736.tif 000008
【０１６６】
周波数領域においてダウンリンクシステムキャリア帯域幅に含まれる物理リソースブロックの最大数が、ＮｍａｘＤＬである。この場合、含まれる帯域幅の数に基づいて、第５相対位置の値が｛−ＮｍａｘＤＬ／３，０，＋ＮｍａｘＤＬ／３｝であることが求められてよい。制御チャネルリソース集合が帯域幅０の範囲内にあることが示される場合、第５相対位置０が｛−ＮｍａｘＤＬ／３｝であるが、第５相対位置１が｛０｝であり、第５相対位置２が｛＋ＮｍａｘＤＬ／３｝である。
【０１６７】
例えば、帯域幅と、インジケーション情報と、第５相対位置との対応関係は、ネットワークデバイス及び端末デバイスにより予め定められてもよく、プロトコルで指定されてもよく、予め構成されてもよい。これについては、本願において具体的に限定されず、帯域幅と、インジケーション情報と、第５相対位置との対応関係が反映され得る限り、本願の保護範囲に含まれることになる。
【０１６８】
例えば、帯域幅構成方法はさらに、ＬＴＥのリソース割り当てタイプ２Ｔｙｐｅ２と同様の方法を含む。詳細は、ここで説明しない。
【０１６９】
例えば、制御チャネルリソース集合は帯域幅の範囲内にある。帯域幅の中心又は境界に対する制御チャネルリソース集合の位置情報が、上位層シグナリングに含まれる構成情報により求められ、上位層シグナリングはＲＲＣシグナリング又はＲＡＲシグナリングなどを含む。
【０１７０】
例えば、制御チャネルリソース集合を含む帯域幅の位置が、表６に示すように、オフセット位置０として表示されてよい。
【表６】
2020530736.tif 000009
【０１７１】
図１２に示すように、端末デバイスは、第５相対位置及びオフセット位置０に従って、オフセット位置を求める。
【０１７２】
例えば、制御チャネルリソース集合は帯域幅の範囲内にある。帯域幅の中心又は境界に対する制御チャネルリソース集合のオフセット位置０は、上位層シグナリングに含まれる構成情報により求められ、上位層シグナリングはＲＲＣシグナリング又はＲＡＲシグナリングなどを含む。
【０１７３】
端末デバイスが位置オフセット情報に基づいて第１シーケンスを取得する方式については、方式１において位置オフセット情報に基づいて第１シーケンスを取得する方式を参照されたい。詳細は、再度ここで説明しない。
【０１７４】
例えば、制御チャネルリソース集合と、インジケーション情報と、オフセット位置０との対応関係は、ネットワークデバイス及び端末デバイスにより予め定められてもよく、プロトコルにより指定されてもよく、予め構成されてもよい。これについては、本願において具体的に限定されず、制御チャネルリソース集合と、インジケーション情報と、オフセット位置０との対応関係が反映され得る限り、本願の保護範囲に含まれることになる。
【０１７５】
方式５：端末デバイスは帯域幅の構成情報を受信し、構成情報は、第６相対位置のインジケーション情報及び第７相対位置のインジケーション情報を含み、第６相対位置は、ＭＩＢを搬送するブロードキャストチャネルの参照点に対する、制御チャネルリソース集合を含む帯域幅の相対位置であり、第７相対位置は、周波数領域参照点に対する、ＭＩＢを搬送するブロードキャストチャネルの参照点の位置であり、端末デバイスが位置オフセット情報を取得する段階は、第６相対位置のインジケーション情報により示される第６相対位置と第７相対位置のインジケーション情報により示される第７相対位置とに従って、位置オフセット情報を求める段階を含む。
【０１７６】
位置オフセット情報は、第６相対位置及び第７相対位置に従って、以下に挙げる方法のうちのいずれか１つを用いて取得されてよく、その方法とは、例えば、第６相対位置及び第７相対位置に対して、加法処理、差引処理、乗法処理、又は除法処理のうちの１つ又は複数を行って位置オフセット情報を求めることであることを特に強調しておきたい。
【０１７７】
方式５において提供される解決手段によれば、帯域幅の構成情報は、ＭＩＢ以外のＲＭＳＩで搬送されてよい。したがって、ＭＩＢのインジケーションシグナリングオーバヘッドが減少する。さらに、ＲＭＳＩはより多くのビット情報を搬送してよく、さらに、周波数領域における帯域幅のオフセットがより柔軟であってよく、すなわち、周波数領域におけるオフセット粒度がより小さくてよい。したがって、帯域幅のオフセットはより柔軟であり、リソース利用率が向上し得る。
【０１７８】
方式５における第６相対位置の実装例が、以下のとおりであってよい。すなわち、第６相対位置の値集合｛−２ＮＯｆｆｓｅｔ＿ＢＰＲＢ，−ＮＯｆｆｓｅｔ＿ＢＰＲＢ，０，＋ＮＯｆｆｓｅｔ＿ＢＰＲＢ，＋２ＮＯｆｆｓｅｔ＿ＢＰＲＢ｝を予め定め、帯域幅に対応する第６相対位置の値を構成する。
【０１７９】
方式５における第７相対位置の実装例が、以下のとおりであってよい。すなわち、表４に示すように、ブロードキャストチャネルの参照点０に対応するインジケーション情報が０００であり、第７相対位置１が｛０｝であり、またブロードキャストチャネルの参照点２に対応するインジケーション情報が００１であり、第７相対位置２が｛＋ＮＯｆｆｓｅｔＲＢ｝である。
【表７】
2020530736.tif 000010
【０１８０】
表７における第７相対位置の値が、周波数領域参照点に対するブロードキャストチャネルの参照点の、物理リソースブロックの単位数のオフセットを示す。本実施形態では、オフセット物理リソースブロックの数のみが、予め定められたオフセットの値を示すのに一例として用いられていることに留意されたい。実際に予め定められたオフセットが、他のリソース単位として予め定められてよく、本明細書では限定されない。
【０１８１】
図１３に示すように、ブロードキャストチャネルの参照点１のインジケーション情報が｛０１１｝であり、第７相対位置２が｛−ＮＯｆｆｓｅｔＲＢ｝であり、ブロードキャストチャネルの参照点２のインジケーション情報が｛００１｝であり、第７相対位置４が｛＋ＮＯｆｆｓｅｔＲＢ｝であり、ブロードキャストチャネルの参照点３に対応するインジケーション情報が｛１００｝であり、第７相対位置１が｛−２ＮＯｆｆｓｅｔＲＢ｝でありブロードキャストチャネルの参照点４に対応するインジケーション情報が｛０１０｝であり、第７相対位置５が｛＋２ＮＯｆｆｓｅｔＲＢ｝であり、ブロードキャストチャネルの参照点０に対応するインジケーション情報が｛１００｝であり、第７相対位置５が｛０｝である。
【０１８２】
図１４は、第６相対位置と第７相対位置との対応関係の概略図である。図１４に示すように、第６相対位置０は｛−ＮＯｆｆｓｅｔ＿ＢＰＲＢ｝であるが、第７相対位置１は｛＋２ＮＯｆｆｓｅｔ＿ＢＰＲＢ｝である。この場合、オフセット位置は｛−ＮＯｆｆｓｅｔ＿ＢＰＲＢ＋２ＮＯｆｆｓｅｔ＿ＢＰＲＢ｝である。
【０１８３】
端末デバイスが位置オフセット情報に基づいて第１シーケンスを取得する方式については、方式１において位置オフセット情報に基づいて第１シーケンスを取得する方式を参照されたい。詳細は、再度ここで説明しない。
【０１８４】
例えば、ブロードキャストチャネルの参照点と、インジケーション情報と、第７相対位置との対応関係は、ネットワークデバイス及び端末デバイスにより予め定められてもよく、プロトコルにより指定されてもよく、予め構成されてもよい。これについては、本願において具体的に限定されず、ブロードキャストチャネルの参照点と、インジケーション情報と、第７相対位置との対応関係が反映され得る限り、本願の保護範囲に含まれることになる。
【０１８５】
方式６：端末デバイスがオフセット位置情報を取得する段階は、端末デバイスが制御チャネルリソース集合の構成情報を受信する段階を含み、制御チャネルリソース集合の構成情報は、位置オフセット情報を示すのに用いられるインジケーション情報を含む。
【０１８６】
方式６において提供される解決手段によれば、制御チャネルリソース集合の時間−周波数リソースを構成する場合、ネットワークデバイスは、時間−周波数リソース上の重複リソース領域を取得し、重複リソース領域に従って位置オフセット情報を求め、制御チャネルリソース集合を構成する場合に、制御チャネル参照信号により用いられる第１シーケンスの位置オフセット情報を構成するので、複数の制御チャネルの参照信号シーケンスが重複領域において同じである。したがって、複数のユーザによる直交再利用、すなわち、直交ＭＵ−ＭＩＭＯが可能になる。さらに、同じ参照信号リソース上で複数の異なるシーケンスによりもたらされるシーケンス間の非直交干渉を減少させることができる。
【０１８７】
例えば、位置オフセット情報を示すのに用いられるインジケーション情報は、制御チャネルリソース集合の物理リソースブロック番号を示すのに用いられるインジケーション情報を含み、本方法はさらに、物理リソースブロック番号により示される物理リソースブロックに従って、端末デバイスが位置オフセット情報を求める段階を含む。本解決手段によれば、全ての制御チャネルリソースが同じ物理リソースブロック番号を用い、物理リソースブロック番号の参照点がＭＩＢ又はＲＭＳＩにより通知されてよく、さらに、端末デバイスは、同じ周波数領域参照点に従って、統一された物理リソースブロック番号を周波数領域において取得する。したがって、同じ物理リソースブロック番号を含む制御チャネルリソース集合用に決定された第１シーケンスが同じであり、その結果、重複リソースを有する制御チャネルリソース集合の第１シーケンスが同じである。したがって、複数のユーザによる直交再利用、すなわち、直交ＭＵ−ＭＩＭＯが可能になる。
【０１８８】
例えば、物理リソースブロック番号のインジケーション情報は、システム帯域幅全体に存在する統一された物理リソースブロック番号であってよい。図１５に示すように、中心周波数が番号０に位置しているため、制御チャネルリソース集合に対応する物理リソースブロック番号が｛ｎＣＯＲＥＳＥＴ，ｎＣＯＲＥＳＥＴ，...，ＮＣＯＲＥＳＥＴＲＢ−１｝であって、ＮＣＯＲＥＳＥＴＲＢが制御チャネルリソース集合に含まれる物理リソースブロックの合計数であるという場合、位置オフセット情報は、ｎＣＯＲＥＳＥＴを用いて求められてよい。図１６に示すように、ＮＣＯＲＥＳＥＴＲＢ＝５であり、ｎＣＯＲＥＳＥＴ＝２である。この場合、物理リソース集合に含まれる物理リソースブロック番号の集合が｛２，３，４，５，６｝であり、位置オフセット情報が２である。
【０１８９】
物理リソースブロックの数をオフセットとして用いることは、本願の本実施形態では単なる一例にすぎないことを特に強調しておきたい。本願はこれを含むが、これに限定されない。他の均等物を用いても、中心周波数に対するオフセットが取得され得る限り、本願の保護範囲に含まれることになる。
【０１９０】
周波数領域参照点がシステムキャリア帯域幅の境界である場合、周波数領域参照点に対応する物理リソースブロック番号は０であり、オフセット位置はｎＣＯＲＥＳＥＴである。
【０１９１】
端末デバイスが位置オフセット情報に基づいて第１シーケンスを取得する方式については、方式１において位置オフセット情報に基づいて第１シーケンスを取得する方式を参照されたい。詳細は、再度ここで説明しない。
【０１９２】
別の例では、オフセット位置に基づいて第１シーケンスを取得する方法はさらに、オフセット位置に基づいて第１シーケンスを生成する段階を含む。
【０１９３】
実行可能な実装方法において、取得されたオフセット位置はｎｏｆｆｓｅｔであり、第１シーケンスは、式（２）を用いて生成されてよい。
【数２】
2020530736.tif 000011
【０１９４】
式（２）において、ＮＣＯＲＥＳＥＴＲＢが、制御チャネルリソースにより占有される物理リソースブロックの数に対応し、各物理リソースブロックに含まれ、参照チャネルをマッピングするのに用いられるリソースエレメントの数がｎＲＢＲＥであり、ｃ（ｎ）は、式（３）を用いて求められ得る。
【数３】
2020530736.tif 000012
【０１９５】
式（３）において、ＮＣ＝１６００＋ｎｏｆｆｓｅｔである。
【０１９６】
前述の方法は、単一シンボルの制御チャネルリソース集合だけでなく、複数のシンボルの制御チャネルリソース集合にも適用可能である。詳細は、ここで説明しない。
【０１９７】
本実施形態は、複数の制御チャネルリソース集合が時間−周波数リソース上で互いに重複する場合、重複する時間−周波数リソースにマッピングされる参照信号に対して、直交符号分割多重化を確実に実施することができる。
【０１９８】
別の例では、端末デバイスは参照信号シーケンスを生成する。端末デバイスがオフセット位置に基づいて第１シーケンスを取得する段階２０５は、端末デバイスが位置オフセット情報に基づいて第１シーケンスを参照信号シーケンスから取得する段階を含み、第１シーケンスは参照信号シーケンスの部分集合であり、オフセット位置は、参照信号シーケンス内の第１シーケンスの少なくとも１つの値の位置である。
【０１９９】
例えば、参照信号シーケンスは疑似ランダム非周期シーケンスであり、参照信号シーケンスは式（４）に従って生成されてよい。
【数４】
2020530736.tif 000013
ここで、Ｎｍａｘ，ＤＬＲＢは、システム帯域幅に含まれる物理リソースブロックの最大値である。本実施形態では、制御チャネルリソース集合は時間領域において１つのＯＦＤＭシンボルを占有し、制御チャネルリソース集合内の各ＲＥＧは、参照信号をマッピングするのに用いられる４つのリソースエレメントを含む。
【０２００】
要素２０５：端末デバイスは、位置オフセット情報に基づいて第１シーケンスを取得する。
【０２０１】
要素２０６：端末デバイスは、第１シーケンスを用いて、制御チャネルリソース集合で搬送される制御チャネル信号を復調し、ダウンリンク制御情報を取得する。
【０２０２】
一例において、端末デバイスは、以下に挙げる方式でダウンリンク制御情報を取得してよい。
【０２０３】
端末デバイスは、制御チャネルリソース集合の制御チャネルを検出し、受信した制御チャネル参照信号に対して第１シーケンスを用いて関連処理を行い、制御チャネルが位置している時間−周波数リソースのチャネル状態情報を推定し、受信された制御チャネル信号をチャネル状態情報に従って復調して復号し、ダウンリンク制御情報を取得する。
【０２０４】
図２に示す実施形態の要素２０１から要素２０３は、一実施形態として用いられてよいことに特に留意されたい。要素２０４から要素２０６は、別の実施形態として別々に用いられてよい。さらに、図２に示す実施形態の要素２０１から要素２０６を行う順序は、別の順序であってもよい。これについては、本発明において具体的に限定されない。
【０２０５】
例えば、前述の方式４、方式５、及び方式６に基づいて、本方法はさらに要素２０７を含んでよい。要素２０７において、端末デバイスはネットワークデバイスにより送信されるマスター情報ブロックＭＩＢを受信し、ＭＩＢは、ＭＩＢを搬送するブロードキャストチャネルの参照点に対する、制御チャネルリソース集合の第１１相対位置を示すのに用いられるインジケーション情報を含み、また端末デバイスは、第１１相対位置に従って第２シーケンスを参照信号シーケンスから取得し、第２シーケンスは参照信号シーケンスの部分集合であり、第８相対位置は、参照信号シーケンス内の第２シーケンスの少なくとも１つの値の位置である。
【０２０６】
第１１位置は、ブロードキャストチャネルの参照点に対する制御チャネルリソース集合の相対位置である。
【０２０７】
要素２０７は、図２に示す実施形態の要素２０４から要素２０６と組み合わせて用いられてよいことに特に留意されたい。これについては、本発明において具体的に限定されない。具体的な実行順序が、柔軟に決定されてよい。例えば、要素２０７が最初に実行されてもよく、要素２０４から要素２０６のうちの１つの前に実行されてもよい。
【０２０８】
本方法において、ＭＩＢは、周波数領域参照点のインジケーション情報を搬送する必要はない。したがって、ＭＩＢのインジケーションオーバヘッドが減少する。さらに、周波数領域参照点は、より多くのリソースを有するＲＭＳＩにより示される。したがって、帯域幅構成がより柔軟になり、使用されている帯域幅のフラグメントが減少し、スペクトル利用率が向上する。
【０２０９】
第２シーケンスは、ＭＩＢにより構成される第１制御チャネルリソース集合に含まれる参照信号に用いられ、第１制御チャネルリソース集合は制御チャネルの共通探索空間を含み、ＲＭＳＩをスケジューリングするための制御情報を主に搬送する。前述の第１シーケンスは、ＲＲＣにより構成される制御チャネルリソース集合に用いられ、第１制御チャネルリソース集合は、制御チャネルの共通探索空間及び／又は制御チャネルのユーザ固有の探索空間を含み、データをスケジューリングするための制御情報を主に搬送する。
【０２１０】
図１７は、本発明の一実施形態による、参照シーケンスを取得する別の方法である。本方法は、以下に挙げる要素を含む。
【０２１１】
要素３０１：ネットワークデバイスは、第１シーケンスを生成するための初期値又は第１シーケンスの長さ情報を取得する。
【０２１２】
要素３０２：ネットワークデバイスは、初期値又は第１シーケンスの長さ情報に基づいて第１シーケンスを生成する。
【０２１３】
要素３０３：ネットワークデバイスは、参照信号を搬送する制御チャネルリソース集合内のリソースエレメントに、第１シーケンスをマッピングする。
【０２１４】
一例において、ネットワークデバイスはＭＩＢを端末デバイスに送信し、ＭＩＢは、制御チャネルリソース集合により占有される時間−周波数リソースを示すのに用いられる情報を含む。
【０２１５】
一例において、ネットワークデバイスは、第１シーケンスを生成するための初期値を含む同期信号、ブロードキャストチャネルスクランブルシーケンス、ブロードキャストチャネル参照信号、又はブロードキャスト情報のうちの１つ又は複数を端末デバイスに送信する。
【０２１６】
ネットワークデバイスが、参照信号を搬送する制御チャネルリソース集合内のリソースエレメントに、第１シーケンスをどのようにマッピングするかについては、図２に示す実施形態が参照され得ることに特に留意されたい。
【０２１７】
図１７に示す解決手段によれば、ＭＩＢは周波数領域参照点のインジケーション情報を含まないので、ＭＩＢのインジケーションシグナリングオーバヘッドを減少させることができる。したがって、端末デバイスは、周波数領域参照に対する位置を取得することができず、参照信号シーケンスを直接生成するか、又は参照信号シーケンスの中心位置から第１シーケンスを省略することしかできない。初期アクセス帯域幅の大きさが制限されているため、周波数領域における異なる周波数帯で送信される制御チャネルリソース集合が周波数領域において互いに重複する可能性は低い。したがって、複数のユーザによる再利用が不可能である。しかしながら、ＲＭＳＩを受信する端末デバイスが、ＲＭＳＩにより構成される参照周波数に従って、第１シーケンスを取得することができ、複数のユーザによる直交再利用、すなわちＭＵ−ＭＩＭＯを、複数の制御チャネルリソース集合間の重複リソース領域で実施することができる。
【０２１８】
図１８は、本発明の一実施形態による、参照シーケンスを取得する別の方法である。本方法は、以下に挙げる要素を含む。
【０２１９】
要素４０１：端末デバイスは、第１シーケンスを生成するための初期値又は第１シーケンスの長さ情報を取得する。
【０２２０】
要素４０２：端末デバイスは、初期値又は第１シーケンスの長さ情報に基づいて第１シーケンスを生成する。
【０２２１】
要素４０３：端末デバイスは、第１シーケンスを用いて、制御チャネルリソース集合で搬送される制御チャネル信号を復調し、ダウンリンク制御情報を取得する。
【０２２２】
一例において、本方法はさらに、端末デバイスがＭＩＢを受信する段階を含み、ＭＩＢは、制御チャネルリソース集合により占有される時間−周波数リソースを示すのに用いられる情報を含み、端末デバイスが第１シーケンスの長さ情報を取得する段階は、制御チャネルリソース集合により占有される時間−周波数リソースに関する情報に従って、第１シーケンスの長さを求める段階を含む。
【０２２３】
一例において、端末デバイスが、第１シーケンスを生成するための初期値を取得する段階は、端末デバイスが、第１シーケンスを生成するための初期値を含む同期信号、ブロードキャストチャネルスクランブルシーケンス、ブロードキャストチャネル参照信号、又はブロードキャスト情報のうちの１つ又は複数を取得する段階を含む。
【０２２４】
図１７に示す実施形態は、図１８に示す実施形態と組み合わせて用いられてよいことに留意されたい。組み合わされた処理における一連の段階が、図１７及び図１８の各段階の順序に従ってもよく、図１７及び図１８の各段階の順序に従わなくてもよい。これについては、限定されない。
【０２２５】
端末がどのようにして、制御チャネルリソース集合で搬送される制御チャネル信号を第１シーケンスを用いて復調し、ダウンリンク制御情報を取得するかについては、図２に示す実施形態を参照できることに特に留意されたい。詳細は、再度ここで説明しない。
【０２２６】
一例において、端末デバイスが段階４０１において第１シーケンスの長さ情報を取得することは、端末デバイスが第１シーケンスを生成することを含んでよく、第１シーケンスの長さはＭＩＢで示される。
【０２２７】
別の例において、端末デバイスは、同期信号、ブロードキャストチャネルスクランブルシーケンス、ブロードキャストチャネル参照信号、又はブロードキャスト情報のうちの１つ又は複数の構成を用いて、第１シーケンスの初期値を生成してよい。これにより、制御チャネルリソース集合において用いられる参照信号シーケンスのランダム性が確保され、制御チャネルリソース集合内の参照信号に対して別のセルにより引き起こされる干渉を回避することができる。
【０２２８】
例えば、第１シーケンスの初期値は、式（５）を用いて求められてよい。
【数５】
2020530736.tif 000014
ここで、ｎＩＤはＭＩＢで搬送されるインジケーション情報で構成されるが、ｎＣＳＳＩＤは予め定められた値である。又は、ｎＣＳＳＩＤはブロードキャスト情報で搬送されるインジケーション情報で構成されてよいが、ｎＩＤは予め定められた値である。
【０２２９】
例えば、ＭＩＢは、制御チャネルリソース集合により占有される時間−周波数リソースを示すのに用いられる情報、及び／又は、制御チャネルリソース集合に含まれる参照信号リソースの構成情報を含む。
【０２３０】
例えば、端末デバイスは、制御チャネルリソース集合により占有されＭＩＢに含まれる、時間−周波数リソースの大きさに従って、第１シーケンスの長さを求めてよい。
【０２３１】
例えば、周波数領域において制御チャネルリソース集合に含まれ、ＭＩＢで構成される、物理リソースブロックの数がＮＣＯＲＥＳＥＴＲＢであり、時間領域に含まれるＯＦＤＭシンボルがＭＣＯＲＥＳＥＴｏｓであり、システムは、各ＲＥＧに含まれる参照信号により占有されるリソースの数がＮＲＥＧＲＳであると予め定める。この場合、第１シーケンスの長さは、ＮＲＥＧＲＳ×ＮＣＯＲＥＳＥＴＲＢ×ＭＣＯＲＥＳＥＴｏｓである。
【０２３２】
別の例では、表８に示すように、例えば、構成情報は、ＲＥＧに含まれ、参照信号をマッピングするのに用いられるリソースエレメントの数が３個であることを示し、周波数領域において制御チャネルリソース集合に含まれる物理リソースブロックの数ＮＣＯＲＥＳＥＴＲＢと、時間領域に含まれるＯＦＤＭシンボルＭＣＯＲＥＳＥＴｏｓとに基づいて、第１シーケンスの長さが、３×ＮＣＯＲＥＳＥＴＲＢ×ＭＣＯＲＥＳＥＴｏｓであることが求められる。
【表８】
2020530736.tif 000015
【０２３３】
本解決手段によれば、ＭＩＢは周波数領域参照点のインジケーション情報を含まないので、ＭＩＢのインジケーションシグナリングオーバヘッドを減少させることができる。したがって、端末デバイスは、周波数領域参照に対する位置を取得することができず、参照信号シーケンスを直接生成するか、又は参照信号シーケンスの中心位置から第１シーケンスを省略することしかできない。初期アクセス帯域幅の大きさが制限されているため、周波数領域における異なる周波数帯で送信される制御チャネルリソース集合が周波数領域において互いに重複する可能性は低い。したがって、複数のユーザによる再利用が不可能である。しかしながら、ＲＭＳＩを受信するユーザ機器が、ＲＭＳＩにより構成される参照周波数に従って、第１シーケンスを取得することができ、複数のユーザによる直交再利用、すなわちＭＵ−ＭＩＭＯを、複数の制御チャネルリソース集合間の重複リソース領域で実施することができる。
【０２３４】
例えば、インジケーション情報と参照信号のＲＥの数との対応関係は、ネットワークデバイス及び端末デバイスにより予め定められてもよく、プロトコルで指定されてもよく、予め構成されてもよい。これについては、本願において具体的に限定されず、ブロードキャストチャネル内のインジケーション情報と参照信号のＲＥの数との対応関係が反映され得る限り、本願の保護範囲に含まれることになる。
【０２３５】
図１９は、本願の一実施形態による、参照信号を取得する別の方法である。本方法は、以下に挙げる要素を含む。
【０２３６】
要素５０１：端末デバイスは、ブロードキャストチャネル参照信号シーケンスを生成する。
【０２３７】
例えば、端末デバイスは、式（６）を用いてブロードキャストチャネル参照信号シーケンスを生成してよい。
【数６】
2020530736.tif 000016
ここで、Ｎｍａｘ，ＤＬＲＢは、システム帯域幅に含まれる物理リソースブロックの最大値を示す。ブロードキャストチャネルにより占有されるＯＦＤＭシンボルの数が２個（連続しても離散してもよい）であるため、図２０に示すように、参照信号シーケンスは、周波数優先順位の順序で第１ＯＦＤＭシンボル及び第２ＯＦＤＭシンボルにマッピングされる。
【０２３８】
ブロードキャストチャネル参照信号の時間−周波数リソース位置は、本願の本実施形態を理解するための、単なる一例にすぎないことに特に留意されたい。本願はこれを含むが、これに限定されない。換言すれば、ブロードキャストチャネル参照信号がマッピングされるリソース位置を説明するのに、５Ｇでは他の方式が用いられてよい。
【０２３９】
要素５０２：ネットワークデバイスがブロードキャストチャネル参照信号を端末デバイスに送信する。ブロードキャストチャネル参照信号は、ブロードキャストチャネル参照信号シーケンスを搬送する部分集合を含む。
【０２４０】
例えば、参照信号シーケンスの部分集合と第９相対位置との対応関係が、表９に示すように予め定められる。ブロードキャスト参照信号シーケンスは、異なる参照信号シーケンスの部分集合と異なる相対位置情報との対応関係に従って求められる。
【表９】
2020530736.tif 000017
【０２４１】
例えば、図２０は、ブロードキャストチャネル２に含まれるブロードキャストチャネル参照信号シーケンスから省略されたシーケンスを提供する。第１ＯＦＤＭシンボル上のブロードキャストチャネル参照信号に含まれる参照信号シーケンス番号が、｛２Ｎｍａｘ，ＤＬＲＢ−２ＮＰＢＣＨＲＢ＋ＮＯｆｆｓｅｔＲＢ，...，２Ｎｍａｘ，ＤＬＲＢ＋２ＮＰＢＣＨＲＢ＋ＮＯｆｆｓｅｔＲＢ−１｝であり、第２ＯＦＤＭシンボルに含まれる参照信号シーケンス番号が、｛６Ｎｍａｘ，ＤＬＲＢ−２ＮＰＢＣＨＲＢ＋ＮＯｆｆｓｅｔＲＢ，...，６Ｎｍａｘ，ＤＬＲＢ＋２ＮＰＢＣＨＲＢ＋ＮＯｆｆｓｅｔＲＢ−１｝である。
【０２４２】
例えば、参照信号シーケンスの部分集合と第９相対位置との対応関係は、ネットワークデバイス及び端末デバイスにより予め定められてもよく、プロトコルにより指定されてもよく、予め構成されてもよい。これについては、本願において具体的に限定されず、参照信号シーケンスの部分集合と第９相対位置との対応関係が反映され得る限り、本願の保護範囲に含まれることになる。
【０２４３】
例えば、周波数領域参照点はまた、周波数領域においてシステム帯域幅内の最小周波数であっても、周波数領域においてシステム帯域幅内の最大周波数であってもよい。詳細は、ここで説明しない。
【０２４４】
例えば、端末デバイスは、参照信号シーケンスをブラインド検出することで、受信されたブロードキャストチャネルの周波数領域位置を求めるか、又は、周波数領域におけるシステム帯域幅の参照位置に対する、ブロードキャストチャネルの周波数領域オフセット情報を求める。
【０２４５】
要素５０３：端末デバイスは、ネットワークデバイスにより送信されるブロードキャストチャネル参照信号を受信する。ブロードキャストチャネル参照信号は、ブロードキャストチャネル参照信号シーケンスを搬送する部分集合を含む。
【０２４６】
要素５０４：ネットワークデバイスはＭＩＢを端末デバイスに送信する。ＭＩＢは、ブロードキャストチャネルに対する制御チャネルリソース集合の第１０相対位置を示すのに用いられるインジケーション情報を含む。
【０２４７】
要素５０５：端末デバイスはＭＩＢを受信する。
【０２４８】
要素５０６：端末デバイスは、ブロードキャストチャネル参照信号シーケンスを搬送する部分集合に対応する第９相対位置と、第１０相対位置のインジケーション情報により示される第１０相対位置とに基づいて、位置オフセット情報を取得する。
【０２４９】
要素５０７：端末デバイスは、位置オフセット情報に基づいて第１シーケンスを取得する。
【０２５０】
例えば、第１シーケンスは、制御チャネル参照シーケンスの部分集合である。
【０２５１】
例えば、制御チャネル参照シーケンスは疑似ランダム非周期シーケンスであり、式（７）に従って求められてよい。
【数７】
2020530736.tif 000018
ここで、Ｎｍａｘ，ＤＬＲＢは、システム帯域幅に含まれる物理リソースブロックの最大値である。本実施形態では、制御チャネルリソース集合は時間領域において１つのＯＦＤＭシンボルを占有し、制御チャネルリソース集合内の各ＲＥＧは、参照信号をマッピングするのに用いられる４つのリソースエレメントを含む。ＲＥＧは、制御情報のリソースエレメントと、参照信号のリソースエレメントとを含む。
【０２５２】
別の例では、制御チャネル参照シーケンスは、周期的な疑似周期シーケンスであり、式（８）に従って求められてよい。
【数８】
2020530736.tif 000019
【０２５３】
制御チャネル参照シーケンスの長さがＮＲｅｆＲＢのみを含み、ＮＲｅｆＲＢ＜Ｎｍａｘ，ＤＬＲＢであり、Ｎｍａｘ，ＤＬＲＢは、システム帯域幅に含まれる物理リソースブロックの最大値である。しかしながら、制御チャネル参照シーケンスは、図２１に示すように、反復方式でキャリア全体にマッピングされてよい。
【０２５４】
要素５０８：端末デバイスは、第１シーケンスを用いて、制御チャネルリソース集合で搬送される制御チャネルを復調して復号し、制御情報を取得する。
【０２５５】
復調して復号し制御情報を取得する具体的な方法については、ＬＴＥにおいて復調して復号し制御情報を取得する方法を参照されたい。詳細は、本発明において繰り返し説明しない。
【０２５６】
前述においては、本発明の実施形態により提供される解決手段を、ネットワークエレメント間のやり取りの観点から説明した。前述の機能を実装するために、各ネットワークエレメント（例えば、ＵＥ、基地局、又はコアネットワークエンティティ）は、各機能を実行するための、対応するハードウェア構造及び／又はソフトウェアモジュールを含むことが理解されるであろう。当業者であれば、本明細書において開示された実施形態で説明された例と組み合わせて、各ユニット、各アルゴリズム段階が、ハードウェア又はハードウェアとコンピュータソフトウェアとの組み合わせで実装され得ることを、容易に認識するはずである。ある機能がハードウェアで実行されるのか、コンピュータソフトウェアで動かされるハードウェアで実行されるのかは、技術的解決手段の特定の用途及び設計上の制約条件で決まる。当業者であれば、異なる方法を用いて、説明した機能を特定の用途ごとに実装することができるが、その実装例が本発明の範囲を越えているとみなされるべきではない。
【０２５７】
本発明の一実施形態が、端末デバイスを提供する。本装置は、端末デバイスの動作を制御して管理し、図２に示す実施形態の端末デバイスにより実行される処理を行うように構成された、例えば、位置オフセット情報を取得し、位置オフセット情報に基づいて第１シーケンスを取得し、第１シーケンスを用いて、制御チャネルリソース集合で搬送される制御チャネル信号を復調し、ダウンリンク制御情報を取得するように構成された、プロセッサ６０１を含む。
【０２５８】
例えば、プロセッサはさらに、参照信号シーケンスを生成するように構成され、プロセッサは具体的には、位置オフセット情報に基づいて第１シーケンスを参照信号シーケンスから取得するように構成され、第１シーケンスは参照信号シーケンスの部分集合であり、位置オフセット情報は参照信号シーケンス内の第１シーケンスの少なくとも１つの値の位置である。
【０２５９】
例えば、図２２に示すように、端末デバイスはさらに、ネットワークデバイスにより送信されるマスター情報ブロックＭＩＢを受信するように構成された受信機６０２を含み、ＭＩＢは、第１相対位置を示すのに用いられるインジケーション情報と第２相対位置を示すのに用いられるインジケーション情報とを含み、第１相対位置は、周波数領域参照点に対する、ＭＩＢを搬送するブロードキャストチャネルの参照点の位置であり、第２相対位置は、ブロードキャストチャネルの参照点に対する制御チャネルリソース集合の相対位置である。またプロセッサは具体的には、受信モジュール６０２により受信される、第１相対位置のインジケーション情報により示される第１相対位置と第２相対位置のインジケーション情報により示される第２相対位置とに従って、位置オフセット情報を求めるように構成される。
【０２６０】
例えば、端末デバイスはさらに、ネットワークデバイスにより送信されるマスター信号ブロックＭＩＢを受信するように構成された受信機６０２を含み、ＭＩＢは第３相対位置を示すのに用いられるインジケーション情報を含み、第３相対位置は、周波数領域参照点に対する、ＭＩＢを搬送するブロードキャストチャネルの参照点の位置である。またプロセッサは具体的には、受信機により受信される第３相対位置のインジケーション情報により示される第３相対位置と、第４相対位置とに従って、位置オフセット情報を求めるように構成され、第４相対位置は、ブロードキャストチャネルの参照点に対する制御チャネルリソース集合の相対位置であり、第４相対位置は構成されるか又は事前設定される。
【０２６１】
例えば、プロセッサはさらに、ネットワークデバイスにより送信されるマスター信号ブロックＭＩＢを受信するようプロセッサ６０２に命令するように構成され、ＭＩＢは、周波数領域参照点に対する制御チャネルリソース集合の第８相対位置情報を示すのに用いられるインジケーション情報を含む。またプロセッサは具体的には、第８相対位置のインジケーション情報により示される第８相対位置に従って、位置オフセット情報を求めるように構成される。
【０２６２】
例えば、端末デバイスはさらに、システム帯域幅部分集合の構成情報を受信するように構成された受信機６０２を含み、部分集合の構成情報は第５相対位置のインジケーション情報を含み、第５相対位置は、周波数領域参照点に対する制御チャネルリソース集合のシステム帯域幅部分集合の相対位置である。またプロセッサは具体的には、受信機により受信される第５相対位置のインジケーション情報により示される第５相対位置に従って、位置オフセット情報を求めるように構成される。
【０２６３】
例えば、端末デバイスはさらに、システム帯域幅部分集合の構成情報を受信するように構成された受信機６０２を含み、部分集合の構成情報は、第６相対位置のインジケーション情報と第７相対位置のインジケーション情報とを含み、第６相対位置は、ＭＩＢを搬送するブロードキャストチャネルの参照点に対する、制御チャネルリソース集合のシステム帯域幅部分集合の相対位置であり、第７相対位置は、周波数領域参照点に対する、ＭＩＢを搬送するブロードキャストチャネルの参照点の位置である。またプロセッサは具体的には、受信機により受信される、第６相対位置のインジケーション情報により示される第６相対位置と第７相対位置のインジケーション情報により示される第７相対位置とに従って、位置オフセット情報を求めるように構成される。
【０２６４】
例えば、プロセッサはさらに、制御チャネルリソース集合の構成情報を受信するよう受信機に命令するように構成され、制御チャネルリソース集合の構成情報は、位置オフセット情報を示すのに用いられるインジケーション情報を含む。
【０２６５】
例えば、プロセッサは具体的には、位置オフセット情報を示すのに用いられるインジケーション情報が制御チャネルリソース集合の物理リソースブロック番号を示すのに用いられるインジケーション情報を含む場合、物理リソースブロック番号により示される物理リソースブロックに従って、位置オフセット情報を求めるように構成される。
【０２６６】
例えば、制御チャネルリソース集合の構成情報は、ランダムアクセス応答ＲＡＲ及び無線リソース制御ＲＲＣシグナリングのうちの少なくとも１つを含み、制御チャネルリソース集合は、タイプ１共通探索空間ＣＳＳ及び／又は端末固有の探索空間ＵＳＳを含む。
【０２６７】
端末デバイスはさらに、ネットワークデバイスにより送信されるマスター情報ブロックＭＩＢを受信するように構成された受信機６０２を含み、ＭＩＢは、ＭＩＢを搬送するブロードキャストチャネルの参照点に対する制御チャネルリソース集合の第１１相対位置を示すのに用いられるインジケーション情報を含む。またプロセッサ６０１は具体的には、第１１相対位置に従って、第２シーケンスを参照信号シーケンスから取得するように構成され、第２シーケンスは参照信号シーケンスの部分集合であり、第８相対位置は、参照信号シーケンス内の第２シーケンスの少なくとも１つの値の位置である。
【０２６８】
例えば、端末デバイスはさらに、端末デバイスのプログラムコード及びデータを格納するように構成されたメモリ６０３を含んでよい。
【０２６９】
例えば、端末デバイスはさらに、送信機６０４及びモデムプロセッサ６０５を含んでよい。送信機６０４は、出力サンプルを調整し（例えば、アナログ変換、フィルタリング、増幅、及びアップコンバージョンを行い）、アップリンク信号を生成するように構成され、アップリンク信号は、アンテナを用いて、前述の実施形態のネットワークデバイスに送信される。ダウンリンクでは、アンテナは、前述の実施形態の基地局により送信されるダウンリンク信号を受信する。受信機６０２は、アンテナから受信される信号を調整し（例えば、フィルタリング、増幅、ダウンコンバージョン、及びデジタル化を行い）、入力サンプルを提供する。モデムプロセッサ６０５では、符号化器が、アップリンクで送信されるサービスデータ及びシグナリングメッセージを受信し、サービスデータ及びシグナリングメッセージに対して処理（例えば、フォーマット化、符号化、及びインタリーブ）を行う。変調器がさらに、符号化されたサービスデータ及びシグナリングメッセージを処理し（例えば、シンボルマッピング及び変調を行い）、出力サンプルを提供する。復調器が入力サンプルを処理し（例えば、復調し）、シンボル推定を提供する。復号器がシンボル推定を処理し（例えば、デインタリーブして復号し）、復号されて端末デバイスに送信されるデータ及びシグナリングメッセージを提供する。符号化器、変調器、復調器、及び復号器は、複合モデムプロセッサ６０５により実装されてよい。これらのユニットは、無線アクセスネットワークにより用いられる無線アクセス技術（例えば、ＬＴＥ及び他の進化型システムのアクセス技術）に基づいて処理を行う。
【０２７０】
本実施形態の有益な効果については、図２に示す方法の実施形態を参照してよいことに特に留意されたい。詳細は、再度ここで説明しない。
【０２７１】
本発明の一実施形態がさらにネットワークデバイスを提供し、ネットワークデバイスは、ネットワークデバイスの動作を制御して管理し、図２に示す実施形態のネットワークデバイスにより実行される処理を行うように構成されたプロセッサ７０１を含む。例えば、プロセッサは、位置オフセット情報を取得し、位置オフセット情報に基づいて第１シーケンスを取得し、参照信号を搬送する制御チャネルリソース集合内のリソースエレメントに第１シーケンスをマッピングするように構成される。
【０２７２】
例えば、プロセッサは、参照信号シーケンスを生成し、位置オフセット情報に基づいて第１シーケンスを参照信号シーケンスから取得するように構成され、第１シーケンスは参照信号シーケンスの部分集合であり、位置オフセット情報は、参照信号シーケンス内の第１シーケンスの少なくとも１つの値の位置である。
【０２７３】
例えば、図２３に示すように、ネットワークデバイスはさらに、マスター信号ブロックＭＩＢを端末デバイスに送信するように構成された送信機７０２を含み、ＭＩＢは第１相対位置のインジケーション情報と第２相対位置のインジケーション情報とを含み、第１相対位置は、周波数領域参照点に対する、ＭＩＢを搬送するブロードキャストチャネルの参照点の位置であり、第２相対位置は、ブロードキャストチャネルの参照点に対する制御チャネルリソース集合の相対位置であり、第１相対位置のインジケーション情報と第２相対位置のインジケーション情報とは、位置オフセット情報を示すのに用いられる。
【０２７４】
例えば、ネットワークデバイスはさらに、ＭＩＢを端末デバイスに送信するように構成された送信機７０２を含み、ＭＩＢは第３相対位置のインジケーション情報を含み、第３相対位置は、周波数領域参照点に対する、ＭＩＢを搬送するブロードキャストチャネルの参照点の位置であり、第３相対位置のインジケーション情報は、位置オフセット情報を示すのに第４相対位置と共に用いられ、第４相対位置は、ブロードキャストチャネルの参照点に対する制御チャネルリソース集合の相対位置であり、第４相対位置は構成されるか又は事前設定される。
【０２７５】
例えば、ネットワークデバイスはさらに、マスター情報ブロックＭＩＢを端末デバイスに送信するように構成された送信機７０２を含み、ＭＩＢは、周波数領域参照点に対する制御チャネルリソース集合の第８相対位置情報を示すのに用いられるインジケーション情報を含み、第８相対位置情報のインジケーション情報は位置オフセット情報を示すのに用いられる。
【０２７６】
例えば、ネットワークデバイスはさらに、システム帯域幅部分集合の構成情報を端末デバイスに送信するように構成された送信機７０２を含み、部分集合の構成情報は第５相対位置のインジケーション情報を含み、第５相対位置は、周波数領域参照点に対する、制御チャネルリソース集合のシステム帯域幅部分集合の相対位置であり、第５相対位置のインジケーション情報は位置オフセット情報を示すのに用いられる。
【０２７７】
例えば、ネットワークデバイスはさらに、システム帯域幅部分集合の構成情報を端末デバイスに送信するように構成された送信機７０２を含み、部分集合の構成情報は第６相対位置のインジケーション情報と第７相対位置のインジケーション情報とを含み、第６相対位置は、ＭＩＢを搬送するブロードキャストチャネルの周波数領域位置の参照点に対する、制御チャネルリソース集合のシステム帯域幅部分集合の相対位置であり、第７相対位置は、周波数領域参照点に対する、ＭＩＢを搬送するブロードキャストチャネルの参照点の位置であり、第６相対位置のインジケーション情報と第７相対位置のインジケーション情報とは、位置オフセット情報を示すのに用いられる。
【０２７８】
例えば、ネットワークデバイスはさらに、制御チャネルリソース集合の構成情報を端末デバイスに送信するように構成された送信機７０２を含み、制御チャネルリソース集合の構成情報は、位置オフセット情報を示すのに用いられるインジケーション情報を含む。
【０２７９】
位置オフセット情報を示すのに用いられるインジケーション情報は、制御チャネルリソース集合の物理リソースブロック番号を示すのに用いられるインジケーション情報を含む。
【０２８０】
例えば、ネットワークデバイスはさらに、マスター情報ブロックＭＩＢを送信するように構成された送信機７０２を含み、ＭＩＢは、ＭＩＢを搬送するブロードキャストチャネルの参照点に対する制御チャネルリソース集合の第１１相対位置を示すのに用いられるインジケーション情報を含む。
【０２８１】
例えば、制御チャネルリソース集合の構成情報は、ランダムアクセス応答ＲＡＲ及び無線リソース制御ＲＲＣシグナリングのうちの少なくとも１つを含み、制御チャネルリソース集合は、タイプ１共通探索空間ＣＳＳ及び／又は端末固有の探索空間ＵＳＳを含む。
【０２８２】
図２３はネットワークデバイスの簡略設計のみを示していることが、理解されるであろう。実際に適用する際には、ネットワークデバイスは任意の数の送信機、受信機、プロセッサ、コントローラ、メモリ、及び通信ユニットなどを含んでよく、本発明を実施できるネットワークデバイスは全て、本発明の保護範囲に含まれることになる。
【０２８３】
本実施形態の有益な効果については、図２に示す方法の実施形態を参照してよいことに特に留意されたい。詳細は、再度ここで説明しない。
【０２８４】
本発明の一実施形態がさらに端末デバイスを提供する。端末デバイスは、端末デバイスの動作を制御して管理し、図１８に示す実施形態の端末デバイスにより実行される処理を行うように構成された、例えば、第１シーケンスを生成するための初期値又は第１シーケンスの長さ情報を取得し、初期値又は第１シーケンスの長さ情報に基づいて第１シーケンスを生成し、第１シーケンスを用いて、制御チャネルリソース集合で搬送される制御チャネル信号を復調し、ダウンリンク制御情報を取得するように構成された、プロセッサ８０１を含む。
【０２８５】
例えば、図２４に示すように、端末デバイスはさらに、ＭＩＢを受信するように構成された受信機８０２を含み、ＭＩＢは、制御チャネルリソース集合により占有される時間−周波数リソースを示すのに用いられる情報を含む。またプロセッサは具体的には、制御チャネルリソース集合により占有される時間−周波数リソースに関する情報に従って、第１シーケンスの長さを求めるように構成される。
【０２８６】
例えば、プロセッサは具体的には、第１シーケンスを生成するための初期値を含む同期信号、ブロードキャストチャネルスクランブルシーケンス、参照信号、又はブロードキャスト情報のうちの１つ又は複数を取得するように構成される。
【０２８７】
例えば、端末デバイスはさらに、端末デバイスのプログラムコード及びデータを格納するように構成されたメモリ８０３を含んでよい。
【０２８８】
例えば、端末デバイスはさらに、送信機８０４及びモデムプロセッサ８０５を含んでよい。送信機８０４は、出力サンプルを調整し（例えば、アナログ変換、フィルタリング、増幅、及びアップコンバージョンを行い）、アップリンク信号を生成するように構成され、アップリンク信号は、アンテナを用いて、前述の実施形態のネットワークデバイスに送信される。ダウンリンクでは、アンテナは、前述の実施形態の基地局により送信されるダウンリンク信号を受信する。受信機８０２は、アンテナから受信される信号を調整し（例えば、フィルタリング、増幅、ダウンコンバージョン、及びデジタル化を行い）、入力サンプルを提供する。モデムプロセッサ８０５では、符号化器が、アップリンクで送信されるサービスデータ及びシグナリングメッセージを受信し、サービスデータ及びシグナリングメッセージに対して処理（例えば、フォーマット化、符号化、及びインタリーブ）を行う。変調器がさらに、符号化されたサービスデータ及びシグナリングメッセージを処理し（例えば、シンボルマッピング及び変調を行い）、出力サンプルを提供する。復調器が入力サンプルを処理し（例えば、復調し）、シンボル推定を提供する。復号器がシンボル推定を処理し（例えば、デインタリーブして復号し）、復号されて端末デバイスに送信されるデータ及びシグナリングメッセージを提供する。符号化器、変調器、復調器、及び復号器は、複合モデムプロセッサ８０５により実装されてよい。これらのユニットは、無線アクセスネットワークにより用いられる無線アクセス技術（例えば、ＬＴＥ及び他の進化型システムのアクセス技術）に基づいて処理を行う。
【０２８９】
本実施形態の有益な効果については、図１７に示す方法の実施形態を参照してよいことに特に留意されたい。詳細は、再度ここで説明しない。
【０２９０】
本発明の一実施形態がさらに、ネットワークデバイスを提供する。本装置は、ネットワークデバイスの動作を制御して管理し、図１７に示す実施形態のネットワークデバイスにより実行される処理を行うように構成されたプロセッサ９０１を含む。例えば、プロセッサは、第１シーケンスの初期値又は第１シーケンスの長さ情報を生成し、第１シーケンスの初期値又は長さ情報に基づいて第１シーケンスを生成し、参照信号を搬送する制御チャネルリソース集合内のリソースエレメントに第１シーケンスをマッピングするように構成される。
【０２９１】
例えば、図２５に示すように、ネットワークデバイスはさらに、ＭＩＢを端末デバイスに送信するように構成された受信機９０２を含み、ＭＩＢは、制御チャネルリソース集合により占有される時間−周波数リソースを示すのに用いられる情報を含む。
【０２９２】
例えば、本装置はさらに、第１シーケンスを生成するための初期値を含む同期信号、ブロードキャストチャネルスクランブルシーケンス、ブロードキャストチャネル参照信号、又はブロードキャスト情報のうちの１つ又は複数を端末デバイスに送信するように構成された送信機を含む。
【０２９３】
図２５はネットワークデバイスの簡略設計のみを示していることが、理解されるであろう。実際に適用する際には、ネットワークデバイスは任意の数の送信機、受信機、プロセッサ、コントローラ、メモリ、及び通信ユニットなどを含んでよく、本発明を実施できるネットワークデバイスは全て、本発明の保護範囲に含まれることになる。
【０２９４】
本実施形態の有益な効果については、図１８に示す方法の実施形態を参照してよいことに特に留意されたい。詳細は、再度ここで説明しない。
【０２９５】
図２６は、前述の実施形態に用いられたネットワークデバイスを示す。本装置は、図１９に示す実施形態のネットワークデバイスにより実行される処理を行うように構成される。本装置は、プロセッサ１００１と送信機１００２とを含む。
【０２９６】
プロセッサ１００１は、ブロードキャストチャネル参照信号を生成するように構成され、ブロードキャストチャネル参照信号は、ブロードキャストチャネル参照信号シーケンスを搬送する部分集合を含む。
【０２９７】
送信機１００２は、プロセッサにより生成されるブロードキャストチャネル参照信号を端末デバイスに送信し、ＭＩＢを端末デバイスに送信するように構成され、ＭＩＢは、ブロードキャストチャネルに対する制御チャネルリソース集合の第１０相対位置を示すのに用いられるインジケーション情報を含み、ブロードキャストチャネル参照信号シーケンスの部分集合と第１０相対位置のインジケーション情報とは、位置オフセット情報を示すのに用いられる。
【０２９８】
図２６はネットワークデバイスの簡略設計のみを示していることが、理解されるであろう。実際に適用する際には、ネットワークデバイスは任意の数の送信機、受信機、プロセッサ、コントローラ、メモリ、及び通信ユニットなどを含んでよく、本発明を実施できるネットワークデバイスは全て、本発明の保護範囲に含まれることになる。
【０２９９】
本実施形態の有益な効果については、図１９に示す方法の実施形態を参照してよいことに特に留意されたい。詳細は、再度ここで説明しない。
【０３００】
図２７は、前述の実施形態に用いられた端末デバイスを示す。本装置は、図１９に示す実施形態の端末デバイスにより実行される処理を行うように構成される。本装置は、プロセッサ１１０１と受信機１１０２とを含む。
【０３０１】
プロセッサ１１０１は、ブロードキャストチャネル参照信号シーケンスを生成するように構成される。
【０３０２】
受信機１１０２は、ネットワークデバイスにより送信されるブロードキャストチャネル参照信号を受信することであって、ブロードキャストチャネル参照信号は、ブロードキャストチャネル参照信号シーケンスを搬送する部分集合を含む、受信することと、ネットワークデバイスにより送信されるＭＩＢを受信することであって、ＭＩＢは、ブロードキャストチャネルに対する制御チャネルリソース集合の第１０相対位置を示すのに用いられるインジケーション情報を含む、受信することとを行うように構成される。
【０３０３】
処理モジュールは、受信機１１０１により受信されるブロードキャストチャネル参照信号シーケンスの部分集合に対応する第９相対位置と、第１０相対位置のインジケーション情報により示される第１０相対位置とに基づいて、位置オフセット情報を取得し、第１シーケンスを用いて、制御チャネルリソース集合で搬送される制御チャネルを復調して復号し、制御情報を取得するように構成される。
【０３０４】
例えば、端末デバイスはさらに、端末デバイスのプログラムコード及びデータを格納するように構成されたメモリ１１０３を含んでよい。
【０３０５】
例えば、端末デバイスはさらに、送信機１１０４及びモデムプロセッサ１１０５を含んでよい。送信機１１０４は、出力サンプルを調整し（例えば、アナログ変換、フィルタリング、増幅、及びアップコンバージョンを行い）、アップリンク信号を生成するように構成され、アップリンク信号は、アンテナを用いて、前述の実施形態のネットワークデバイスに送信される。ダウンリンクでは、アンテナは、前述の実施形態の基地局により送信されるダウンリンク信号を受信する。受信機１１０２は、アンテナから受信される信号を調整し（例えば、フィルタリング、増幅、ダウンコンバージョン、及びデジタル化を行い）、入力サンプルを提供する。モデムプロセッサ１１０５では、符号化器が、アップリンクで送信されるサービスデータ及びシグナリングメッセージを受信し、サービスデータ及びシグナリングメッセージに対して処理（例えば、フォーマット化、符号化、及びインタリーブ）を行う。変調器がさらに、符号化されたサービスデータ及びシグナリングメッセージを処理し（例えば、シンボルマッピング及び変調を行い）、出力サンプルを提供する。復調器が入力サンプルを処理し（例えば、復調し）、シンボル推定を提供する。復号器がシンボル推定を処理し（例えば、デインタリーブして復号し）、復号されて端末デバイスに送信されるデータ及びシグナリングメッセージを提供する。符号化器、変調器、復調器、及び復号器は、複合モデムプロセッサ１１０５により実装されてよい。これらのユニットは、無線アクセスネットワークにより用いられる無線アクセス技術（例えば、ＬＴＥ及び他の進化型システムのアクセス技術）に基づいて処理を行う。
【０３０６】
本実施形態の有益な効果については、図１９に示す方法の実施形態を参照してよいことに特に留意されたい。詳細は、再度ここで説明しない。
【０３０７】
本願の一実施形態が通信装置を提供する。本装置は、コンピュータによって実行可能なプログラムコードを格納するように構成されたメモリと、通信インタフェースと、プロセッサとを含む。プロセッサは、メモリ及び通信インタフェースと連結される。メモリに格納されるプログラムコードは命令を含み、プロセッサが命令を実行すると、通信装置は、図２に示す方法の実施形態の端末デバイスの動作を実行する機能を有する。
【０３０８】
本願の一実施形態が通信装置を提供する。本装置は、コンピュータによって実行可能なプログラムコードを格納するように構成されたメモリと、通信インタフェースと、プロセッサとを含む。プロセッサは、メモリ及び通信インタフェースと連結される。メモリに格納されるプログラムコードは命令を含み、プロセッサが命令を実行すると、通信装置は、図２に示す方法の実施形態のネットワークデバイスの動作を実行する機能を有する。
【０３０９】
本願の一実施形態が通信装置を提供する。本装置は、コンピュータによって実行可能なプログラムコードを格納するように構成されたメモリと、通信インタフェースと、プロセッサとを含む。プロセッサは、メモリ及び通信インタフェースと連結される。メモリに格納されるプログラムコードは命令を含み、プロセッサが命令を実行すると、通信装置は、図１７に示す方法の実施形態のネットワークデバイスの動作を実行する機能を有する。
【０３１０】
本願の一実施形態が通信装置を提供する。本装置は、コンピュータによって実行可能なプログラムコードを格納するように構成されたメモリと、通信インタフェースと、プロセッサとを含む。プロセッサは、メモリ及び通信インタフェースと連結される。メモリに格納されるプログラムコードは命令を含み、プロセッサが命令を実行すると、通信装置は、図１８に示す方法の実施形態の端末デバイスの動作を実行する機能を有する。
【０３１１】
本願の一実施形態が通信装置を提供する。本装置は、コンピュータによって実行可能なプログラムコードを格納するように構成されたメモリと、通信インタフェースと、プロセッサとを含む。プロセッサは、メモリ及び通信インタフェースと連結される。メモリに格納されるプログラムコードは命令を含み、プロセッサが命令を実行すると、通信装置は、図１９に示す方法の実施形態の端末デバイスの動作を実行する機能を有する。
【０３１２】
本願の一実施形態が通信装置を提供する。本装置は、コンピュータによって実行可能なプログラムコードを格納するように構成されたメモリと、通信インタフェースと、プロセッサとを含む。プロセッサは、メモリ及び通信インタフェースと連結される。メモリに格納されるプログラムコードは命令を含み、プロセッサが命令を実行すると、通信装置は、図１９の実施形態のネットワークデバイスの動作を実行する機能を有する。
【０３１３】
本願の一実施形態がコンピュータ可読記憶媒体を提供する。このコンピュータ可読記憶媒体は命令を格納し、コンピュータが命令を実行すると、コンピュータは、図２に示す方法の実施形態のネットワークデバイスの動作を実行する機能を有する。
【０３１４】
本願の一実施形態がコンピュータ可読記憶媒体を提供する。このコンピュータ可読記憶媒体は命令を格納し、コンピュータが命令を実行すると、コンピュータは、図２に示す方法の実施形態の端末デバイスの動作を実行する機能を有する。
【０３１５】
本願の一実施形態がコンピュータ可読記憶媒体を提供する。このコンピュータ可読記憶媒体は命令を格納し、コンピュータが命令を実行すると、コンピュータは、図１８に示す方法の実施形態の端末デバイスの動作を実行する機能を有する。
【０３１６】
本願の一実施形態がコンピュータ可読記憶媒体を提供する。このコンピュータ可読記憶媒体は命令を格納し、コンピュータが命令を実行すると、コンピュータは、図１７に示す方法の実施形態のネットワークデバイスの動作を実行する機能を有する。
【０３１７】
本願の一実施形態がコンピュータ可読記憶媒体を提供する。このコンピュータ可読記憶媒体は命令を格納し、コンピュータが命令を実行すると、コンピュータは、図１９に示す方法の実施形態の端末デバイスの動作を実行する機能を有する。
【０３１８】
本願の一実施形態がコンピュータ可読記憶媒体を提供する。このコンピュータ可読記憶媒体は命令を格納し、コンピュータが命令を実行すると、コンピュータは、図１９に示す方法の実施形態のネットワークデバイスの動作を実行する機能を有する。
【０３１９】
本発明においてネットワークデバイス及び端末デバイスの機能を実行するように構成されたコントローラ又はプロセッサは、中央演算処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは別のプログラム可能型論理デバイス、トランジスタ論理デバイス、ハードウェアコンポーネント、又はこれらの任意の組み合わせであってもよい。コントローラ／プロセッサは、本発明で開示した内容を参照して説明された、様々な例示的な論理ブロック、モジュール、及び回路を実装又は実行してよい。あるいは、プロセッサは、コンピューティング機能を実装するプロセッサの組み合わせ、例えば、１つ又は複数のマイクロプロセッサの組み合わせであっても、ＤＳＰとマイクロプロセッサとの組み合わせであってもよい。
【０３２０】
本発明で開示した内容と組み合わせて説明された方法又はアルゴリズム段階が、ハードウェアで実装されてもよく、プロセッサがソフトウェア命令を実行することで実装されてもよい。ソフトウェア命令は、対応するソフトウェアモジュールにより形成されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能型磁気ディスク、ＣＤ−ＲＯＭ、又は当技術分野で知られている任意の他の形態の記憶媒体に位置し得る。例えば、記憶媒体はプロセッサに連結されるので、プロセッサは記憶媒体から情報を読み出すこと、又は情報を記憶媒体に書き込むことができる。もちろん、記憶媒体は、プロセッサの構成要素であってよい。プロセッサ及び記憶媒体は、ＡＳＩＣに位置してよい。さらに、ＡＳＩＣは、端末デバイスに位置してよい。もちろん、プロセッサ及び記憶媒体は、ディスクリート部品として端末デバイスに存在してもよい。
【０３２１】
当業者であれば、前述の１つ又は複数の例において、本発明で説明された機能が、ハードウェア、ソフトウェア、ファームウェア、又はこれらの任意の組み合わせで実装され得ることを認識しているはずである。本発明がソフトウェアで実装される場合、前述の機能は、コンピュータ可読媒体に格納されてもよく、コンピュータ可読媒体内の１つ又は複数の命令又はコードとして送信されてもよい。コンピュータ可読媒体は、コンピュータ記憶媒体と通信媒体とを含み、通信媒体は、コンピュータプログラムをある場所から別の場所に送信できるようにする任意の媒体を含む。記憶媒体は、汎用コンピュータ又は専用コンピュータにとってアクセス可能な、任意の利用可能な媒体であってよい。
【０３２２】
本発明の目的、技術的解決手段、及び有益な効果はさらに、前述の具体的な実施形態において詳細に説明されている。前述の説明は、単に本発明の具体的な実施形態にすぎず、本発明の保護範囲を限定する意図はないことを理解されたい。本発明の技術的解決手段に基づいて行われる、あらゆる修正、均等物による置換、又は改善などは、本発明の保護範囲に含まれることになる。
【図１】
2020530736.tif 000020
【図２】
2020530736.tif 000021
【図３】
2020530736.tif 000022
【図４】
2020530736.tif 000023
【図５】
2020530736.tif 000024
【図６】
2020530736.tif 000025
【図７】
2020530736.tif 000026
【図８】
2020530736.tif 000027
【図９】
2020530736.tif 000028
【図１０】
2020530736.tif 000029
【図１１】
2020530736.tif 000030
【図１２】
2020530736.tif 000031
【図１３】
2020530736.tif 000032
【図１４】
2020530736.tif 000033
【図１５】
2020530736.tif 000034
【図１６】
2020530736.tif 000035
【図１７】
2020530736.tif 000036
【図１８】
2020530736.tif 000037
【図１９】
2020530736.tif 000038
【図２０】
2020530736.tif 000039
【図２１】
2020530736.tif 000040
【図２２】
2020530736.tif 000041
【図２３】
2020530736.tif 000042
【図２４】
2020530736.tif 000043
【図２５】
2020530736.tif 000044
【図２６】
2020530736.tif 000045
【図２７】
2020530736.tif 000046
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
ダウンリンク制御情報を取得する方法であって、
端末デバイスが位置オフセット情報を取得する段階であって、前記位置オフセット情報は第１位置及び第１オフセットを含み、前記第１位置は物理リソースブロックの数であり、その物理リソースブロックの数だけ、制御チャネルリソース集合を含む帯域幅内の最小サブキャリアが周波数領域参照点からオフセットしており、前記第１オフセットは物理リソースブロックの数であり、その物理リソースブロックの数だけ、前記制御チャネルリソース集合内の最小サブキャリアが、前記制御チャネルリソース集合を含む前記帯域幅内の前記最小サブキャリアからオフセットしている、段階と、
前記端末デバイスが前記位置オフセット情報に基づいて第１シーケンスを取得する段階であって、前記第１シーケンスは参照信号シーケンスの部分集合である、段階と、
前記端末デバイスが前記第１シーケンスを用いて、前記制御チャネルリソース集合で搬送される制御チャネル信号を復調し、ダウンリンク制御情報を取得する段階と
を備える方法。
【請求項２】
前記周波数領域参照点の物理リソースブロック番号が０であり、前記周波数領域参照点は残りの最小システム情報ＲＭＳＩにより通知される、又は前記周波数領域参照点はチャネルラスターの候補位置である、請求項１に記載の方法。
【請求項３】
前記第１位置は上位層シグナリングにより示され、前記上位層シグナリングはＲＲＣシグナリングを含む、請求項１又は２に記載の方法。
【請求項４】
前記第１オフセットは、上位層シグナリングに含まれる構成情報に基づいて求められ、前記上位層シグナリングは無線リソース制御ＲＲＣシグナリングを含む、請求項１から３のいずれか一項に記載の方法。
【請求項５】
前記第１シーケンスは、参照信号を搬送する前記制御チャネルリソース集合内のリソースエレメントにマッピングされる、請求項１から４のいずれか一項に記載の方法。
【請求項６】
ダウンリンク制御情報を取得する方法であって、
ネットワークデバイスが位置オフセット情報を取得する段階であって、前記位置オフセット情報は第１位置及び第１オフセットを含み、前記第１位置は物理リソースブロックの数であり、その物理リソースブロックの数だけ、制御チャネルリソース集合を含む帯域幅内の最小サブキャリアが周波数領域参照点からオフセットしており、前記第１オフセットは物理リソースブロックの数であり、その物理リソースブロックの数だけ、前記制御チャネルリソース集合内の最小サブキャリアが、前記制御チャネルリソース集合を含む前記帯域幅内の前記最小サブキャリアからオフセットしている、段階と、
前記ネットワークデバイスが前記位置オフセット情報に基づいて第１シーケンスを取得する段階であって、前記第１シーケンスは参照信号シーケンスの部分集合である、段階と、
前記ネットワークデバイスが、参照信号を搬送する前記制御チャネルリソース集合内のリソースエレメントに前記第１シーケンスをマッピングする段階と
を備える方法。
【請求項７】
前記周波数領域参照点の物理リソースブロック番号が０であり、前記周波数領域参照点は残りの最小システム情報ＲＭＳＩにより通知される、又は
前記周波数領域参照点はチャネルラスターの候補位置である、請求項６に記載の方法。
【請求項８】
前記第１位置は上位層シグナリングにより示され、前記上位層シグナリングが無線リソース制御ＲＲＣシグナリングを含む、請求項６又は７に記載の方法。
【請求項９】
前記第１オフセットは上位層シグナリングに含まれる構成情報に基づいて求められ、前記上位層シグナリングはＲＲＣシグナリングを含む、請求項６から８のいずれか一項に記載の方法。
【請求項１０】
前記第１シーケンスは、前記参照信号を搬送する前記制御チャネルリソース集合内の前記リソースエレメントにマッピングされる、請求項６から９のいずれか一項に記載の方法。
【請求項１１】
ダウンリンク制御情報を取得する装置であって、前記装置はメモリと少なくとも１つのプロセッサとを備え、
前記メモリは前記少なくとも１つのプロセッサと連結され、前記メモリは、前記装置が必要とするプログラム命令及びデータを格納し、
前記少なくとも１つのプロセッサは、
位置オフセット情報を取得することであって、前記位置オフセット情報は第１位置及び第１オフセットを含み、前記第１位置は物理リソースブロックの数であり、その物理リソースブロックの数だけ、制御チャネルリソース集合を含む帯域幅内の最小サブキャリアが周波数領域参照点からオフセットしており、前記第１オフセットは物理リソースブロックの数であり、その物理リソースブロックの数だけ、前記制御チャネルリソース集合内の最小サブキャリアが、前記制御チャネルリソース集合を含む前記帯域幅内の前記最小サブキャリアからオフセットしている、取得することと、
前記位置オフセット情報に基づいて第１シーケンスを参照信号シーケンスから取得することであって、前記第１シーケンスは前記参照信号シーケンスの部分集合である、取得することと、
前記第１シーケンスを用いて、前記制御チャネルリソース集合で搬送される制御チャネル信号を復調し、ダウンリンク制御情報を取得することと
を行うように構成される、装置。
【請求項１２】
前記周波数領域参照点の物理リソースブロック番号が０であり、前記周波数領域参照点は残りの最小システム情報ＲＭＳＩにより通知される、又は
前記周波数領域参照点はチャネルラスターの候補位置である、請求項１１に記載の装置。
【請求項１３】
前記第１位置は上位層シグナリングにより示され、前記上位層シグナリングは無線リソース制御ＲＲＣシグナリングを含む、請求項１１又は１２に記載の装置。
【請求項１４】
前記第１オフセットは、上位層シグナリングに含まれる構成情報に基づいて求められ、前記上位層シグナリングはＲＲＣシグナリングを含む、請求項１１から１３のいずれか一項に記載の装置。
【請求項１５】
前記第１シーケンスは、参照信号を搬送する前記制御チャネルリソース集合内のリソースエレメントにマッピングされる、請求項１１から１４のいずれか一項に記載の装置。
【請求項１６】
ダウンリンク制御情報を取得する装置であって、前記装置はメモリと少なくとも１つのプロセッサとを備え、
前記メモリは前記少なくとも１つのプロセッサと連結され、前記メモリは、前記装置が必要とするプログラム命令及びデータを格納し、
前記少なくとも１つのプロセッサは、
位置オフセット情報を取得することであって、前記位置オフセット情報は第１位置及び第１オフセットを含み、前記第１位置は物理リソースブロックの数であり、その物理リソースブロックの数だけ、制御チャネルリソース集合を含む帯域幅内の最小サブキャリアが周波数領域参照点からオフセットしており、前記第１オフセットは物理リソースブロックの数であり、その物理リソースブロックの数だけ、前記制御チャネルリソース集合内の最小サブキャリアが前記制御チャネルリソース集合を含む前記帯域幅内の前記最小サブキャリアからオフセットしている、取得することと、
前記位置オフセット情報に基づいて第１シーケンスを参照信号シーケンスから取得することであって、前記第１シーケンスは前記参照信号シーケンスの部分集合である、取得することと、
参照信号を搬送する前記制御チャネルリソース集合内のリソースエレメントに前記第１シーケンスをマッピングすることと
を行うように構成される、装置。
【請求項１７】
前記周波数領域参照点の物理リソースブロック番号が０であり、前記周波数領域参照点は残りの最小システム情報ＲＭＳＩにより通知される、又は
前記周波数領域参照点はチャネルラスターの候補位置である、請求項１６に記載の装置。
【請求項１８】
前記第１位置は上位層シグナリングにより示され、前記上位層シグナリングは無線リソース制御ＲＲＣシグナリングを含む、請求項１６又は１７に記載の装置。
【請求項１９】
前記第１オフセットは、上位層シグナリングに含まれる構成情報に基づいて求められ、前記上位層シグナリングはＲＲＣシグナリングを含む、請求項１６から１８のいずれか一項に記載の装置。
【請求項２０】
前記第１シーケンスは、前記参照信号を搬送する前記制御チャネルリソース集合内の前記リソースエレメントにマッピングされる、請求項１６から１９のいずれか一項に記載の装置。
【請求項２１】
請求項１から５のいずれか一項に記載の方法をコンピュータに実行させるための、プログラム。
【請求項２２】
請求項６から１０のいずれか一項に記載の方法をコンピュータに実行させるための、プログラム。
【手続補正２】
【補正対象書類名】明細書
【補正対象項目名】００８９
【補正方法】変更
【補正の内容】
【００８９】
本願における端末デバイスが、アクセス端末、加入者ユニット、加入者局、移動局、遠隔局、遠隔端末、モバイルデバイス、ユーザ端末、端末、無線通信デバイス、ユーザエージェント、又はユーザ装置であってもよい。アクセス端末は、セルラ方式電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）ステーション、携帯情報端末（ｐｅｒｓｏｎａｌ  ｄｉｇｉｔａｌ  ａｓｓｉｓｔａｎｔ、ＰＤＡ）、無線通信機能を備えたハンドヘルドデバイス、コンピューティングデバイス、無線モデムに接続された別の処理デバイス、車載デバイス、ウェアラブルデバイス、将来の５Ｇネットワークにおける端末デバイス、又は将来の進化した公衆陸上移動体ネットワーク（ｐｕｂｌｉｃ  ｌａｎｄ  ｍｏｂｉｌｅ  ｎｅｔｗｏｒｋ、ＰＬＭＮ）における端末デバイスなどであってもよい。これについては、本願の実施形態において限定されない。
【手続補正３】
【補正対象書類名】明細書
【補正対象項目名】００９７
【補正方法】変更
【補正の内容】
【００９７】
本願における物理リソースブロック番号とは、次のとおりであり、物理リソースブロック番号が、実際の物理リソースブロックの周波数領域位置に対応する。例えば、物理リソースブロック番号がｎであるならば、周波数領域における、対応する１２個の連続したサブキャリア番号の集合は｛ｎ，ｎ＋１，ｎ＋２，ｎ＋３，ｎ＋４，ｎ＋５，ｎ＋６，ｎ＋７，ｎ＋８，ｎ＋９，ｎ＋１０，ｎ＋１１｝である。物理リソースブロック番号は、システムキャリア帯域幅に含まれる物理リソースブロックの番号であってもよく、物理リソースブロック番号は、システムキャリア帯域幅内のサブバンドにおける物理リソースブロックの番号である。
【手続補正４】
【補正対象書類名】明細書
【補正対象項目名】０１３０
【補正方法】変更
【補正の内容】
【０１３０】
例えば、ＭＩＢに含まれるブロードキャストチャネルの参照点１のインジケーション情報が｛０１１｝であり、ブロードキャストチャネルの参照点と、インジケーション情報と、第１相対位置との対応関係に従って、ブロードキャストチャネルの参照点に対応する第１相対位置２が｛−ＮＯｆｆｓｅｔＲＢ｝であると判定されてよい。同様に、ブロードキャストチャネルの参照点２のインジケーション情報が｛００１｝であり、第１相対位置４が｛＋ＮＯｆｆｓｅｔＲＢ｝であり、ブロードキャストチャネルの参照点３に対応するインジケーション情報が｛１００｝であり、第１相対位置１が｛−２ＮＯｆｆｓｅｔＲＢ｝であり、ブロードキャストチャネルの参照点４に対応するインジケーション情報が｛０１０｝であり、第１相対位置５が｛＋２ＮＯｆｆｓｅｔＲＢ｝であり、ブロードキャストチャネルの参照点０に対応するインジケーション情報が｛０００｝であり、第１相対位置５が｛０｝である。
【手続補正５】
【補正対象書類名】明細書
【補正対象項目名】０１３３
【補正方法】変更
【補正の内容】
【０１３３】
表２に示すように、ＭＩＢに含まれる制御チャネルリソース集合０に対応するインジケーション情報が０００であり、第２相対位置が｛−２ＮＣＯＲＥＳＥＴ＿ｏｆｆｓｅｔＲＢ｝である。ＭＩＢに含まれる制御チャネルリソース集合１に対応するインジケーション情報が００１であり、第２相対位置が｛−ＮＣＯＲＥＳＥＴ＿ｏｆｆｓｅｔＲＢ｝である。ブロードキャストチャネルの参照点と、インジケーション情報と、第２相対位置との対応関係に基づいて、ブロードキャストチャネルの参照点の中心位置に対する制御チャネルリソース集合のリソース位置オフセットが、インジケーション情報に従って求められてよい。
【表２】
2020530736.tif 000047
【手続補正６】
【補正対象書類名】明細書
【補正対象項目名】０１５３
【補正方法】変更
【補正の内容】
【０１５３】
図８は、方式３におけるオフセット位置４の情報の概略構造図である。図８に示すように、表３によれば、制御チャネルリソース集合３に対応する第８相対位置が｛＋ＮＣＯＲＥＳＥＴ＿ｏｆｆｓｅｔＲＢ｝であることが分かる。
【手続補正７】
【補正対象書類名】明細書
【補正対象項目名】０１６０
【補正方法】変更
【補正の内容】
【０１６０】
例えば、上位層シグナリングは、明示的なシグナリングを用いて、第５相対位置が値集合内の少なくとも１つの値であり得ることを示してよい。図９に示すように、値集合は予め定められてよい。例えば、値集合は、｛−２ＮＯｆｆｓｅｔ＿ＢＰＲＢ，−ＮＯｆｆｓｅｔ＿ＢＰＲＢ，０，＋ＮＯｆｆｓｅｔ＿ＢＰＲＢ，＋２ＮＯｆｆｓｅｔ＿ＢＰＲＢ｝であってよい。図９に示すように、帯域幅０の第５相対位置１が｛−２ＮＯｆｆｓｅｔ＿ＢＰＲＢ｝であり、帯域幅１の第５相対位置２が｛−ＮＯｆｆｓｅｔ＿ＢＰＲＢ｝であり、帯域幅２の第５相対位置３が｛０｝であり、帯域幅３の第５相対位置４が｛＋ＮＯｆｆｓｅｔ＿ＢＰＲＢ｝であり、帯域幅４の第５相対位置５が｛＋２ＮＯｆｆｓｅｔ＿ＢＰＲＢ｝である。
【手続補正８】
【補正対象書類名】明細書
【補正対象項目名】０１７９
【補正方法】変更
【補正の内容】
【０１７９】
方式５における第７相対位置の実装例が、以下のとおりであってよい。すなわち、表７に示すように、ブロードキャストチャネルの参照点０に対応するインジケーション情報が０００であり、第７相対位置１が｛０｝であり、またブロードキャストチャネルの参照点２に対応するインジケーション情報が００１であり、第７相対位置２が｛＋ＮＯｆｆｓｅｔＲＢ｝である。
【表７】
2020530736.tif 000048
【手続補正９】
【補正対象書類名】明細書
【補正対象項目名】０１８１
【補正方法】変更
【補正の内容】
【０１８１】
図１３に示すように、ブロードキャストチャネルの参照点１のインジケーション情報が｛０１１｝であり、第７相対位置２が｛−ＮＯｆｆｓｅｔＲＢ｝であり、ブロードキャストチャネルの参照点２のインジケーション情報が｛００１｝であり、第７相対位置４が｛＋ＮＯｆｆｓｅｔＲＢ｝であり、ブロードキャストチャネルの参照点３に対応するインジケーション情報が｛１００｝であり、第７相対位置１が｛−２ＮＯｆｆｓｅｔＲＢ｝でありブロードキャストチャネルの参照点４に対応するインジケーション情報が｛０１０｝であり、第７相対位置５が｛＋２ＮＯｆｆｓｅｔＲＢ｝であり、ブロードキャストチャネルの参照点０に対応するインジケーション情報が｛０００｝であり、第７相対位置３が｛０｝である。
【手続補正１０】
【補正対象書類名】明細書
【補正対象項目名】０３２２
【補正方法】変更
【補正の内容】
【０３２２】
本発明の目的、技術的解決手段、及び有益な効果はさらに、前述の具体的な実施形態において詳細に説明されている。前述の説明は、単に本発明の具体的な実施形態にすぎず、本発明の保護範囲を限定する意図はないことを理解されたい。本発明の技術的解決手段に基づいて行われる、あらゆる修正、均等物による置換、又は改善などは、本発明の保護範囲に含まれることになる。
（項目１）
参照信号を取得する方法であって、
端末デバイスが位置オフセット情報を取得する段階であって、上記位置オフセット情報は第５相対位置及び位置オフセット０を含み、上記第５相対位置は物理リソースブロックの数であり、その物理リソースブロックの数だけ、制御チャネルリソース集合を含む帯域幅内の最小サブキャリアが周波数領域参照点からオフセットしており、上記位置オフセット０は物理リソースブロックの数であり、その物理リソースブロックの数だけ、上記制御チャネルリソース集合内の最小サブキャリアが、上記制御チャネルリソース集合を含む上記帯域幅内の上記最小サブキャリアからオフセットしている、段階と、
上記端末デバイスが上記位置オフセット情報に基づいて第１シーケンスを参照信号シーケンスから取得する段階であって、上記第１シーケンスは上記参照信号シーケンスの部分集合である、段階と、
上記端末デバイスが上記第１シーケンスを用いて、上記制御チャネルリソース集合で搬送される上記制御チャネル信号を復調し、ダウンリンク制御情報を取得する段階と
を備える方法。
（項目２）
上記周波数領域参照点に対応する物理リソースブロック番号が０であり、上記周波数領域参照点は残りの最小システム情報ＲＭＳＩにより通知される、又は上記周波数領域参照点はチャネルラスターの候補位置である、項目１に記載の方法。
（項目３）
上記第５相対位置は上位層シグナリングにより示され、上記上位層シグナリングはＲＲＣシグナリングを含む、項目１又は２に記載の方法。
（項目４）
上記オフセット位置０は、上位層シグナリングに含まれる構成情報に基づいて求められ、上記上位層シグナリングは無線リソース制御ＲＲＣシグナリングを含む、項目１から３のいずれか一項に記載の方法。
（項目５）
上記第１シーケンスは、参照信号を搬送する上記制御チャネルリソース集合内のリソースエレメントにマッピングされる、項目１から４のいずれか一項に記載の方法。
（項目６）
参照信号を取得する方法であって、
ネットワークデバイスが位置オフセット情報を取得する段階であって、上記位置オフセット情報は第５相対位置及び位置オフセット０を含み、上記第５相対位置は物理リソースブロックの数であり、その物理リソースブロックの数だけ、制御チャネルリソース集合を含む帯域幅内の最小サブキャリアが周波数領域参照点からオフセットしており、上記位置オフセット０は物理リソースブロックの数であり、その物理リソースブロックの数だけ、上記制御チャネルリソース集合内の最小サブキャリアが、上記制御チャネルリソース集合を含む上記帯域幅内の上記最小サブキャリアからオフセットしている、段階と、
上記ネットワークデバイスが上記位置オフセット情報に基づいて第１シーケンスを参照信号シーケンスから取得する段階であって、上記第１シーケンスは上記参照信号シーケンスの部分集合である、段階と、
上記ネットワークデバイスが、上記参照信号を搬送する上記制御チャネルリソース集合内のリソースエレメントに上記第１シーケンスをマッピングする段階と
を備える方法。
（項目７）
上記周波数領域参照点に対応する物理リソースブロック番号が０であり、上記周波数領域参照点は残りの最小システム情報ＲＭＳＩにより通知される、又は
上記周波数領域参照点はチャネルラスターの候補位置である、項目６に記載の方法。
（項目８）
上記方法はさらに、
上記第５相対位置が上位層シグナリングにより示され、上記上位層シグナリングが無線リソース制御ＲＲＣシグナリングを含むことを備える、項目６又は７に記載の方法。
（項目９）
上記方法はさらに、
上記オフセット位置０が、上位層シグナリングに含まれる構成情報に基づいて求められ、上記上位層シグナリングがＲＲＣシグナリングを含むことを備える、項目６から８のいずれか一項に記載の方法。
（項目１０）
上記方法はさらに、
上記参照信号を搬送する上記制御チャネルリソース集合内の上記リソースエレメントに上記第１シーケンスがマッピングされることを備える、項目６から９のいずれか一項に記載の方法。
（項目１１）
参照信号を取得する装置であって、上記装置はメモリとプロセッサとを備え、
上記メモリは上記プロセッサと連結され、上記メモリは、上記装置が必要とするプログラム命令及びデータを格納し、
上記プロセッサは位置オフセット情報を取得するように構成され、上記位置オフセット情報は第５相対位置及び位置オフセット０を含み、上記第５相対位置は物理リソースブロックの数であり、その物理リソースブロックの数だけ、制御チャネルリソース集合を含む帯域幅内の最小サブキャリアが周波数領域参照点からオフセットしており、上記位置オフセット０は物理リソースブロックの数であり、その物理リソースブロックの数だけ、上記制御チャネルリソース集合内の最小サブキャリアが、上記制御チャネルリソース集合を含む上記帯域幅内の上記最小サブキャリアからオフセットしており、
上記プロセッサは、上記位置オフセット情報に基づいて第１シーケンスを参照信号シーケンスから取得するように構成され、上記第１シーケンスは上記参照信号シーケンスの部分集合であり、
上記プロセッサはさらに、上記第１シーケンスを用いて、上記制御チャネルリソース集合で搬送される制御チャネル信号を復調し、ダウンリンク制御情報を取得するように構成される、装置。
（項目１２）
上記周波数領域参照点に対応する物理リソースブロック番号が０であり、上記周波数領域参照点は残りの最小システム情報ＲＭＳＩにより通知される、又は
上記周波数領域参照点はチャネルラスターの候補位置である、項目１１に記載の装置。
（項目１３）
上記第５相対位置は上位層シグナリングにより示され、上記上位層シグナリングは無線リソース制御ＲＲＣシグナリングを含む、項目１１又は１２に記載の装置。
（項目１４）
上記オフセット位置０は、上位層シグナリングに含まれる構成情報に基づいて求められ、上記上位層シグナリングはＲＲＣシグナリングを含む、項目１１から１３のいずれか一項に記載の装置。
（項目１５）
上記第１シーケンスは、参照信号を搬送する上記制御チャネルリソース集合内のリソースエレメントにマッピングされる、項目１１から１４のいずれか一項に記載の装置。
（項目１６）
参照信号を取得する装置であって、上記装置はメモリとプロセッサとを備え、
上記メモリは上記プロセッサと連結され、上記メモリは、上記装置が必要とするプログラム命令及びデータを格納し、
上記処理モジュールは位置オフセット情報を取得するように構成され、上記位置オフセット情報は第５相対位置及び位置オフセット０を含み、上記第５相対位置は物理リソースブロックの数であり、その物理リソースブロックの数だけ、制御チャネルリソース集合を含む帯域幅内の最小サブキャリアが周波数領域参照点からオフセットしており、上記位置オフセット０は物理リソースブロックの数であり、その物理リソースブロックの数だけ、上記制御チャネルリソース集合内の最小サブキャリアが上記制御チャネルリソース集合を含む上記帯域幅内の上記最小サブキャリアからオフセットしており、
上記処理モジュールは、上記オフセット位置オフセット情報に基づいて第１シーケンスを参照信号シーケンスから取得するように構成され、上記第１シーケンスは上記参照信号シーケンスの部分集合であり、
上記処理モジュールは、上記参照信号を搬送する上記制御チャネルリソース集合内のリソースエレメントに上記第１シーケンスをマッピングするように構成される、装置。
（項目１７）
上記周波数領域参照点に対応する物理リソースブロック番号が０であり、上記周波数領域参照点は残りの最小システム情報ＲＭＳＩにより通知される、又は
上記周波数領域参照点はチャネルラスターの候補位置である、項目１６に記載の装置。
（項目１８）
上記第５相対位置は上位層シグナリングにより示され、上記上位層シグナリングは無線リソース制御ＲＲＣシグナリングを含む、項目１６又は１７に記載の装置。
（項目１９）
上記オフセット位置０は、上位層シグナリングに含まれる構成情報に基づいて求められ、上記上位層シグナリングはＲＲＣシグナリングを含む、項目１６から１８のいずれか一項に記載の装置。
（項目２０）
上記第１シーケンスは、上記参照信号を搬送する上記制御チャネルリソース集合内の上記リソースエレメントにマッピングされる、項目１６から１９のいずれか一項に記載の装置。
（項目２１）
参照信号を取得する方法であって、
端末デバイスが位置オフセット情報を取得する段階と、
上記端末デバイスが上記位置オフセット情報に基づいて第１シーケンスを取得する段階と、
上記端末デバイスが上記第１シーケンスを用いて、制御チャネルリソース集合で搬送される制御チャネル信号を復調し、ダウンリンク制御情報を取得する段階と
を備える方法。
（項目２２）
上記方法はさらに、
参照信号シーケンスを生成する段階を備え、
上記端末デバイスが上記位置オフセット情報に基づいて第１シーケンスを取得する上記段階は、
上記端末デバイスが、上記位置オフセット情報に基づいて上記第１シーケンスを上記参照信号シーケンスから取得する段階であって、上記第１シーケンスは上記参照信号シーケンスの部分集合であり、上記位置オフセット情報は、上記参照信号シーケンス内の上記第１シーケンスの少なくとも１つの値の位置である、段階を有する、項目２１に記載の方法。
（項目２３）
上記方法はさらに、
上記端末デバイスが、ネットワークデバイスにより送信されるマスター情報ブロックＭＩＢを受信する段階であって、上記ＭＩＢは、第１相対位置を示すのに用いられるインジケーション情報と第２相対位置を示すのに用いられるインジケーション情報とを含み、上記第１相対位置は、周波数領域参照点に対する、上記ＭＩＢを搬送するブロードキャストチャネルの参照点の位置であり、上記第２相対位置は、上記ブロードキャストチャネルの上記参照点に対する上記制御チャネルリソース集合の相対位置である、段階を備え、
端末デバイスが位置オフセット情報を取得する上記段階は、
上記端末デバイスが、上記第１相対位置の上記インジケーション情報により示される上記第１相対位置と、上記第２相対位置の上記インジケーション情報により示される上記第２相対位置とに従って、上記位置オフセット情報を求める段階を有する、項目２２に記載の方法。
（項目２４）
上記方法はさらに、
上記端末デバイスが、ネットワークデバイスにより送信されるマスター信号ブロックＭＩＢを受信する段階であって、上記ＭＩＢは第３相対位置を示すのに用いられるインジケーション情報を含み、上記第３相対位置は、周波数領域参照点に対する、上記ＭＩＢを搬送するブロードキャストチャネルの参照点の位置である、段階を備え、
端末デバイスが位置オフセット情報を取得する上記段階は、
上記端末デバイスが、上記第３相対位置及び第４相対位置に従って上記位置オフセット情報を求める段階であって、上記第４相対位置は、上記ブロードキャストチャネルの上記参照点に対する上記制御チャネルリソース集合の相対位置であり、上記第４相対位置は構成されるか又は事前設定される、段階を有する、項目２２に記載の方法。
（項目２５）
上記方法はさらに、
上記端末デバイスがマスター情報ブロックＭＩＢを受信する段階であって、上記ＭＩＢは、周波数領域参照点に対する上記制御チャネルリソース集合の第８相対位置情報を示すのに用いられるインジケーション情報を含む、段階を備え、
端末デバイスが位置オフセット情報を取得する上記段階は、
上記端末デバイスが、上記第８相対位置の上記インジケーション情報により示される上記第８相対位置に従って、上記位置オフセット情報を求める段階を有する、項目２２に記載の方法。
（項目２６）
上記方法はさらに、
上記端末デバイスが帯域幅の構成情報を受信する段階であって、上記帯域幅はシステム帯域幅の一部であり、上記構成情報は第５相対位置のインジケーション情報を含み、上記第５相対位置は、周波数領域参照点に対する、上記制御チャネルリソース集合を含む帯域幅の相対位置である、段階を備え、
端末デバイスが位置オフセット情報を取得する上記段階は、
上記端末デバイスが、上記第５相対位置の上記インジケーション情報により示される上記第５相対位置に従って、上記位置オフセット情報を求める段階を有する、項目２２に記載の方法。
（項目２７）
上記方法はさらに、
上記端末デバイスが帯域幅の構成情報を受信する段階であって、上記帯域幅はシステム帯域幅の一部であり、上記構成情報は第６相対位置のインジケーション情報と第７相対位置のインジケーション情報とを含み、上記第６相対位置は、ＭＩＢを搬送するブロードキャストチャネルの参照点に対する、上記制御チャネルリソース集合を含む帯域幅の相対位置であり、上記第７相対位置は、周波数領域参照点に対する、上記ＭＩＢを搬送する上記ブロードキャストチャネルの上記参照点の位置である、段階を備え、
端末デバイスが位置オフセット情報を取得する上記段階は、
上記第６相対位置の上記インジケーション情報により示される上記第６相対位置と上記第７相対位置の上記インジケーション情報により示される上記第７相対位置とに従って、上記位置オフセット情報を求める段階を有する、項目２２に記載の方法。
（項目２８）
端末デバイスが位置オフセット情報を取得する上記段階は、
上記端末デバイスが上記制御チャネルリソース集合の構成情報を受信する段階であって、上記制御チャネルリソース集合の上記構成情報は、上記位置オフセット情報を示すのに用いられるインジケーション情報を含む、段階を有する、項目２２に記載の方法。
（項目２９）
上記位置オフセット情報を示すのに用いられる上記インジケーション情報は、上記制御チャネルリソース集合の物理リソースブロック番号を示すのに用いられるインジケーション情報を含み、端末デバイスが位置オフセット情報を取得する上記段階は、
上記端末デバイスが、上記物理リソースブロック番号により示される物理リソースブロックに従って、上記位置オフセット情報を求める段階を有する、項目２８に記載の方法。
（項目３０）
上記方法はさらに、
上記端末デバイスが、ネットワークデバイスにより送信されるマスター情報ブロックＭＩＢを受信する段階であって、上記ＭＩＢは、上記ＭＩＢを搬送するブロードキャストチャネルの参照点に対する、上記制御チャネルリソース集合の第１１相対位置を示すのに用いられるインジケーション情報を含む、段階と、
上記端末デバイスが、上記第１１相対位置の上記インジケーション情報により示される上記第１１相対位置に従って、上記第２シーケンスを上記参照信号シーケンスから取得する段階であって、上記第２シーケンスは上記参照信号シーケンスの部分集合であり、上記第１１相対位置は、上記参照信号シーケンス内の上記第２シーケンスの少なくとも１つの値の位置である、段階と
を備える、項目２６から２９のいずれか一項に記載の方法。
（項目３１）
参照信号を取得する方法であって、
ネットワークデバイスが位置オフセット情報を取得する段階と、
上記ネットワークデバイスが上記位置オフセット情報に基づいて第１シーケンスを取得する段階と、
上記ネットワークデバイスが、参照信号を搬送する制御チャネルリソース集合内のリソースエレメントに上記第１シーケンスをマッピングする段階と
を備える方法。
（項目３２）
上記方法はさらに、
上記ネットワークデバイスが参照信号シーケンスを生成する段階を備え、
上記ネットワークデバイスが上記位置オフセット情報に基づいて第１シーケンスを取得する上記段階は、
上記ネットワークデバイスが、上記位置オフセット情報に基づいて上記第１シーケンスを上記参照信号シーケンスから取得する段階であって、上記第１シーケンスは上記参照信号シーケンスの部分集合であり、上記位置オフセット情報は、上記参照信号シーケンス内の上記第１シーケンスの少なくとも１つの値の位置である、段階を有する、項目３１に記載の方法。
（項目３３）
上記方法はさらに、
上記ネットワークデバイスがマスター情報ブロックＭＩＢを端末デバイスに送信する段階であって、上記ＭＩＢは第１相対位置のインジケーション情報と第２相対位置のインジケーション情報とを含み、上記第１相対位置は、周波数領域参照点に対する、上記ＭＩＢを搬送するブロードキャストチャネルの参照点の位置であり、上記第２相対位置は、上記ブロードキャストチャネルの上記参照点に対する上記制御チャネルリソース集合の相対位置であり、上記第１相対位置の上記インジケーション情報と上記第２相対位置の上記インジケーション情報とは、上記位置オフセット情報を示すのに用いられる、段階を備える、項目３２に記載の方法。
（項目３４）
上記方法はさらに、
上記端末デバイスがネットワークデバイスにより送信されるマスター信号ブロックＭＩＢを受信する段階であって、上記ＭＩＢは第３相対位置のインジケーション情報を含み、上記第３相対位置は、周波数領域参照点に対する、上記ＭＩＢを搬送するブロードキャストチャネルの参照点の位置であり、上記第３相対位置の上記インジケーション情報は、上記位置オフセット情報を示すのに第４相対位置と共に用いられ、上記第４相対位置は、上記ブロードキャストチャネルの上記参照点に対する上記制御チャネルリソース集合の相対位置であり、上記第４相対位置は構成されるか又は事前設定される、段階を備える、項目３２に記載の方法。
（項目３５）
上記方法はさらに、
上記ネットワークデバイスがマスター情報ブロックＭＩＢを端末デバイスに送信する段階であって、上記ＭＩＢは、周波数領域参照点に対する上記制御チャネルリソース集合の第８相対位置情報を示すのに用いられるインジケーション情報を含み、上記第８相対位置情報の上記インジケーション情報は上記位置オフセット情報を示すのに用いられる、段階を備える、項目３２に記載の方法。
（項目３６）
上記方法はさらに、
上記ネットワークデバイスが帯域幅の構成情報を端末デバイスに送信する段階であって、上記帯域幅はシステム帯域幅の一部であり、上記構成情報は第５相対位置のインジケーション情報を含み、上記第５相対位置は、周波数領域参照点に対する、上記制御チャネルリソース集合を含む帯域幅の相対位置であり、上記第５相対位置の上記インジケーション情報は上記位置オフセット情報を示すのに用いられる、段階を備える、項目３２に記載の方法。
（項目３７）
上記方法はさらに、
上記ネットワークデバイスが帯域幅の構成情報を端末デバイスに送信する段階であって、上記構成情報は第６相対位置のインジケーション情報と第７相対位置のインジケーション情報とを含み、上記第６相対位置は、ＭＩＢを搬送するブロードキャストチャネルの参照点周波数領域位置に対する、上記制御チャネルリソース集合を含む帯域幅の相対位置であり、上記第７相対位置は、周波数領域参照点に対する、上記ＭＩＢを搬送する上記ブロードキャストチャネルの上記参照点の位置であり、上記第６相対位置の上記インジケーション情報と上記第７相対位置の上記インジケーション情報とは、上記位置オフセット情報を示すのに用いられる、段階を備える、項目３２に記載の方法。
（項目３８）
上記方法はさらに、
上記ネットワークデバイスが上記制御チャネルリソース集合の構成情報を上記端末デバイスに送信する段階であって、上記制御チャネルリソース集合の上記構成情報は、上記位置オフセット情報を示すのに用いられるインジケーション情報を含む、段階を備える、項目３２に記載の方法。
（項目３９）
上記位置オフセット情報を示すのに用いられる上記インジケーション情報は、上記制御チャネルリソース集合の物理リソースブロック番号を示すのに用いられるインジケーション情報を含む、項目３８に記載の方法。
（項目４０）
上記方法はさらに、
上記ネットワークデバイスがマスター情報ブロックＭＩＢを送信する段階であって、上記ＭＩＢは、上記ＭＩＢを搬送するブロードキャストチャネルの参照点に対する上記制御チャネルリソース集合の第１１相対位置を示すのに用いられるインジケーション情報を含む、段階を備える、項目３６から３９のいずれか一項に記載の方法。
（項目４１）
位置オフセット情報を取得し、上記位置オフセット情報に基づいて第１シーケンスを取得するように構成されたプロセッサを備える端末デバイスであって、
上記プロセッサはさらに、制御チャネルリソース集合で搬送される制御チャネル信号を上記第１シーケンスを用いて復調し、ダウンリンク制御情報を取得するように構成される、端末デバイス。
（項目４２）
上記プロセッサはさらに、参照信号シーケンスを生成するように構成され、
上記プロセッサは具体的には、上記位置オフセット情報に基づいて上記第１シーケンスを上記参照信号シーケンスから取得するように構成され、上記第１シーケンスは上記参照信号シーケンスの部分集合であり、上記位置オフセット情報は、上記参照信号シーケンス内の上記第１シーケンスの少なくとも１つの値の位置である、項目４１に記載の端末デバイス。
（項目４３）
上記端末デバイスはさらに、
ネットワークデバイスにより送信されるマスター情報ブロックＭＩＢを受信するように構成された受信機を備え、上記ＭＩＢは、第１相対位置を示すのに用いられるインジケーション情報と第２相対位置を示すのに用いられるインジケーション情報とを含み、上記第１相対位置は、周波数領域参照点に対する、上記ＭＩＢを搬送するブロードキャストチャネルの参照点の位置であり、上記第２相対位置は、上記ブロードキャストチャネルの上記参照点に対する上記制御チャネルリソース集合の相対位置であり、
上記プロセッサは具体的には、上記受信機により受信される、上記第１相対位置の上記インジケーション情報により示される上記第１相対位置と上記第２相対位置の上記インジケーション情報により示される上記第２相対位置とに従って、上記位置オフセット情報を求めるように構成される、項目４２に記載の端末デバイス。
（項目４４）
上記端末デバイスはさらに、
ネットワークデバイスにより送信されるマスター信号ブロックＭＩＢを受信するように構成された受信機を備え、上記ＭＩＢは第３相対位置を示すのに用いられるインジケーション情報を含み、上記第３相対位置は、周波数領域参照点に対する、上記ＭＩＢを搬送するブロードキャストチャネルの参照点の位置であり、
上記プロセッサは具体的には、上記受信機により受信される上記第３相対位置の上記インジケーション情報により示される上記第３相対位置と、第４相対位置とに従って、上記位置オフセット情報を求めるように構成され、上記第４相対位置は、上記ブロードキャストチャネルの上記参照点に対する上記制御チャネルリソース集合の相対位置であり、上記第４相対位置は構成されるか又は事前設定される、項目４２に記載の端末デバイス。
（項目４５）
上記端末デバイスはさらに、
ネットワークデバイスにより送信されるマスター信号ブロックＭＩＢを受信するように構成された受信機を備え、上記ＭＩＢは、周波数領域参照点に対する上記制御チャネルリソース集合の第８相対位置情報を示すのに用いられるインジケーション情報を含み、
上記プロセッサは具体的には、上記第８相対位置の上記インジケーション情報により示される上記第８相対位置に従って、上記位置オフセット情報を求めるように構成される、項目４２に記載の端末デバイス。
（項目４６）
上記端末デバイスはさらに、
帯域幅の構成情報を受信するように構成された受信機を備え、上記帯域幅はシステム帯域幅の一部であり、上記構成情報は第５相対位置のインジケーション情報を含み、上記第５相対位置は、周波数領域参照点に対する、上記制御チャネルリソース集合を含む帯域幅の相対位置であり、
上記プロセッサは具体的には、上記受信機により受信される上記第５相対位置の上記インジケーション情報により示される上記第５相対位置に従って、上記位置オフセット情報を求めるように構成される、項目４２に記載の端末デバイス。
（項目４７）
上記端末デバイスはさらに、
帯域幅の構成情報を受信するように構成された受信機を備え、上記帯域幅はシステム帯域幅の一部であり、上記構成情報は、第６相対位置のインジケーション情報と第７相対位置のインジケーション情報とを含み、上記第６相対位置は、ＭＩＢを搬送するブロードキャストチャネルの参照点に対する、上記制御チャネルリソース集合を含む帯域幅の相対位置であり、上記第７相対位置は、周波数領域参照点に対する、上記ＭＩＢを搬送する上記ブロードキャストチャネルの上記参照点の位置であり、
上記プロセッサは具体的には、上記受信機により受信される、上記第６相対位置の上記インジケーション情報により示される上記第６相対位置と上記第７相対位置の上記インジケーション情報により示される上記第７相対位置とに従って、上記位置オフセット情報を求めるように構成される、項目４２に記載の端末デバイス。
（項目４８）
上記プロセッサはさらに、上記制御チャネルリソース集合の構成情報を受信するよう受信機に命令するように構成され、上記制御チャネルリソース集合の上記構成情報は、上記位置オフセット情報を示すのに用いられるインジケーション情報を含む、項目４２に記載の端末デバイス。
（項目４９）
上記プロセッサは具体的には、上記位置オフセット情報を示すのに用いられる上記インジケーション情報が、上記制御チャネルリソース集合の物理リソースブロック番号を示すのに用いられるインジケーション情報を含む場合、上記物理リソースブロック番号により示される物理リソースブロックに従って、上記位置オフセット情報を求めるように構成される、項目４８に記載の端末デバイス。
（項目５０）
上記端末デバイスはさらに、
ネットワークデバイスにより送信されるマスター情報ブロックＭＩＢを受信するように構成された上記受信機を備え、上記ＭＩＢは、上記ＭＩＢを搬送するブロードキャストチャネルの参照点に対する上記制御チャネルリソース集合の第１１相対位置を示すのに用いられるインジケーション情報を含み、
上記プロセッサは具体的には、上記第１１相対位置に従って、上記第２シーケンスを上記参照信号シーケンスから取得するように構成され、上記第２シーケンスは上記参照信号シーケンスの部分集合であり、上記第８相対位置は上記参照信号シーケンス内の上記第２シーケンスの少なくとも１つの値の位置である、項目４６から４９のいずれか一項に記載の端末デバイス。
（項目５１）
位置オフセット情報を取得し、上記位置オフセット情報に基づいて第１シーケンスを取得するように構成されたプロセッサを備えるネットワークデバイスであって、
上記プロセッサは、参照信号を搬送する制御チャネルリソース集合内のリソースエレメントに上記第１シーケンスをマッピングするように構成される、ネットワークデバイス。
（項目５２）
上記プロセッサはさらに、参照信号シーケンスを生成するように構成され、
上記プロセッサは具体的には、上記位置オフセット情報に基づいて上記第１シーケンスを上記参照信号シーケンスから取得するように構成され、上記第１シーケンスは上記参照信号シーケンスの部分集合であり、上記位置オフセット情報は、上記参照信号シーケンス内の上記第１シーケンスの少なくとも１つの値の位置である、項目５１に記載のネットワークデバイス。
（項目５３）
上記ネットワークデバイスはさらに、
マスター信号ブロックＭＩＢを端末デバイスに送信するように構成された送信機を備え、上記ＭＩＢは第１相対位置のインジケーション情報と第２相対位置のインジケーション情報とを含み、上記第１相対位置は、周波数領域参照点に対する、上記ＭＩＢを搬送するブロードキャストチャネルの参照点の位置であり、上記第２相対位置は、上記ブロードキャストチャネルの上記参照点に対する上記制御チャネルリソース集合の相対位置であり、上記第１相対位置の上記インジケーション情報と上記第２相対位置の上記インジケーション情報とは、上記位置オフセット情報を示すのに用いられる、項目５２に記載のネットワークデバイス。
（項目５４）
上記ネットワークデバイスはさらに、
ＭＩＢを端末デバイスに送信するように構成された送信機を備え、上記ＭＩＢは第３相対位置のインジケーション情報を含み、上記第３相対位置は、周波数領域参照点に対する、上記ＭＩＢを搬送するブロードキャストチャネルの参照点の位置であり、上記第３相対位置の上記インジケーション情報は、上記位置オフセット情報を示すのに第４相対位置と共に用いられ、上記第４相対位置は、上記ブロードキャストチャネルの上記参照点に対する上記制御チャネルリソース集合の相対位置であり、上記第４相対位置は構成されるか又は事前設定される、項目５２に記載のネットワークデバイス。
（項目５５）
上記ネットワークデバイスはさらに、
マスター情報ブロックＭＩＢを端末デバイスに送信するように構成された送信機を備え、上記ＭＩＢは、周波数領域参照点に対する上記制御チャネルリソース集合の第８相対位置情報を示すのに用いられるインジケーション情報を含み、上記第８相対位置情報の上記インジケーション情報は上記位置オフセット情報を示すのに用いられる、項目５２に記載のネットワークデバイス。
（項目５６）
上記ネットワークデバイスはさらに、
帯域幅の構成情報を端末デバイスに送信するように構成された送信機を備え、上記帯域幅はシステム帯域幅の一部であり、上記構成情報は第５相対位置のインジケーション情報を含み、上記第５相対位置は、周波数領域参照点に対する、上記制御チャネルリソース集合を含む帯域幅の相対位置であり、上記第５相対位置の上記インジケーション情報は上記位置オフセット情報を示すのに用いられる、項目５２に記載のネットワークデバイス。
（項目５７）
上記ネットワークデバイスはさらに、
帯域幅の構成情報を端末デバイスに送信するように構成された送信機を備え、上記帯域幅はシステム帯域幅の一部であり、上記構成情報は第６相対位置のインジケーション情報と第７相対位置のインジケーション情報とを含み、上記第６相対位置は、ＭＩＢを搬送するブロードキャストチャネルの参照点周波数領域位置に対する、上記制御チャネルリソース集合のシステムの相対位置であり、上記第７相対位置は、周波数領域参照点に対する、上記ＭＩＢを搬送する上記ブロードキャストチャネルの上記参照点の位置であり、上記第６相対位置の上記インジケーション情報と上記第７相対位置の上記インジケーション情報とは、上記位置オフセット情報を示すのに用いられる、項目５２に記載のネットワークデバイス。
（項目５８）
上記ネットワークデバイスはさらに、
上記制御チャネルリソース集合の構成情報を上記端末デバイスに送信するように構成された送信機を備え、上記制御チャネルリソース集合の上記構成情報は、上記位置オフセット情報を示すのに用いられるインジケーション情報を含む、項目５２に記載のネットワークデバイス。
（項目５９）
上記プロセッサは具体的には、上記位置オフセット情報を示すのに用いられる上記インジケーション情報が、上記制御チャネルリソース集合の物理リソースブロック番号を示すのに用いられるインジケーション情報を含むように構成される、項目５８に記載のネットワークデバイス。
（項目６０）
上記制御チャネルリソース集合の上記構成情報は、ランダムアクセス応答ＲＡＲ及び無線リソース制御ＲＲＣシグナリングのうちの少なくとも１つを含み、上記制御チャネルリソース集合はタイプ１共通探索空間ＣＳＳ及び／又は端末固有の探索空間ＵＳＳを含む、参照信号を取得するための項目２８若しくは２９、又は３８若しくは３９に記載の方法、項目４８又は４９に記載の端末デバイス、及び項目５８又は５９に記載のネットワークデバイス。
（項目６１）
上記方法はさらに、
マスター情報ブロックＭＩＢを送信するように構成された上記送信機を備え、上記ＭＩＢは、上記ＭＩＢを搬送するブロードキャストチャネルの参照点に対する、上記制御チャネルリソース集合の第１１相対位置を示すのに用いられるインジケーション情報を含む、項目５３から６０のいずれか一項に記載のネットワークデバイス。
（項目６２）
上記周波数領域参照点は、システムキャリア帯域幅境界若しくは中心周波数領域位置であるか、又はチャネルラスターの候補位置であり、上記チャネルラスターの上記候補位置は上記システムキャリア帯域幅内の候補サブキャリア位置であり、上記候補サブキャリア位置は予め定められた位置であり、
上記ブロードキャストチャネルの上記参照点は、上記ブロードキャストチャネルの上記参照点が位置しているリソースの中心周波数領域位置又は境界である、参照信号を取得するための項目２１から３０及び６０のいずれか一項に記載の方法、又は参照信号を取得するための項目３１から４０及び６０のいずれか一項に記載の方法、又は項目４１から５０及び６０のいずれか一項に記載の端末デバイス、又は項目５１から６１のいずれか一項に記載のネットワークデバイス。
（項目６３）
コンピュータによって実行可能なプログラムコードを格納するように構成されたメモリと、プロセッサとを備える通信装置であって、上記プロセッサが上記命令を実行すると、上記装置は、項目１から５、２１から３０，及び６２のいずれか一項に記載の方法を実施するように構成される、通信装置。
（項目６４）
コンピュータによって実行可能なプログラムコードを格納するように構成されたメモリと、プロセッサとを備える通信装置であって、上記プロセッサが上記命令を実行すると、上記装置は、項目６から１０、３１から４０，及び６２のいずれか一項に記載の方法を実施するように構成される、通信装置。
（項目６５）
コンピュータ可読記憶媒体であって、上記コンピュータ可読記憶媒体は命令を格納し、コンピュータが上記命令を実行すると、上記コンピュータは、項目１から５、２１から３０、及び６２のいずれか一項に記載の方法を行う、コンピュータ可読記憶媒体。
（項目６６）
コンピュータ可読記憶媒体であって、上記コンピュータ可読記憶媒体は命令を格納し、コンピュータが上記命令を実行すると、上記コンピュータは、項目６から１０、３１から４０、及び６２のいずれか一項に記載の方法を行う、コンピュータ可読記憶媒体。
【国際調査報告】
2020530736.tif 000049
2020530736.tif 000050
2020530736.tif 000051
2020530736.tif 000052